(57)【特許請求の範囲】
【請求項１】
１３Ｃ ＮＭＲから算出したアイソタクチックトライアッド[ｍｍ]が５０％以上のアイソタクチックポリ（アルキレンオキシド）、ならびに脂肪族モノカルボン酸無水物もしくは芳香族モノカルボン酸無水物を反応させることを特徴とする安定化ポリ（アルキレンオキシド）の製造方法。
【請求項２】
１３Ｃ ＮＭＲから算出したアイソタクチックトライアッド[ｍｍ]が５０％以上のアイソタクチックポリ（アルキレンオキシド）、脂肪族モノカルボン酸無水物もしくは芳香族モノカルボン酸無水物、ならびに第三級アミンを反応させることを特徴とする安定化ポリ（アルキレンオキシド）の製造方法。
【請求項３】
第三級アミンがピリジンである請求項２に記載の安定化ポリ（アルキレンオキシド）の製造方法。
【請求項４】
脂肪族モノカルボン酸無水物が無水酢酸である請求項１〜３のいずれかに記載の安定化ポリ（アルキレンオキシド）の製造方法。
【請求項５】
１３Ｃ ＮＭＲから算出したアイソタクチックトライアッド[ｍｍ]が５０％以上のアイソタクチックポリ（アルキレンオキシド）が、下式［１］で表される遷移金属化合物の存在下に、アルキレンオキシドを重合することによって得られるアイソタクチックポリ（アルキレンオキシド）である請求項１〜４のいずれかに記載の安定化ポリ（アルキレンオキシド）の製造方法。
【化１】
0005334424.tif 000004
（ただし、上式［１］において、Ｅは２つの窒素原子を架橋する架橋基を表し、Ｒ１〜Ｒ５はそれぞれ独立に、水素原子、ハロゲン原子、アルキル基、アラルキル基、アリール基、置換シリル基、アルコキシ基、アラルキルオキシ基、アリールオキシ基、２置換アミノ基、アジド基またはシアノ基を表し、Ｘは水酸基、ハロゲン原子、アルコキシ基、アラルキルオキシ基、アリールオキシ基、アシルオキシ基、２置換アミノ基、アジド基またはシアノ基を表す。）
【発明の詳細な説明】
【技術分野】
【０００１】
本発明は、長期間の物性の安定性に優れた安定化ポリ(アルキレンオキシド)の製造方法に関する。
【背景技術】
【０００２】
近年、プロピレンオキサイドをコバルト錯体を用いて単独重合することにより立体規則性の制御されたポリプロピレンオキサイドの合成が報告されている（特許文献１および非特許文献２）。
【０００３】
【特許文献１】米国特許公開公報２００６/０２９３５０１
【非特許文献１】Ｊｏｕｒｎａｌ  ｏｆ  Ａｍｅｒｉｃａｎ  Ｃｈｅｍｉｃａｌ  Ｓｏｃｉｅｔｙ, ２００５, １２７, １１５６６−１１５６７頁
【発明の開示】
【発明が解決しようとする課題】
【０００４】
しかしながら、上記公報等に記載のポリプロピレンオキサイドは室温下、空気中で保存しておくと、酸素や熱などによって容易に酸化分解してしまうため、長期にわたってその物性を保持することが困難であった。かかる状況において本発明が解決しようとする課題、即ち本発明の目的は、ポリ（アルキレンオキシド）と酸無水物を反応させてなる、長期間の物性の安定性に優れた安定化ポリ(アルキレンオキシド)の製造方法を提供することにある。特に、応力引張試験で求められる最大点応力、破断点応力、破断点伸びの低下が抑えられた安定化ポリ（アルキレンオキシド）の製造方法を提供することにある。
【課題を解決するための手段】
【０００５】
本発明は、上記の課題を解決するために下記の発明を提供する。
（１）１３Ｃ ＮＭＲから算出したアイソタクチックトライアッド[ｍｍ]が５０％以上のアイソタクチックポリ（アルキレンオキシド）、ならびに脂肪族モノカルボン酸無水物もしくは芳香族モノカルボン酸無水物を反応させることを特徴とする安定化ポリ（アルキレンオキシド）の製造方法；
（２）１３Ｃ ＮＭＲから算出したアイソタクチックトライアッド[ｍｍ]が５０％以上のアイソタクチックポリ（アルキレンオキシド）、脂肪族モノカルボン酸無水物もしくは芳香族モノカルボン酸無水物、ならびに第三級アミンを反応させることを特徴とする安定化ポリ（アルキレンオキシド）の製造方法；
（３）第三級アミンがピリジンである上記（２）に記載の安定化ポリ（アルキレンオキシド）の製造方法；
（４）脂肪族モノカルボン酸無水物が無水酢酸である上記（１）〜（３）のいずれかに記載の安定化ポリ（アルキレンオキシド）の製造方法；
（５）１３Ｃ ＮＭＲから算出したアイソタクチックトライアッド[ｍｍ]が５０％以上のアイソタクチックポリ（アルキレンオキシド）が、下式［１］で表される遷移金属化合物の存在下に、アルキレンオキシドを重合することによって得られるアイソタクチックポリ（アルキレンオキシド）である上記（１）〜（４）のいずれかに記載の安定化ポリ（アルキレンオキシド）の製造方法；
【化１】
0005334424.tif 000002
（ただし、上式［１］において、Ｅは２つの窒素原子を架橋する架橋基を表し、Ｒ１〜Ｒ５はそれぞれ独立に、水素原子、ハロゲン原子、アルキル基、アラルキル基、アリール基、置換シリル基、アルコキシ基、アラルキルオキシ基、アリールオキシ基、２置換アミノ基、アジド基またはシアノ基を表し、Ｘは水酸基、ハロゲン原子、アルコキシ基、アラルキルオキシ基、アリールオキシ基、アシルオキシ基、２置換アミノ基、アジド基またはシアノ基を表す。）
【発明の効果】
【０００６】
本発明によれば、長期間の物性の安定性に優れた安定化ポリ(アルキレンオキシド)の製造方法が提供される。特に、応力引張試験で求められる最大点応力、破断点応力、破断点伸びの低下が抑えられた安定化ポリ（アルキレンオキシド）を得ることができる。
【発明を実施するための最良の形態】
【０００７】
本発明に用いられるポリ（アルキレンオキシド）は、好ましくは立体規則性ポリ（アルキレンオキシド）であり、主鎖となるポリ（アルキレンオキシ）鎖に対し、側鎖となるアルキル鎖が決まった方向を向いたポリマーであり、同一方向で開環したアイソタクティックポリ（アルキレンオキシド）、交互に反対向きに開環したシンジオタクティックポリ（アルキレンオキシド）等があり、それぞれ立体規則性ポリ（アルキレンオキシド）の１３Ｃ  ＮＭＲを測定することにより、同定することができる。例えば、ポリ（プロピレンオキシド）の立体規則性の同定に関しては、アメリカ化学会編「マクロモルキュールズ（Macromolecules）」１９８６年９月、第１９巻、第５号、第１３３７〜第１３４３頁に詳細が記載されており、一般的にはメチン炭素の積分値により算出する。
立体規則性が高いほど結晶性に優れたものとなり、アイソタクティックポリ（アルキレンオキシド）の場合、立体規則性を示す[ｍｍ]として５０％以上であることが好ましく、フィルム等の用途では９０％以上であることがより好ましい。また、シンジオタクティックポリ（アルキレンオキシド）の場合、立体規則性を示す[ｒｒ]として３０％以上であることが好ましい。
ポリ（アルキレンオキシド）としては、例えばポリ（プロピレンオキシド）、ポリ（ブチレンオキシド）、ポリ（ペンテンオキシド）、ポリ（ヘキセンオキシド）、ポリ（シクロヘキセンオキシド）やポリ（スチレンオキシド）などが挙げられる。つまり、ここで用いられる立体規則性ポリ（アルキレンオキシド）とは、アイソタクティックポリ（プロピレンオキシド）、アイソタクティックポリ（ブチレンオキシド）、アイソタクティックポリ（ペンテンオキシド）、アイソタクティックポリ（ヘキセンオキシド）、アイソタクティックポリ（シクロヘキセンオキシド）、アイソタクティックポリ（スチレンオキシド）、シンジオタクティックポリ（プロピレンオキシド）、シンジオタクティックポリ（ブチレンオキシド）、シンジオタクティックポリ（シクロヘキセンオキシド）、シンジオタクティックポリ（スチレンオキシド）等が挙げられ、好ましくはアイソタクティックポリ（プロピレンオキシド）、アイソタクティックポリ（ブチレンオキシド）、アイソタクティックポリ（スチレンオキシド）またはシンジオタクティックポリ（プロピレンオキシド）であり、より好ましくはアイソタクティックポリ（プロピレンオキシド）又はアイソタクティックポリ（ブチレンオキシド）である。
【０００８】
本発明に用いられる酸無水物とは、カルボン酸の無水酸を意味し、例えば、無水酢酸、無水プロピオン酸、無水ｎ−酪酸、無水イソ酪酸、無水ｎ−吉草酸、無水イソ吉草酸、無水ピバル酸、無水ミリスチン酸等の脂肪族モノカルボン酸無水物や、無水安息香酸、無水ｏ−トルイル酸、無水ｍ−トルイル酸、無水ｐ−トルイル酸、無水２−エチル安息香酸、無水３−エチル安息香酸、無水４−エチル安息香酸、無水２，３−ジメチル安息香酸、無水２，４−ジメチル安息香酸、無水２，５−ジメチル安息香酸、無水２，６−ジメチル安息香酸、無水３，４−ジメチル安息香酸、無水３，５−ジメチル安息香酸等の芳香族者カルボン酸無水物、シクロヘキサンジカルボン酸無水物、無水マレイン酸、無水コハク酸、無水エンディック酸等の脂肪族ジカルボン酸無水物、無水フタル酸、３−ヒドロキシ無水フタル酸、ヘキサヒドロ無水フタル酸、無水２，３−ナフタレンジカルボン酸、無水ナフタル酸等の芳香族ジカルボン酸無水物等が挙げられ、好ましくは脂肪族モノカルボン酸無水物や芳香族モノカルボン酸無水物であり、より好ましくは無水酢酸、無水プロピオン酸、無水ｎ−酪酸、無水イソ酪酸または無水安息香酸であり、特に好ましくは、無水酢酸である。
【０００９】
本発明に用いられる反応促進剤とは、安定化のための反応を速やかに行うための反応助剤であり、例えば、アミン類、カルボン酸アルカリ金属塩、カルボン酸アルカリ土類金属塩、アルカリ金属水酸化物、アルカリ土類金属水酸化物等が挙げられる。工業的には反応生成物との分離が容易であるという観点でアミン類が好ましい。反応性の観点から特に第三級アミンがより好ましい。
【００１０】
本発明に用いられるアミン類としては、第一級アミン、第二級アミン、第三級アミンおよび第四級アミン（アンモニウム塩）を用いることができ、第一級アミンとしては、例えばメチルアミン、エチルアミン、ｎ−プロピルアミン、イソプロピルアミン、ｎ−ブチルアミン、イソブチルアミン、ｓｅｃ−ブチルアミン、ｔｅｒｔ−ブチルアミン、ｎ−ペンチルアミン、ｎ−ヘキシルアミン、シクロヘキシルアミン、ｎ−オクチルアミン、アリルアミン、アニリン、ベンジルアミン、ｐ−トリルアミン等が挙げられる。第二級アミンとしては、例えばジメチルアミン、ジエチルアミン、ジ−ｎ−プロピルアミン、ジイソプロピルアミン、ジ−ｎ−ブチルアミン、ジイソブチルアミン、ジ−ｓｅｃ−ブチルアミン、ジ−ｔｅｒｔ−ブチルアミン、ジ−ｎ−ペンチルアミン、ジ−ｎ−ヘキシルアミン、ジシクロヘキシルアミン、ジ−ｎ−オクチルアミン、ジアリルアミン、Ｎ−メチルアニリン、Ｎ−エチルアニリン、Ｎ−イソプロピルアニリン、Ｎ−ｔｅｒｔ−ブチルアニリン、Ｎ−シクロヘキシルアニリン、ジフェニルアミン、ジベンジルアミン、ジ−ｐ−トリルアミン等が挙げられる。第三級アミンとしては、例えばエチルジメチルアミン、ジエチルメチルアミン、トリエチルアミン、エチルジイソプロピルアミン、トリ−ｎ−プロピルアミン、トリイソプロピルアミン、トリ−ｎ−ブチルアミン、トリイソブチルアミン、トリ−ｓｅｃ−ブチルアミン、トリ−ｔｅｒｔ−ブチルアミン、トリ−ｎ−ペンチルアミン、トリ−ｎ−ヘキシルアミン、シクロヘキシルジメチルアミン、トリ−ｎ−オクチルアミン、トリアリルアミン、ジメチルアニリン、トリフェニルアミン、トリベンジルアミン、トリ−ｐ−トリルアミン、トロパン、キナクリジン、１−メチルピロール、１−フェニルピロール、１，２，５−トリメチルピロール、１−メチルピペリジン、９−メチルカルバゾール、９−フェニルカルバゾール等の第３級アミン類、ピリジン、２−ピコリン、３−ピコリン、４−ピコリン、２−エチルピリジン、３−エチルピリジン、４−エチルピリジン、２−フェニルピリジン、３−フェニルピリジン、４−フェニルピリジン、２,３−ルチジン、２,４−ルチジン、２,５−ルチジン、２,６−ルチジン、３，４−ルチジン、３，５−ルチジン、２,６−ジフェニルピリジン、２，４，６−コリジン、キノリン、イソキノリン等のピリジン類等が挙げられ、好ましくはピリジン類であり、より好ましくはピリジン、２，６−ルチジンである。
【００１１】
本発明に用いられるカルボン酸アルカリ金属塩とは、例えば酢酸ナトリウム、プロピオン酸ナトリウム、ｎ−酪酸ナトリウム、イソ酪酸ナトリウム、ｎ−吉草酸ナトリウム、イソ吉草酸ナトリウム、ピバル酸ナトリウム、ミリスチン酸ナトリウム等の脂肪族モノカルボン酸ナトリウム；安息香酸ナトリウム、ｏ−トルイル酸ナトリウム、ｍ−トルイル酸ナトリウム、ｐ−トルイル酸ナトリウム、２−エチル安息香酸ナトリウム、３−エチル安息香酸ナトリウム、４−エチル安息香酸ナトリウム、２，３−ジメチル安息香酸ナトリウム、２，４−ジメチル安息香酸ナトリウム、２，５−ジメチル安息香酸ナトリウム、２，６−ジメチル安息香酸ナトリウム、３，４−ジメチル安息香酸ナトリウム、３，５−ジメチル安息香酸ナトリウム等の芳香族カルボン酸ナトリウム；シクロヘキサンジカルボン酸ナトリウム、マレイン酸ナトリウム、コハク酸ナトリウム、エンディック酸ナトリウム等の脂肪族ジカルボン酸ナトリウム；フタル酸ナトリウム、３−ヒドロキシフタル酸ナトリウム、ヘキサヒドロフタル酸ナトリウム、２，３−ナフタレンジカルボン酸ナトリウム、ナフタル酸ナトリウム等の芳香族ジカルボン酸ナトリウム等やこれらのナトリウムをリチウム、カリウム、ルビジウムに変更した化合物が挙げられる。好ましくは脂肪族モノカルボン酸ナトリウムや芳香族モノカルボン酸ナトリウムであり、より好ましくは酢酸ナトリウム、プロピオン酸ナトリウム、ｎ−酪酸ナトリウムまたは安息香酸ナトリウムであり、特に好ましくは酢酸ナトリウムである。
【００１２】
本発明に用いられるカルボン酸アルカリ土類金属塩とは、例えば酢酸マグネシウム、プロピオン酸マグネシウム、ｎ−酪酸マグネシウム、イソ酪酸マグネシウム、ｎ−吉草酸マグネシウム、イソ吉草酸マグネシウム、ピバル酸マグネシウム、ミリスチン酸マグネシウム等の脂肪族モノカルボン酸マグネシウム；安息香酸マグネシウム、ｏ−トルイル酸マグネシウム、ｍ−トルイル酸マグネシウム、ｐ−トルイル酸マグネシウム、２−エチル安息香酸マグネシウム、３−エチル安息香酸マグネシウム、４−エチル安息香酸マグネシウム、２，３−ジメチル安息香酸マグネシウム、２，４−ジメチル安息香酸マグネシウム、２，５−ジメチル安息香酸マグネシウム、２，６−ジメチル安息香酸マグネシウム、３，４−ジメチル安息香酸マグネシウム、３，５−ジメチル安息香酸マグネシウム等の芳香族カルボン酸マグネシウム；シクロヘキサンジカルボン酸マグネシウム、マレイン酸マグネシウム、コハク酸マグネシウム、エンディック酸マグネシウム等の脂肪族ジカルボン酸マグネシウム；フタル酸マグネシウム、３−ヒドロキシフタル酸マグネシウム、ヘキサヒドロフタル酸マグネシウム、２，３−ナフタレンジカルボン酸マグネシウム、ナフタル酸マグネシウム等の芳香族ジカルボン酸マグネシウム等やこれらのマグネシウムをカルシウム、ストロンチウム、バリウムに変更した化合物が挙げられる。好ましくは脂肪族モノカルボン酸マグネシウムや芳香族モノカルボン酸マグネシウムであり、より好ましくは酢酸マグネシウム、プロピオン酸マグネシウム、ｎ−酪酸マグネシウムまたは安息香酸マグネシウムであり、特に好ましくは酢酸マグネシウムである。
【００１３】
本発明に用いられるアルカリ金属水酸化物およびアルカリ土類金属水酸化物とは、例えば水酸化リチウム、水酸化ナトリウム、水酸化カリウム、水酸化ルビジウム、水酸化ベリリウム、水酸化マグネシウム、水酸化カルシウム、水酸化ストロンチウム、水酸化バリウム等が挙げられ、好ましくは水酸化ナトリウム、水酸化カリウムまたは水酸化マグネシウムであり、より好ましくは水酸化ナトリウム、水酸化マグネシウムである。
【００１４】
本発明に用いられる遷移金属化合物は、下式［１］で表される遷移金属化合物である。
【化２】
0005334424.tif 000003
（ただし、上式［１］において、Ｅは２つの窒素原子を架橋する架橋基を表し、Ｒ１〜Ｒ５はそれぞれ独立に、水素原子、ハロゲン原子、アルキル基、アラルキル基、アリール基、置換シリル基、アルコキシ基、アラルキルオキシ基、アリールオキシ基、２置換アミノ基、アジド基またはシアノ基を表し、Ｘは水酸基、ハロゲン原子、アルコキシ基、アラルキルオキシ基、アリールオキシ基、アシルオキシ基、２置換アミノ基、アジド基またはシアノ基を表す。）
【００１５】
本発明に用いられる遷移金属化合物のＲ１〜Ｒ５は、それぞれ独立に、水素原子、ハロゲン原子、アルキル基、アラルキル基、アリール基、置換シリル基、アルコキシ基、アラルキルオキシ基、アリールオキシ基、２置換アミノ基、アジド基またはシアノ基を表し、Ｘは水酸基、ハロゲン原子、アルコキシ基、アラルキルオキシ基、アリールオキシ基、２置換アミノ基、アジド基またはシアノ基である。
【００１６】
本発明に用いられる遷移金属化合物のＸは、水酸基、ハロゲン原子、アルコキシ基、アラルキルオキシ基、アリールオキシ基、アシルオキシ基、２置換アミノ基、アジド基またはシアノ基である。
【００１７】
本発明に用いられる遷移金属化合物のＲ１〜Ｒ５及びＸにおけるハロゲン原子としては、例えば、フッ素原子、塩素原子、臭素原子、ヨウ素原子等が挙げられる。
【００１８】
本発明に用いられる遷移金属化合物のＲ１〜Ｒ５におけるアルキル基としては、炭素原子数１〜２０のアルキル基が好ましく、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、イソアミル基、ｎ−ヘキシル基、ｎ−オクチル基、ｎ−デシル基、ｎ−ドデシル基、ｎ−ペンタデシル基、ｎ−エイコシル基等が挙げられ、より好ましくはメチル基、エチル基、イソプロピル基、ｔｅｒｔ−ブチル基、ネオペンチル基またはイソアミル基である。
【００１９】
これらのアルキル基はいずれも、フッ素原子、塩素原子、臭素原子、ヨウ素原子等のハロゲン原子で置換されていてもよい。ハロゲン原子で置換された炭素原子数１〜２０のアルキル基としては、例えばフルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、ジフルオロエチル基、トリフルオロエチル基、テトラフルオロエチル基、ペンタフルオロエチル基、クロロエチル基、ジクロロエチル基、トリクロロエチル基、テトラクロロエチル基、ペンタクロロエチル基、ブロモエチル基、ジブロモエチル基、トリブロモエチル基、テトラブロモエチル基、ペンタブロモエチル基、パーフルオロプロピル基、パーフルオロブチル基、パーフルオロペンチル基、パーフルオロヘキシル基、パーフルオロオクチル基、パーフルオロドデシル基、パーフルオロペンタデシル基、パーフルオロエイコシル基、パークロロプロピル基、パークロロブチル基、パークロロペンチル基、パークロロヘキシル基、パークロロクチル基、パークロロドデシル基、パークロロペンタデシル基、パークロロエイコシル基、パーブロモプロピル基、パーブロモブチル基、パーブロモペンチル基、パーブロモヘキシル基、パーブロモオクチル基、パーブロモドデシル基、パーブロモペンタデシル基、パーブロモエイコシル基等が挙げられる。
またこれらのアルキル基はいずれも、メトキシ基、エトキシ基等のアルコキシ基、フェノキシ基等のアリールオキシ基またはベンジルオキシ基等のアラルキルオキシ基等で一部が置換されていてもよい。
【００２０】
本発明に用いられる遷移金属化合物のＲ１〜Ｒ５におけるアラルキル基としては、炭素原子数７〜２０のアラルキル基が好ましく、例えばベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（３，５−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−テトラデシルフェニル）メチル基、ナフチルメチル基、アントラセニルメチル基等が挙げられ、より好ましくはベンジル基である。
これらのアラルキル基はいずれも、フッ素原子、塩素原子、臭素原子、ヨウ素原子等のハロゲン原子、メトキシ基、エトキシ基等のアルコキシ基、フェノキシ基等のアリールオキシ基またはベンジルオキシ基等のアラルキルオキシ基等で一部が置換されていてもよい。
【００２１】
本発明に用いられる遷移金属化合物のＲ１〜Ｒ５におけるアリール基としては、炭素原子数６〜２０のアリール基が好ましく、例えばフェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基等が挙げられ、より好ましくはフェニル基である。
これらのアリール基はいずれも、フッ素原子、塩素原子、臭素原子、ヨウ素原子等のハロゲン原子、メトキシ基、エトキシ基等のアルコキシ基、フェノキシ基等のアリールオキシ基またはベンジルオキシ基等のアラルキルオキシ基等で一部が置換されていてもよい。
【００２２】
本発明に用いられる遷移金属化合物のＲ１〜Ｒ５における置換シリル基とは炭化水素基で置換されたシリル基であって、ここで炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基等の炭素原子数１〜１０のアルキル基、フェニル基等のアリール基等が挙げられる。かかる炭素原子数１〜２０の置換シリル基としては、例えばメチルシリル基、エチルシリル基、フェニルシリル基等の炭素原子数１〜２０の１置換シリル基、ジメチルシリル基、ジエチルシリル基、ジフェニルシリル基等の炭素原子数２〜２０の２置換シリル基、トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、トリフェニルシリル基等の炭素原子数３〜２０の３置換シリル基等が挙げられ、好ましくはトリメチルシリル基、ｔｅｒｔ−ブチルジメチルシリル基、またはトリフェニルシリル基である。
これらの置換シリル基はいずれもその炭化水素基が、フッ素原子、塩素原子、臭素原子、ヨウ素原子等のハロゲン原子、メトキシ基、エトキシ基等のアルコキシ基、フェノキシ基等のアリールオキシ基またはベンジルオキシ基等のアラルキルオキシ基等で一部が置換されていてもよい。
【００２３】
本発明に用いられる遷移金属化合物のＲ１〜Ｒ５及びＸにおけるアルコキシ基としては、炭素原子数１〜２０のアルコキシ基が好ましく、例えばメトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペントキシ基、ネオペントキシ基、ｎ−ヘキソキシ基、ｎ−オクトキシ基、ｎ−ドデソキシ基、ｎ−ペンタデソキシ基、ｎ−イコソキシ基等が挙げられ、好ましくはメトキシ基、エトキシ基、イソプロポキシ基、ｔｅｒｔ−ブトキシ基である。
これらのアルコキシ基はいずれもフッ素原子、塩素原子、臭素原子、ヨウ素原子等のハロゲン原子、メトキシ基、エトキシ基等のアルコキシ基、フェノキシ基等のアリールオキシ基またはアラルキルオキシ基等で一部が置換されていてもよい。
【００２４】
本発明に用いられる遷移金属化合物の１〜Ｒ５及びＸにおけるアラルキルオキシ基としては、炭素原子数７〜２０のアラルキルオキシ基が好ましく、例えばベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、アントラセニルメトキシ基等が挙げられ、好ましくはベンジルオキシ基である。
これらのアラルキルオキシ基はいずれもフッ素原子、塩素原子、臭素原子、ヨウ素原子等のハロゲン原子、メトキシ基、エトキシ基等のアルコキシ基、フェノキシ基等のアリールオキシ基またはアラルキルオキシ基等で一部が置換されていてもよい。
【００２５】
本発明に用いられる遷移金属化合物のＲ１〜Ｒ５及びＸにおけるアリールオキシ基としては、炭素原子数６〜２０のアリールオキシ基が好ましく、例えばフェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基等のアリールオキシ基等が挙げられる。
これらのアリールオキシ基はいずれもフッ素原子、塩素原子、臭素原子、ヨウ素原子等のハロゲン原子、メトキシ基、エトキシ基等のアルコキシ基、フェノキシ基等のアリールオキシ基またはアラルキルオキシ基等で一部が置換されていてもよい。
【００２６】
本発明に用いられる遷移金属化合物のＸにおけるアシルオキシ基としては、例えばアセトキシ基、エチルカルボニルオキシ基、ｎ−プロピルカルボニルオキシ基、イソプロピルカルボニルオキシ基、ｎ−ブチルカルボニルオキシ基、ｓｅｃ−ブチルカルボニルオキシ基、イソブチルカルボニルオキシ基、ｔｅｒｔ−ブチルカルボニルオキシ基、トリフルオロアセトキシ基、ベンゾイルオキシ基などが挙げられる。
【００２７】
本発明に用いられる遷移金属化合物のＲ１〜Ｒ５及びＸにおける２置換アミノ基とは２つの炭化水素基で置換されたアミノ基であって、ここで炭化水素基としては、例えばメチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基等のアルキル基、フェニル基等のアリール基等が挙げられる。かかる２置換アミノ基としては、例えばジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、ｔｅｒｔ−ブチルイソプロピルアミノ基、ジ−ｎ−ヘキシルアミノ基、ジ−ｎ−オクチルアミノ基、ジ−ｎ−デシルアミノ基、ジフェニルアミノ基、ビストリメチルシリルアミノ基、ビス−ｔｅｒｔ−ブチルジメチルシリルアミノ基等が挙げられ、好ましくはジメチルアミノ基、ジエチルアミノ基である。
【００２８】
本発明に用いられる遷移金属化合物におけるＥは２つの窒素原子を架橋する架橋基を表し、メチレン基、１，２−エタンジイル基、１，３−プロパンジイル基等の鎖上アルカンジイル基や１，２−シクロペンタンジイル基、１，３−シクロペンタンジイル基、１，２−シクロヘキサンジイル基、１，３−シクロヘキサンジイル基、１，４−シクロヘキサンジイル基、１，２−ノルボルナンジイル基等の環状アルカンジイル基、１，２−ベンゼンジイル基、１，３−ベンゼンジイル基、１，４−ベンゼンジイル基、２，３−ナフタレンジイル基、１，８−ナフタレンジイル基等の芳香族ジイル基等が挙げられ、好ましくは１，２−エタンジイル基、１，２−シクロヘキサンジイル基、１，２−ベンゼンジイル基、２，３−ナフタレンジイル基、１，８−ナフタレンジイル基であり、より好ましくは１，２−シクロヘキサンジイル基、１，２−ベンゼンジイル基である。
【００２９】
式［１］で表される化合物の具体例としては、［Ｎ，Ｎ’−ビス（サリチリデン）メタンジアミン］コバルトアセテート、［Ｎ，Ｎ’−ビス（サリチリデン）−１，２−エタンジアミン］コバルトアセテート、［Ｎ，Ｎ’−ビス（サリチリデン）−１，３−プロパンジアミン］コバルトアセテート、［Ｎ，Ｎ’−ビス（サリチリデン）−１，２−シクロペンタンジアミン］コバルトアセテート、［Ｎ，Ｎ’−ビス（サリチリデン）−１，３−シクロペンタンジアミン］コバルトアセテート、［Ｎ，Ｎ’−ビス（サリチリデン）−１，２−シクロヘキサンジアミン］コバルトアセテート、［Ｎ，Ｎ’−ビス（サリチリデン）−１，３−シクロヘキサンジアミン］コバルトアセテート、［Ｎ，Ｎ’−ビス（サリチリデン）−１，４−シクロヘキサンジアミン］コバルトアセテート、［Ｎ，Ｎ’−ビス（サリチリデン）−１，２−ノルボルナンジアミン］コバルトアセテート、［Ｎ，Ｎ’−ビス（サリチリデン）−１，２−ベンゼンジアミン］コバルトアセテート、［Ｎ，Ｎ’−ビス（サリチリデン）−１，３−ベンゼンジアミン］コバルトアセテート、［Ｎ，Ｎ’−ビス（サリチリデン）−１，４−ベンゼンジアミン］コバルトアセテート、［Ｎ，Ｎ’−ビス（サリチリデン）−４−メトキシ−１，２−ベンゼンジアミン］コバルトアセテート、［Ｎ，Ｎ’−ビス（サリチリデン）−２，３−ナフタレンジアミン］コバルトアセテート、［Ｎ，Ｎ’−ビス（サリチリデン）−１，８−ナフタレンジアミン］コバルトアセテート、
【００３０】
［Ｎ，Ｎ’−ビス（５−メチルサリチリデン）メタンジアミン］コバルトアセテート、［Ｎ，Ｎ’−ビス（５−メチルサリチリデン）−１，２−エタンジアミン］コバルトアセテート、［Ｎ，Ｎ’−ビス（５−メチルサリチリデン）−１，３−プロパンジアミン］コバルトアセテート、［Ｎ，Ｎ’−ビス（５−メチルサリチリデン）−１，２−シクロペンタンジアミン］コバルトアセテート、［Ｎ，Ｎ’−ビス（５−メチルサリチリデン）−１，３−シクロペンタンジアミン］コバルトアセテート、［Ｎ，Ｎ’−ビス（５−メチルサリチリデン）−１，２−シクロヘキサンジアミン］コバルトアセテート、［Ｎ，Ｎ’−ビス（５−メチルサリチリデン）−１，３−シクロヘキサンジアミン］コバルトアセテート、［Ｎ，Ｎ’−ビス（５−メチルサリチリデン）−１，４−シクロヘキサンジアミン］コバルトアセテート、［Ｎ，Ｎ’−ビス（５−メチルサリチリデン）−１，２−ノルボルナンジアミン］コバルトアセテート、［Ｎ，Ｎ’−ビス（５−メチルサリチリデン）−１，２−ベンゼンジアミン］コバルトアセテート、［Ｎ，Ｎ’−ビス（５−メチルサリチリデン）−１，３−ベンゼンジアミン］コバルトアセテート、［Ｎ，Ｎ’−ビス（５−メチルサリチリデン）−１，４−ベンゼンジアミン］コバルトアセテート、［Ｎ，Ｎ’−ビス（５−メチルサリチリデン）−４−メトキシ−１，２−ベンゼンジアミン］コバルトアセテート、［Ｎ，Ｎ’−ビス（５−メチルサリチリデン）−２，３−ナフタレンジアミン］コバルトアセテート、［Ｎ，Ｎ’−ビス（５−メチルサリチリデン）−１，８−ナフタレンジアミン］コバルトアセテート、
【００３１】
［Ｎ，Ｎ’−ビス（５−エチルサリチリデン）メタンジアミン］コバルトアセテート、［Ｎ，Ｎ’−ビス（５−エチルサリチリデン）−１，２−エタンジアミン］コバルトアセテート、［Ｎ，Ｎ’−ビス（５−エチルサリチリデン）−１，３−プロパンジアミン］コバルトアセテート、［Ｎ，Ｎ’−ビス（５−エチルサリチリデン）−１，２−シクロペンタンジアミン］コバルトアセテート、［Ｎ，Ｎ’−ビス（５−エチルサリチリデン）−１，３−シクロペンタンジアミン］コバルトアセテート、［Ｎ，Ｎ’−ビス（５−エチルサリチリデン）−１，２−シクロヘキサンジアミン］コバルトアセテート、［Ｎ，Ｎ’−ビス（５−エチルサリチリデン）−１，３−シクロヘキサンジアミン］コバルトアセテート、［Ｎ，Ｎ’−ビス（５−エチルサリチリデン）−１，４−シクロヘキサンジアミン］コバルトアセテート、［Ｎ，Ｎ’−ビス（５−エチルサリチリデン）−１，２−ノルボルナンジアミン］コバルトアセテート、［Ｎ，Ｎ’−ビス（５−エチルサリチリデン）−１，２−ベンゼンジアミン］コバルトアセテート、［Ｎ，Ｎ’−ビス（５−エチルサリチリデン）−１，３−ベンゼンジアミン］コバルトアセテート、［Ｎ，Ｎ’−ビス（５−エチルサリチリデン）−１，４−ベンゼンジアミン］コバルトアセテート、［Ｎ，Ｎ’−ビス（５−エチルサリチリデン）−４−メトキシ−１，２−ベンゼンジアミン］コバルトアセテート、［Ｎ，Ｎ’−ビス（５−エチルサリチリデン）−２，３−ナフタレンジアミン］コバルトアセテート、［Ｎ，Ｎ’−ビス（５−エチルサリチリデン）−１，８−ナフタレンジアミン］コバルトアセテート、
【００３２】
［Ｎ，Ｎ’−ビス（５−ｎ−プロピルサリチリデン）メタンジアミン］コバルトアセテート、［Ｎ，Ｎ’−ビス（５−ｎ−プロピルサリチリデン）−１，２−エタンジアミン］コバルトアセテート、［Ｎ，Ｎ’−ビス（５−ｎ−プロピルサリチリデン）−１，３−プロパンジアミン］コバルトアセテート、［Ｎ，Ｎ’−ビス（５−ｎ−プロピルサリチリデン）−１，２−シクロペンタンジアミン］コバルトアセテート、［Ｎ，Ｎ’−ビス（５−ｎ−プロピルサリチリデン）−１，３−シクロペンタンジアミン］コバルトアセテート、［Ｎ，Ｎ’−ビス（５−ｎ−プロピルサリチリデン）−１，２−シクロヘキサンジアミン］コバルトアセテート、［Ｎ，Ｎ’−ビス（５−ｎ−プロピルサリチリデン）−１，３−シクロヘキサンジアミン］コバルトアセテート、［Ｎ，Ｎ’−ビス（５−ｎ−プロピルサリチリデン）−１，４−シクロヘキサンジアミン］コバルトアセテート、［Ｎ，Ｎ’−ビス（５−ｎ−プロピルサリチリデン）−１，２−ノルボルナンジアミン］コバルトアセテート、［Ｎ，Ｎ’−ビス（５−ｎ−プロピルサリチリデン）−１，２−ベンゼンジアミン］コバルトアセテート、［Ｎ，Ｎ’−ビス（５−ｎ−プロピルサリチリデン）−１，３−ベンゼンジアミン］コバルトアセテート、［Ｎ，Ｎ’−ビス（５−ｎ−プロピルサリチリデン）−１，４−ベンゼンジアミン］コバルトアセテート、［Ｎ，Ｎ’−ビス（５−ｎ−プロピルサリチリデン）−４−メトキシ−１，２−ベンゼンジアミン］コバルトアセテート、［Ｎ，Ｎ’−ビス（５−ｎ−プロピルサリチリデン）−２，３−ナフタレンジアミン］コバルトアセテート、［Ｎ，Ｎ’−ビス（５−ｎ−プロピルサリチリデン）−１，８−ナフタレンジアミン］コバルトアセテート、
【００３３】
［Ｎ，Ｎ’−ビス（５−イソプロピルサリチリデン）メタンジアミン］コバルトアセテート、［Ｎ，Ｎ’−ビス（５−イソプロピルサリチリデン）−１，２−エタンジアミン］コバルトアセテート、［Ｎ，Ｎ’−ビス（５−イソプロピルサリチリデン）−１，３−プロパンジアミン］コバルトアセテート、［Ｎ，Ｎ’−ビス（５−イソプロピルサリチリデン）−１，２−シクロペンタンジアミン］コバルトアセテート、［Ｎ，Ｎ’−ビス（５−イソプロピルサリチリデン）−１，３−シクロペンタンジアミン］コバルトアセテート、［Ｎ，Ｎ’−ビス（５−イソプロピルサリチリデン）−１，２−シクロヘキサンジアミン］コバルトアセテート、［Ｎ，Ｎ’−ビス（５−イソプロピルサリチリデン）−１，３−シクロヘキサンジアミン］コバルトアセテート、［Ｎ，Ｎ’−ビス（５−イソプロピルサリチリデン）−１，４−シクロヘキサンジアミン］コバルトアセテート、［Ｎ，Ｎ’−ビス（５−イソプロピルサリチリデン）−１，２−ノルボルナンジアミン］コバルトアセテート、［Ｎ，Ｎ’−ビス（５−イソプロピルサリチリデン）−１，２−ベンゼンジアミン］コバルトアセテート、［Ｎ，Ｎ’−ビス（５−イソプロピルサリチリデン）−１，３−ベンゼンジアミン］コバルトアセテート、［Ｎ，Ｎ’−ビス（５−イソプロピルサリチリデン）−１，４−ベンゼンジアミン］コバルトアセテート、［Ｎ，Ｎ’−ビス（５−イソプロピルサリチリデン）−４−メトキシ−１，２−ベンゼンジアミン］コバルトアセテート、［Ｎ，Ｎ’−ビス（５−イソプロピルサリチリデン）−２，３−ナフタレンジアミン］コバルトアセテート、［Ｎ，Ｎ’−ビス（５−イソプロピルサリチリデン）−１，８−ナフタレンジアミン］コバルトアセテート、
【００３４】
［Ｎ，Ｎ’−ビス（５−ｎ−ブチルサリチリデン）メタンジアミン］コバルトアセテート、［Ｎ，Ｎ’−ビス（５−ｎ−ブチルサリチリデン）−１，２−エタンジアミン］コバルトアセテート、［Ｎ，Ｎ’−ビス（５−ｎ−ブチルサリチリデン）−１，３−プロパンジアミン］コバルトアセテート、［Ｎ，Ｎ’−ビス（５−ｎ−ブチルサリチリデン）−１，２−シクロペンタンジアミン］コバルトアセテート、［Ｎ，Ｎ’−ビス（５−ｎ−ブチルサリチリデン）−１，３−シクロペンタンジアミン］コバルトアセテート、［Ｎ，Ｎ’−ビス（５−ｎ−ブチルサリチリデン）−１，２−シクロヘキサンジアミン］コバルトアセテート、［Ｎ，Ｎ’−ビス（５−ｎ−ブチルサリチリデン）−１，３−シクロヘキサンジアミン］コバルトアセテート、［Ｎ，Ｎ’−ビス（５−ｎ−ブチルサリチリデン）−１，４−シクロヘキサンジアミン］コバルトアセテート、［Ｎ，Ｎ’−ビス（５−ｎ−ブチルサリチリデン）−１，２−ノルボルナンジアミン］コバルトアセテート、［Ｎ，Ｎ’−ビス（５−ｎ−ブチルサリチリデン）−１，２−ベンゼンジアミン］コバルトアセテート、［Ｎ，Ｎ’−ビス（５−ｎ−ブチルサリチリデン）−１，３−ベンゼンジアミン］コバルトアセテート、［Ｎ，Ｎ’−ビス（５−ｎ−ブチルサリチリデン）−１，４−ベンゼンジアミン］コバルトアセテート、［Ｎ，Ｎ’−ビス（５−ｎ−ブチルサリチリデン）−４−メトキシ−１，２−ベンゼンジアミン］コバルトアセテート、［Ｎ，Ｎ’−ビス（５−ｎ−ブチルサリチリデン）−２，３−ナフタレンジアミン］コバルトアセテート、［Ｎ，Ｎ’−ビス（５−ｎ−ブチルサリチリデン）−１，８−ナフタレンジアミン］コバルトアセテート、
【００３５】
［Ｎ，Ｎ’−ビス（５−イソブチルサリチリデン）メタンジアミン］コバルトアセテート、［Ｎ，Ｎ’−ビス（５−イソブチルサリチリデン）−１，２−エタンジアミン］コバルトアセテート、［Ｎ，Ｎ’−ビス（５−イソブチルサリチリデン）−１，３−プロパンジアミン］コバルトアセテート、［Ｎ，Ｎ’−ビス（５−イソブチルサリチリデン）−１，２−シクロペンタンジアミン］コバルトアセテート、［Ｎ，Ｎ’−ビス（５−イソブチルサリチリデン）−１，３−シクロペンタンジアミン］コバルトアセテート、［Ｎ，Ｎ’−ビス（５−イソブチルサリチリデン）−１，２−シクロヘキサンジアミン］コバルトアセテート、［Ｎ，Ｎ’−ビス（５−イソブチルサリチリデン）−１，３−シクロヘキサンジアミン］コバルトアセテート、［Ｎ，Ｎ’−ビス（５−イソブチルサリチリデン）−１，４−シクロヘキサンジアミン］コバルトアセテート、［Ｎ，Ｎ’−ビス（５−イソブチルサリチリデン）−１，２−ノルボルナンジアミン］コバルトアセテート、［Ｎ，Ｎ’−ビス（５−イソブチルサリチリデン）−１，２−ベンゼンジアミン］コバルトアセテート、［Ｎ，Ｎ’−ビス（５−イソブチルサリチリデン）−１，３−ベンゼンジアミン］コバルトアセテート、［Ｎ，Ｎ’−ビス（５−イソブチルサリチリデン）−１，４−ベンゼンジアミン］コバルトアセテート、［Ｎ，Ｎ’−ビス（５−イソブチルサリチリデン）−４−メトキシ−１，２−ベンゼンジアミン］コバルトアセテート、［Ｎ，Ｎ’−ビス（５−イソブチルサリチリデン）−２，３−ナフタレンジアミン］コバルトアセテート、［Ｎ，Ｎ’−ビス（５−イソブチルサリチリデン）−１，８−ナフタレンジアミン］コバルトアセテート、
【００３６】
［Ｎ，Ｎ’−ビス（５−ｓｅｃ−ブチルサリチリデン）メタンジアミン］コバルトアセテート、［Ｎ，Ｎ’−ビス（５−ｓｅｃ−ブチルサリチリデン）−１，２−エタンジアミン］コバルトアセテート、［Ｎ，Ｎ’−ビス（５−ｓｅｃ−ブチルサリチリデン）−１，３−プロパンジアミン］コバルトアセテート、［Ｎ，Ｎ’−ビス（５−ｓｅｃ−ブチルサリチリデン）−１，２−シクロペンタンジアミン］コバルトアセテート、［Ｎ，Ｎ’−ビス（５−ｓｅｃ−ブチルサリチリデン）−１，３−シクロペンタンジアミン］コバルトアセテート、［Ｎ，Ｎ’−ビス（５−ｓｅｃ−ブチルサリチリデン）−１，２−シクロヘキサンジアミン］コバルトアセテート、［Ｎ，Ｎ’−ビス（５−ｓｅｃ−ブチルサリチリデン）−１，３−シクロヘキサンジアミン］コバルトアセテート、［Ｎ，Ｎ’−ビス（５−ｓｅｃ−ブチルサリチリデン）−１，４−シクロヘキサンジアミン］コバルトアセテート、［Ｎ，Ｎ’−ビス（５−ｓｅｃ−ブチルサリチリデン）−１，２−ノルボルナンジアミン］コバルトアセテート、［Ｎ，Ｎ’−ビス（５−ｓｅｃ−ブチルサリチリデン）−１，２−ベンゼンジアミン］コバルトアセテート、［Ｎ，Ｎ’−ビス（５−ｓｅｃ−ブチルサリチリデン）−１，３−ベンゼンジアミン］コバルトアセテート、［Ｎ，Ｎ’−ビス（５−ｓｅｃ−ブチルサリチリデン）−１，４−ベンゼンジアミン］コバルトアセテート、［Ｎ，Ｎ’−ビス（５−ｓｅｃ−ブチルサリチリデン）−４−メトキシ−１，２−ベンゼンジアミン］コバルトアセテート、［Ｎ，Ｎ’−ビス（５−ｓｅｃ−ブチルサリチリデン）−２，３−ナフタレンジアミン］コバルトアセテート、［Ｎ，Ｎ’−ビス（５−ｓｅｃ−ブチルサリチリデン）−１，８−ナフタレンジアミン］コバルトアセテート、
【００３７】
［Ｎ，Ｎ’−ビス（５−ｔｅｒｔ−ブチルサリチリデン）メタンジアミン］コバルトアセテート、［Ｎ，Ｎ’−ビス（５−ｔｅｒｔ−ブチルサリチリデン）−１，２−エタンジアミン］コバルトアセテート、［Ｎ，Ｎ’−ビス（５−ｔｅｒｔ−ブチルサリチリデン）−１，３−プロパンジアミン］コバルトアセテート、［Ｎ，Ｎ’−ビス（５−ｔｅｒｔ−ブチルサリチリデン）−１，２−シクロペンタンジアミン］コバルトアセテート、［Ｎ，Ｎ’−ビス（５−ｔｅｒｔ−ブチルサリチリデン）−１，３−シクロペンタンジアミン］コバルトアセテート、［Ｎ，Ｎ’−ビス（５−ｔｅｒｔ−ブチルサリチリデン）−１，２−シクロヘキサンジアミン］コバルトアセテート、［Ｎ，Ｎ’−ビス（５−ｔｅｒｔ−ブチルサリチリデン）−１，３−シクロヘキサンジアミン］コバルトアセテート、［Ｎ，Ｎ’−ビス（５−ｔｅｒｔ−ブチルサリチリデン）−１，４−シクロヘキサンジアミン］コバルトアセテート、［Ｎ，Ｎ’−ビス（５−ｔｅｒｔ−ブチルサリチリデン）−１，２−ノルボルナンジアミン］コバルトアセテート、［Ｎ，Ｎ’−ビス（５−ｔｅｒｔ−ブチルサリチリデン）−１，２−ベンゼンジアミン］コバルトアセテート、［Ｎ，Ｎ’−ビス（５−ｔｅｒｔ−ブチルサリチリデン）−１，３−ベンゼンジアミン］コバルトアセテート、［Ｎ，Ｎ’−ビス（５−ｔｅｒｔ−ブチルサリチリデン）−１，４−ベンゼンジアミン］コバルトアセテート、［Ｎ，Ｎ’−ビス（５−ｔｅｒｔ−ブチルサリチリデン）−４−メトキシ−１，２−ベンゼンジアミン］コバルトアセテート、［Ｎ，Ｎ’−ビス（５−ｔｅｒｔ−ブチルサリチリデン）−２，３−ナフタレンジアミン］コバルトアセテート、［Ｎ，Ｎ’−ビス（５−ｔｅｒｔ−ブチルサリチリデン）−１，８−ナフタレンジアミン］コバルトアセテート、
【００３８】
［Ｎ，Ｎ’−ビス（５−ネオペンチルサリチリデン）メタンジアミン］コバルトアセテート、［Ｎ，Ｎ’−ビス（５−ネオペンチルサリチリデン）−１，２−エタンジアミン］コバルトアセテート、［Ｎ，Ｎ’−ビス（５−ネオペンチルサリチリデン）−１，３−プロパンジアミン］コバルトアセテート、［Ｎ，Ｎ’−ビス（５−ネオペンチルサリチリデン）−１，２−シクロペンタンジアミン］コバルトアセテート、［Ｎ，Ｎ’−ビス（５−ネオペンチルサリチリデン）−１，３−シクロペンタンジアミン］コバルトアセテート、［Ｎ，Ｎ’−ビス（５−ネオペンチルサリチリデン）−１，２−シクロヘキサンジアミン］コバルトアセテート、［Ｎ，Ｎ’−ビス（５−ネオペンチルサリチリデン）−１，３−シクロヘキサンジアミン］コバルトアセテート、［Ｎ，Ｎ’−ビス（５−ネオペンチルサリチリデン）−１，４−シクロヘキサンジアミン］コバルトアセテート、［Ｎ，Ｎ’−ビス（５−ネオペンチルサリチリデン）−１，２−ノルボルナンジアミン］コバルトアセテート、［Ｎ，Ｎ’−ビス（５−ネオペンチルサリチリデン）−１，２−ベンゼンジアミン］コバルトアセテート、［Ｎ，Ｎ’−ビス（５−ネオペンチルサリチリデン）−１，３−ベンゼンジアミン］コバルトアセテート、［Ｎ，Ｎ’−ビス（５−ネオペンチルサリチリデン）−１，４−ベンゼンジアミン］コバルトアセテート、［Ｎ，Ｎ’−ビス（５−ネオペンチルサリチリデン）−４−メトキシ−１，２−ベンゼンジアミン］コバルトアセテート、［Ｎ，Ｎ’−ビス（５−ネオペンチルサリチリデン）−２，３−ナフタレンジアミン］コバルトアセテート、［Ｎ，Ｎ’−ビス（５−ネオペンチルサリチリデン）−１，８−ナフタレンジアミン］コバルトアセテート、
【００３９】
［Ｎ，Ｎ’−ビス（５−イソアミルサリチリデン）メタンジアミン］コバルトアセテート、［Ｎ，Ｎ’−ビス（５−イソアミルサリチリデン）−１，２−エタンジアミン］コバルトアセテート、［Ｎ，Ｎ’−ビス（５−イソアミルサリチリデン）−１，３−プロパンジアミン］コバルトアセテート、［Ｎ，Ｎ’−ビス（５−イソアミルサリチリデン）−１，２−シクロペンタンジアミン］コバルトアセテート、［Ｎ，Ｎ’−ビス（５−イソアミルサリチリデン）−１，３−シクロペンタンジアミン］コバルトアセテート、［Ｎ，Ｎ’−ビス（５−イソアミルサリチリデン）−１，２−シクロヘキサンジアミン］コバルトアセテート、［Ｎ，Ｎ’−ビス（５−イソアミルサリチリデン）−１，３−シクロヘキサンジアミン］コバルトアセテート、［Ｎ，Ｎ’−ビス（５−イソアミルサリチリデン）−１，４−シクロヘキサンジアミン］コバルトアセテート、［Ｎ，Ｎ’−ビス（５−イソアミルサリチリデン）−１，２−ノルボルナンジアミン］コバルトアセテート、［Ｎ，Ｎ’−ビス（５−イソアミルサリチリデン）−１，２−ベンゼンジアミン］コバルトアセテート、［Ｎ，Ｎ’−ビス（５−イソアミルサリチリデン）−１，３−ベンゼンジアミン］コバルトアセテート、［Ｎ，Ｎ’−ビス（５−イソアミルサリチリデン）−１，４−ベンゼンジアミン］コバルトアセテート、［Ｎ，Ｎ’−ビス（５−イソアミルサリチリデン）−４−メトキシ−１，２−ベンゼンジアミン］コバルトアセテート、［Ｎ，Ｎ’−ビス（５−イソアミルサリチリデン）−２，３−ナフタレンジアミン］コバルトアセテート、［Ｎ，Ｎ’−ビス（５−イソアミルサリチリデン）−１，８−ナフタレンジアミン］コバルトアセテート、
【００４０】
［Ｎ，Ｎ’−ビス（５−フェニルサリチリデン）メタンジアミン］コバルトアセテート、［Ｎ，Ｎ’−ビス（５−フェニルサリチリデン）−１，２−エタンジアミン］コバルトアセテート、［Ｎ，Ｎ’−ビス（５−フェニルサリチリデン）−１，３−プロパンジアミン］コバルトアセテート、［Ｎ，Ｎ’−ビス（５−フェニルサリチリデン）−１，２−シクロペンタンジアミン］コバルトアセテート、［Ｎ，Ｎ’−ビス（５−フェニルサリチリデン）−１，３−シクロペンタンジアミン］コバルトアセテート、［Ｎ，Ｎ’−ビス（５−フェニルサリチリデン）−１，２−シクロヘキサンジアミン］コバルトアセテート、［Ｎ，Ｎ’−ビス（５−フェニルサリチリデン）−１，３−シクロヘキサンジアミン］コバルトアセテート、［Ｎ，Ｎ’−ビス（５−フェニルサリチリデン）−１，４−シクロヘキサンジアミン］コバルトアセテート、［Ｎ，Ｎ’−ビス（５−フェニルサリチリデン）−１，２−ノルボルナンジアミン］コバルトアセテート、［Ｎ，Ｎ’−ビス（５−フェニルサリチリデン）−１，２−ベンゼンジアミン］コバルトアセテート、［Ｎ，Ｎ’−ビス（５−フェニルサリチリデン）−１，３−ベンゼンジアミン］コバルトアセテート、［Ｎ，Ｎ’−ビス（５−フェニルサリチリデン）−１，４−ベンゼンジアミン］コバルトアセテート、［Ｎ，Ｎ’−ビス（５−フェニルサリチリデン）−４−メトキシ−１，２−ベンゼンジアミン］コバルトアセテート、［Ｎ，Ｎ’−ビス（５−フェニルサリチリデン）−２，３−ナフタレンジアミン］コバルトアセテート、［Ｎ，Ｎ’−ビス（５−フェニルサリチリデン）−１，８−ナフタレンジアミン］コバルトアセテート、
【００４１】
［Ｎ，Ｎ’−ビス（５−トリフルオロメチルサリチリデン）メタンジアミン］コバルトアセテート、［Ｎ，Ｎ’−ビス（５−トリフルオロメチルサリチリデン）−１，２−エタンジアミン］コバルトアセテート、［Ｎ，Ｎ’−ビス（５−トリフルオロメチルサリチリデン）−１，３−プロパンジアミン］コバルトアセテート、［Ｎ，Ｎ’−ビス（５−トリフルオロメチルサリチリデン）−１，２−シクロペンタンジアミン］コバルトアセテート、［Ｎ，Ｎ’−ビス（５−トリフルオロメチルサリチリデン）−１，３−シクロペンタンジアミン］コバルトアセテート、［Ｎ，Ｎ’−ビス（５−トリフルオロメチルサリチリデン）−１，２−シクロヘキサンジアミン］コバルトアセテート、［Ｎ，Ｎ’−ビス（５−トリフルオロメチルサリチリデン）−１，３−シクロヘキサンジアミン］コバルトアセテート、［Ｎ，Ｎ’−ビス（５−トリフルオロメチルサリチリデン）−１，４−シクロヘキサンジアミン］コバルトアセテート、［Ｎ，Ｎ’−ビス（５−トリフルオロメチルサリチリデン）−１，２−ノルボルナンジアミン］コバルトアセテート、［Ｎ，Ｎ’−ビス（５−トリフルオロメチルサリチリデン）−１，２−ベンゼンジアミン］コバルトアセテート、［Ｎ，Ｎ’−ビス（５−トリフルオロメチルサリチリデン）−１，３−ベンゼンジアミン］コバルトアセテート、［Ｎ，Ｎ’−ビス（５−トリフルオロメチルサリチリデン）−１，４−ベンゼンジアミン］コバルトアセテート、［Ｎ，Ｎ’−ビス（５−トリフルオロメチルサリチリデン）−４−メトキシ−１，２−ベンゼンジアミン］コバルトアセテート、［Ｎ，Ｎ’−ビス（５−トリフルオロメチルサリチリデン）−２，３−ナフタレンジアミン］コバルトアセテート、［Ｎ，Ｎ’−ビス（５−トリフルオロメチルサリチリデン）−１，８−ナフタレンジアミン］コバルトアセテート、
【００４２】
［Ｎ，Ｎ’−ビス（５−トリメチルシリルサリチリデン）メタンジアミン］コバルトアセテート、［Ｎ，Ｎ’−ビス（５−トリメチルシリルサリチリデン）−１，２−エタンジアミン］コバルトアセテート、［Ｎ，Ｎ’−ビス（５−トリメチルシリルサリチリデン）−１，３−プロパンジアミン］コバルトアセテート、［Ｎ，Ｎ’−ビス（５−トリメチルシリルサリチリデン）−１，２−シクロペンタンジアミン］コバルトアセテート、［Ｎ，Ｎ’−ビス（５−トリメチルシリルサリチリデン）−１，３−シクロペンタンジアミン］コバルトアセテート、［Ｎ，Ｎ’−ビス（５−トリメチルシリルサリチリデン）−１，２−シクロヘキサンジアミン］コバルトアセテート、［Ｎ，Ｎ’−ビス（５−トリメチルシリルサリチリデン）−１，３−シクロヘキサンジアミン］コバルトアセテート、［Ｎ，Ｎ’−ビス（５−トリメチルシリルサリチリデン）−１，４−シクロヘキサンジアミン］コバルトアセテート、［Ｎ，Ｎ’−ビス（５−トリメチルシリルサリチリデン）−１，２−ノルボルナンジアミン］コバルトアセテート、［Ｎ，Ｎ’−ビス（５−トリメチルシリルサリチリデン）−１，２−ベンゼンジアミン］コバルトアセテート、［Ｎ，Ｎ’−ビス（５−トリメチルシリルサリチリデン）−１，３−ベンゼンジアミン］コバルトアセテート、［Ｎ，Ｎ’−ビス（５−トリメチルシリルサリチリデン）−１，４−ベンゼンジアミン］コバルトアセテート、［Ｎ，Ｎ’−ビス（５−トリメチルシリルサリチリデン）−４−メトキシ−１，２−ベンゼンジアミン］コバルトアセテート、［Ｎ，Ｎ’−ビス（５−トリメチルシリルサリチリデン）−２，３−ナフタレンジアミン］コバルトアセテート、［Ｎ，Ｎ’−ビス（５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【００４３】
［Ｎ，Ｎ’−ビス（５−エチル−３−メチルサリチリデン）メタンジアミン］コバルトアセテート、［Ｎ，Ｎ’−ビス（５−エチル−３−メチルサリチリデン）−１，２−エタンジアミン］コバルトアセテート、［Ｎ，Ｎ’−ビス（５−エチル−３−メチルサリチリデン）−１，３−プロパンジアミン］コバルトアセテート、［Ｎ，Ｎ’−ビス（５−エチル−３−メチルサリチリデン）−１，２−シクロペンタンジアミン］コバルトアセテート、［Ｎ，Ｎ’−ビス（５−エチル−３−メチルサリチリデン）−１，３−シクロペンタンジアミン］コバルトアセテート、［Ｎ，Ｎ’−ビス（５−エチル−３−メチルサリチリデン）−１，２−シクロヘキサンジアミン］コバルトアセテート、［Ｎ，Ｎ’−ビス（５−エチル−３−メチルサリチリデン）−１，３−シクロヘキサンジアミン］コバルトアセテート、［Ｎ，Ｎ’−ビス（５−エチル−３−メチルサリチリデン）−１，４−シクロヘキサンジアミン］コバルトアセテート、［Ｎ，Ｎ’−ビス（５−エチル−３−メチルサリチリデン）−１，２−ノルボルナンジアミン］コバルトアセテート、［Ｎ，Ｎ’−ビス（５−エチル−３−メチルサリチリデン）−１，２−ベンゼンジアミン］コバルトアセテート、［Ｎ，Ｎ’−ビス（５−エチル−３−メチルサリチリデン）−１，３−ベンゼンジアミン］コバルトアセテート、［Ｎ，Ｎ’−ビス（５−エチル−３−メチルサリチリデン）−１，４−ベンゼンジアミン］コバルトアセテート、［Ｎ，Ｎ’−ビス（５−エチル−３−メチルサリチリデン）−４−メトキシ−１，２−ベンゼンジアミン］コバルトアセテート、［Ｎ，Ｎ’−ビス（５−エチル−３−メチルサリチリデン）−２，３−ナフタレンジアミン］コバルトアセテート、［Ｎ，Ｎ’−ビス（５−エチル−３−メチルサリチリデン）−１，８−ナフタレンジアミン］コバルトアセテート、
【００４４】
［Ｎ，Ｎ’−ビス（３−メチル−５−ｎ−プロピルサリチリデン）メタンジアミン］コバルトアセテート、［Ｎ，Ｎ’−ビス（３−メチル−５−ｎ−プロピルサリチリデン）−１，２−エタンジアミン］コバルトアセテート、［Ｎ，Ｎ’−ビス（３−メチル−５−ｎ−プロピルサリチリデン）−１，３−プロパンジアミン］コバルトアセテート、［Ｎ，Ｎ’−ビス（３−メチル−５−ｎ−プロピルサリチリデン）−１，２−シクロペンタンジアミン］コバルトアセテート、［Ｎ，Ｎ’−ビス（３−メチル−５−ｎ−プロピルサリチリデン）−１，３−シクロペンタンジアミン］コバルトアセテート、［Ｎ，Ｎ’−ビス（３−メチル−５−ｎ−プロピルサリチリデン）−１，２−シクロヘキサンジアミン］コバルトアセテート、［Ｎ，Ｎ’−ビス（３−メチル−５−ｎ−プロピルサリチリデン）−１，３−シクロヘキサンジアミン］コバルトアセテート、［Ｎ，Ｎ’−ビス（３−メチル−５−ｎ−プロピルサリチリデン）−１，４−シクロヘキサンジアミン］コバルトアセテート、［Ｎ，Ｎ’−ビス（３−メチル−５−ｎ−プロピルサリチリデン）−１，２−ノルボルナンジアミン］コバルトアセテート、［Ｎ，Ｎ’−ビス（３−メチル−５−ｎ−プロピルサリチリデン）−１，２−ベンゼンジアミン］コバルトアセテート、［Ｎ，Ｎ’−ビス（３−メチル−５−ｎ−プロピルサリチリデン）−１，３−ベンゼンジアミン］コバルトアセテート、［Ｎ，Ｎ’−ビス（３−メチル−５−ｎ−プロピルサリチリデン）−１，４−ベンゼンジアミン］コバルトアセテート、［Ｎ，Ｎ’−ビス（３−メチル−５−ｎ−プロピルサリチリデン）−４−メトキシ−１，２−ベンゼンジアミン］コバルトアセテート、［Ｎ，Ｎ’−ビス（３−メチル−５−ｎ−プロピルサリチリデン）−２，３−ナフタレンジアミン］コバルトアセテート、［Ｎ，Ｎ’−ビス（３−メチル−５−ｎ−プロピルサリチリデン）−１，８−ナフタレンジアミン］コバルトアセテート、
【００４５】
［Ｎ，Ｎ’−ビス（３−メチル−５−イソプロピルサリチリデン）メタンジアミン］コバルトアセテート、［Ｎ，Ｎ’−ビス（３−メチル−５−イソプロピルサリチリデン）−１，２−エタンジアミン］コバルトアセテート、［Ｎ，Ｎ’−ビス（３−メチル−５−イソプロピルサリチリデン）−１，３−プロパンジアミン］コバルトアセテート、［Ｎ，Ｎ’−ビス（３−メチル−５−イソプロピルサリチリデン）−１，２−シクロペンタンジアミン］コバルトアセテート、［Ｎ，Ｎ’−ビス（３−メチル−５−イソプロピルサリチリデン）−１，３−シクロペンタンジアミン］コバルトアセテート、［Ｎ，Ｎ’−ビス（３−メチル−５−イソプロピルサリチリデン）−１，２−シクロヘキサンジアミン］コバルトアセテート、［Ｎ，Ｎ’−ビス（３−メチル−５−イソプロピルサリチリデン）−１，３−シクロヘキサンジアミン］コバルトアセテート、［Ｎ，Ｎ’−ビス（３−メチル−５−イソプロピルサリチリデン）−１，４−シクロヘキサンジアミン］コバルトアセテート、［Ｎ，Ｎ’−ビス（３−メチル−５−イソプロピルサリチリデン）−１，２−ノルボルナンジアミン］コバルトアセテート、［Ｎ，Ｎ’−ビス（３−メチル−５−イソプロピルサリチリデン）−１，２−ベンゼンジアミン］コバルトアセテート、［Ｎ，Ｎ’−ビス（３−メチル−５−イソプロピルサリチリデン）−１，３−ベンゼンジアミン］コバルトアセテート、［Ｎ，Ｎ’−ビス（３−メチル−５−イソプロピルサリチリデン）−１，４−ベンゼンジアミン］コバルトアセテート、［Ｎ，Ｎ’−ビス（３−メチル−５−イソプロピルサリチリデン）−４−メトキシ−１，２−ベンゼンジアミン］コバルトアセテート、［Ｎ，Ｎ’−ビス（３−メチル−５−イソプロピルサリチリデン）−２，３−ナフタレンジアミン］コバルトアセテート、［Ｎ，Ｎ’−ビス（３−メチル−５−イソプロピルサリチリデン）−１，８−ナフタレンジアミン］コバルトアセテート、
【００４６】
［Ｎ，Ｎ’−ビス（５−ｎ−ブチル−３−メチルサリチリデン）メタンジアミン］コバルトアセテート、［Ｎ，Ｎ’−ビス（５−ｎ−ブチル−３−メチルサリチリデン）−１，２−エタンジアミン］コバルトアセテート、［Ｎ，Ｎ’−ビス（５−ｎ−ブチル−３−メチルサリチリデン）−１，３−プロパンジアミン］コバルトアセテート、［Ｎ，Ｎ’−ビス（５−ｎ−ブチル−３−メチルサリチリデン）−１，２−シクロペンタンジアミン］コバルトアセテート、［Ｎ，Ｎ’−ビス（５−ｎ−ブチル−３−メチルサリチリデン）−１，３−シクロペンタンジアミン］コバルトアセテート、［Ｎ，Ｎ’−ビス（５−ｎ−ブチル−３−メチルサリチリデン）−１，２−シクロヘキサンジアミン］コバルトアセテート、［Ｎ，Ｎ’−ビス（５−ｎ−ブチル−３−メチルサリチリデン）−１，３−シクロヘキサンジアミン］コバルトアセテート、［Ｎ，Ｎ’−ビス（５−ｎ−ブチル−３−メチルサリチリデン）−１，４−シクロヘキサンジアミン］コバルトアセテート、［Ｎ，Ｎ’−ビス（５−ｎ−ブチル−３−メチルサリチリデン）−１，２−ノルボルナンジアミン］コバルトアセテート、［Ｎ，Ｎ’−ビス（５−ｎ−ブチル−３−メチルサリチリデン）−１，２−ベンゼンジアミン］コバルトアセテート、［Ｎ，Ｎ’−ビス（５−ｎ−ブチル−３−メチルサリチリデン）−１，３−ベンゼンジアミン］コバルトアセテート、［Ｎ，Ｎ’−ビス（５−ｎ−ブチル−３−メチルサリチリデン）−１，４−ベンゼンジアミン］コバルトアセテート、［Ｎ，Ｎ’−ビス（５−ｎ−ブチル−３−メチルサリチリデン）−４−メトキシ−１，２−ベンゼンジアミン］コバルトアセテート、［Ｎ，Ｎ’−ビス（５−ｎ−ブチル−３−メチルサリチリデン）−２，３−ナフタレンジアミン］コバルトアセテート、［Ｎ，Ｎ’−ビス（５−ｎ−ブチル−３−メチルサリチリデン）−１，８−ナフタレンジアミン］コバルトアセテート、
【００４７】
［Ｎ，Ｎ’−ビス（５−イソブチル−３−メチルサリチリデン）メタンジアミン］コバルトアセテート、［Ｎ，Ｎ’−ビス（５−イソブチル−３−メチルサリチリデン）−１，２−エタンジアミン］コバルトアセテート、［Ｎ，Ｎ’−ビス（５−イソブチル−３−メチルサリチリデン）−１，３−プロパンジアミン］コバルトアセテート、［Ｎ，Ｎ’−ビス（５−イソブチル−３−メチルサリチリデン）−１，２−シクロペンタンジアミン］コバルトアセテート、［Ｎ，Ｎ’−ビス（５−イソブチル−３−メチルサリチリデン）−１，３−シクロペンタンジアミン］コバルトアセテート、［Ｎ，Ｎ’−ビス（５−イソブチル−３−メチルサリチリデン）−１，２−シクロヘキサンジアミン］コバルトアセテート、［Ｎ，Ｎ’−ビス（５−イソブチル−３−メチルサリチリデン）−１，３−シクロヘキサンジアミン］コバルトアセテート、［Ｎ，Ｎ’−ビス（５−イソブチル−３−メチルサリチリデン）−１，４−シクロヘキサンジアミン］コバルトアセテート、［Ｎ，Ｎ’−ビス（５−イソブチル−３−メチルサリチリデン）−１，２−ノルボルナンジアミン］コバルトアセテート、［Ｎ，Ｎ’−ビス（５−イソブチル−３−メチルサリチリデン）−１，２−ベンゼンジアミン］コバルトアセテート、［Ｎ，Ｎ’−ビス（５−イソブチル−３−メチルサリチリデン）−１，３−ベンゼンジアミン］コバルトアセテート、［Ｎ，Ｎ’−ビス（５−イソブチル−３−メチルサリチリデン）−１，４−ベンゼンジアミン］コバルトアセテート、［Ｎ，Ｎ’−ビス（５−イソブチル−３−メチルサリチリデン）−４−メトキシ−１，２−ベンゼンジアミン］コバルトアセテート、［Ｎ，Ｎ’−ビス（５−イソブチル−３−メチルサリチリデン）−２，３−ナフタレンジアミン］コバルトアセテート、［Ｎ，Ｎ’−ビス（５−イソブチル−３−メチルサリチリデン）−１，８−ナフタレンジアミン］コバルトアセテート、
【００４８】
［Ｎ，Ｎ’−ビス（５−ｓｅｃ−ブチル−３−メチルサリチリデン）メタンジアミン］コバルトアセテート、［Ｎ，Ｎ’−ビス（５−ｓｅｃ−ブチル−３−メチルサリチリデン）−１，２−エタンジアミン］コバルトアセテート、［Ｎ，Ｎ’−ビス（５−ｓｅｃ−ブチル−３−メチルサリチリデン）−１，３−プロパンジアミン］コバルトアセテート、［Ｎ，Ｎ’−ビス（５−ｓｅｃ−ブチル−３−メチルサリチリデン）−１，２−シクロペンタンジアミン］コバルトアセテート、［Ｎ，Ｎ’−ビス（５−ｓｅｃ−ブチル−３−メチルサリチリデン）−１，３−シクロペンタンジアミン］コバルトアセテート、［Ｎ，Ｎ’−ビス（５−ｓｅｃ−ブチル−３−メチルサリチリデン）−１，２−シクロヘキサンジアミン］コバルトアセテート、［Ｎ，Ｎ’−ビス（５−ｓｅｃ−ブチル−３−メチルサリチリデン）−１，３−シクロヘキサンジアミン］コバルトアセテート、［Ｎ，Ｎ’−ビス（５−ｓｅｃ−ブチル−３−メチルサリチリデン）−１，４−シクロヘキサンジアミン］コバルトアセテート、［Ｎ，Ｎ’−ビス（５−ｓｅｃ−ブチル−３−メチルサリチリデン）−１，２−ノルボルナンジアミン］コバルトアセテート、［Ｎ，Ｎ’−ビス（５−ｓｅｃ−ブチル−３−メチルサリチリデン）−１，２−ベンゼンジアミン］コバルトアセテート、［Ｎ，Ｎ’−ビス（５−ｓｅｃ−ブチル−３−メチルサリチリデン）−１，３−ベンゼンジアミン］コバルトアセテート、［Ｎ，Ｎ’−ビス（５−ｓｅｃ−ブチル−３−メチルサリチリデン）−１，４−ベンゼンジアミン］コバルトアセテート、［Ｎ，Ｎ’−ビス（５−ｓｅｃ−ブチル−３−メチルサリチリデン）−４−メトキシ−１，２−ベンゼンジアミン］コバルトアセテート、［Ｎ，Ｎ’−ビス（５−ｓｅｃ−ブチル−３−メチルサリチリデン）−２，３−ナフタレンジアミン］コバルトアセテート、［Ｎ，Ｎ’−ビス（５−ｓｅｃ−ブチル−３−メチルサリチリデン）−１，８−ナフタレンジアミン］コバルトアセテート、
【００４９】
［Ｎ，Ｎ’−ビス（５−ｔｅｒｔ−ブチル−３−メチルサリチリデン）メタンジアミン］コバルトアセテート、［Ｎ，Ｎ’−ビス（５−ｔｅｒｔ−ブチル−３−メチルサリチリデン）−１，２−エタンジアミン］コバルトアセテート、［Ｎ，Ｎ’−ビス（５−ｔｅｒｔ−ブチル−３−メチルサリチリデン）−１，３−プロパンジアミン］コバルトアセテート、［Ｎ，Ｎ’−ビス（５−ｔｅｒｔ−ブチル−３−メチルサリチリデン）−１，２−シクロペンタンジアミン］コバルトアセテート、［Ｎ，Ｎ’−ビス（５−ｔｅｒｔ−ブチル−３−メチルサリチリデン）−１，３−シクロペンタンジアミン］コバルトアセテート、［Ｎ，Ｎ’−ビス（５−ｔｅｒｔ−ブチル−３−メチルサリチリデン）−１，２−シクロヘキサンジアミン］コバルトアセテート、［Ｎ，Ｎ’−ビス（５−ｔｅｒｔ−ブチル−３−メチルサリチリデン）−１，３−シクロヘキサンジアミン］コバルトアセテート、［Ｎ，Ｎ’−ビス（５−ｔｅｒｔ−ブチル−３−メチルサリチリデン）−１，４−シクロヘキサンジアミン］コバルトアセテート、［Ｎ，Ｎ’−ビス（５−ｔｅｒｔ−ブチル−３−メチルサリチリデン）−１，２−ノルボルナンジアミン］コバルトアセテート、［Ｎ，Ｎ’−ビス（５−ｔｅｒｔ−ブチル−３−メチルサリチリデン）−１，２−ベンゼンジアミン］コバルトアセテート、［Ｎ，Ｎ’−ビス（５−ｔｅｒｔ−ブチル−３−メチルサリチリデン）−１，３−ベンゼンジアミン］コバルトアセテート、［Ｎ，Ｎ’−ビス（５−ｔｅｒｔ−ブチル−３−メチルサリチリデン）−１，４−ベンゼンジアミン］コバルトアセテート、［Ｎ，Ｎ’−ビス（５−ｔｅｒｔ−ブチル−３−メチルサリチリデン）−４−メトキシ−１，２−ベンゼンジアミン］コバルトアセテート、［Ｎ，Ｎ’−ビス（５−ｔｅｒｔ−ブチル−３−メチルサリチリデン）−２，３−ナフタレンジアミン］コバルトアセテート、［Ｎ，Ｎ’−ビス（５−ｔｅｒｔ−ブチル−３−メチルサリチリデン）−１，８−ナフタレンジアミン］コバルトアセテート、
【００５０】
［Ｎ，Ｎ’−ビス（３−メチル−５−ネオペンチルサリチリデン）メタンジアミン］コバルトアセテート、［Ｎ，Ｎ’−ビス（３−メチル−５−ネオペンチルサリチリデン）−１，２−エタンジアミン］コバルトアセテート、［Ｎ，Ｎ’−ビス（３−メチル−５−ネオペンチルサリチリデン）−１，３−プロパンジアミン］コバルトアセテート、［Ｎ，Ｎ’−ビス（３−メチル−５−ネオペンチルサリチリデン）−１，２−シクロペンタンジアミン］コバルトアセテート、［Ｎ，Ｎ’−ビス（３−メチル−５−ネオペンチルサリチリデン）−１，３−シクロペンタンジアミン］コバルトアセテート、［Ｎ，Ｎ’−ビス（３−メチル−５−ネオペンチルサリチリデン）−１，２−シクロヘキサンジアミン］コバルトアセテート、［Ｎ，Ｎ’−ビス（３−メチル−５−ネオペンチルサリチリデン）−１，３−シクロヘキサンジアミン］コバルトアセテート、［Ｎ，Ｎ’−ビス（３−メチル−５−ネオペンチルサリチリデン）−１，４−シクロヘキサンジアミン］コバルトアセテート、［Ｎ，Ｎ’−ビス（３−メチル−５−ネオペンチルサリチリデン）−１，２−ノルボルナンジアミン］コバルトアセテート、［Ｎ，Ｎ’−ビス（３−メチル−５−ネオペンチルサリチリデン）−１，２−ベンゼンジアミン］コバルトアセテート、［Ｎ，Ｎ’−ビス（３−メチル−５−ネオペンチルサリチリデン）−１，３−ベンゼンジアミン］コバルトアセテート、［Ｎ，Ｎ’−ビス（３−メチル−５−ネオペンチルサリチリデン）−１，４−ベンゼンジアミン］コバルトアセテート、［Ｎ，Ｎ’−ビス（３−メチル−５−ネオペンチルサリチリデン）−４−メトキシ−１，２−ベンゼンジアミン］コバルトアセテート、［Ｎ，Ｎ’−ビス（３−メチル−５−ネオペンチルサリチリデン）−２，３−ナフタレンジアミン］コバルトアセテート、［Ｎ，Ｎ’−ビス（３−メチル−５−ネオペンチルサリチリデン）−１，８−ナフタレンジアミン］コバルトアセテート、
【００５１】
［Ｎ，Ｎ’−ビス（５−イソアミル−３−メチルサリチリデン）メタンジアミン］コバルトアセテート、［Ｎ，Ｎ’−ビス（５−イソアミル−３−メチルサリチリデン）−１，２−エタンジアミン］コバルトアセテート、［Ｎ，Ｎ’−ビス（５−イソアミル−３−メチルサリチリデン）−１，３−プロパンジアミン］コバルトアセテート、［Ｎ，Ｎ’−ビス（５−イソアミル−３−メチルサリチリデン）−１，２−シクロペンタンジアミン］コバルトアセテート、［Ｎ，Ｎ’−ビス（５−イソアミル−３−メチルサリチリデン）−１，３−シクロペンタンジアミン］コバルトアセテート、［Ｎ，Ｎ’−ビス（５−イソアミル−３−メチルサリチリデン）−１，２−シクロヘキサンジアミン］コバルトアセテート、［Ｎ，Ｎ’−ビス（５−イソアミル−３−メチルサリチリデン）−１，３−シクロヘキサンジアミン］コバルトアセテート、［Ｎ，Ｎ’−ビス（５−イソアミル−３−メチルサリチリデン）−１，４−シクロヘキサンジアミン］コバルトアセテート、［Ｎ，Ｎ’−ビス（５−イソアミル−３−メチルサリチリデン）−１，２−ノルボルナンジアミン］コバルトアセテート、［Ｎ，Ｎ’−ビス（５−イソアミル−３−メチルサリチリデン）−１，２−ベンゼンジアミン］コバルトアセテート、［Ｎ，Ｎ’−ビス（５−イソアミル−３−メチルサリチリデン）−１，３−ベンゼンジアミン］コバルトアセテート、［Ｎ，Ｎ’−ビス（５−イソアミル−３−メチルサリチリデン）−１，４−ベンゼンジアミン］コバルトアセテート、［Ｎ，Ｎ’−ビス（５−イソアミル−３−メチルサリチリデン）−４−メトキシ−１，２−ベンゼンジアミン］コバルトアセテート、［Ｎ，Ｎ’−ビス（５−イソアミル−３−メチルサリチリデン）−２，３−ナフタレンジアミン］コバルトアセテート、［Ｎ，Ｎ’−ビス（５−イソアミル−３−メチルサリチリデン）−１，８−ナフタレンジアミン］コバルトアセテート、
【００５２】
［Ｎ，Ｎ’−ビス（３−メチル−５−フェニルサリチリデン）メタンジアミン］コバルトアセテート、［Ｎ，Ｎ’−ビス（３−メチル−５−フェニルサリチリデン）−１，２−エタンジアミン］コバルトアセテート、［Ｎ，Ｎ’−ビス（３−メチル−５−フェニルサリチリデン）−１，３−プロパンジアミン］コバルトアセテート、［Ｎ，Ｎ’−ビス（３−メチル−５−フェニルサリチリデン）−１，２−シクロペンタンジアミン］コバルトアセテート、［Ｎ，Ｎ’−ビス（３−メチル−５−フェニルサリチリデン）−１，３−シクロペンタンジアミン］コバルトアセテート、［Ｎ，Ｎ’−ビス（３−メチル−５−フェニルサリチリデン）−１，２−シクロヘキサンジアミン］コバルトアセテート、［Ｎ，Ｎ’−ビス（３−メチル−５−フェニルサリチリデン）−１，３−シクロヘキサンジアミン］コバルトアセテート、［Ｎ，Ｎ’−ビス（３−メチル−５−フェニルサリチリデン）−１，４−シクロヘキサンジアミン］コバルトアセテート、［Ｎ，Ｎ’−ビス（３−メチル−５−フェニルサリチリデン）−１，２−ノルボルナンジアミン］コバルトアセテート、［Ｎ，Ｎ’−ビス（３−メチル−５−フェニルサリチリデン）−１，２−ベンゼンジアミン］コバルトアセテート、［Ｎ，Ｎ’−ビス（３−メチル−５−フェニルサリチリデン）−１，３−ベンゼンジアミン］コバルトアセテート、［Ｎ，Ｎ’−ビス（３−メチル−５−フェニルサリチリデン）−１，４−ベンゼンジアミン］コバルトアセテート、［Ｎ，Ｎ’−ビス（３−メチル−５−フェニルサリチリデン）−４−メトキシ−１，２−ベンゼンジアミン］コバルトアセテート、［Ｎ，Ｎ’−ビス（３−メチル−５−フェニルサリチリデン）−２，３−ナフタレンジアミン］コバルトアセテート、［Ｎ，Ｎ’−ビス（３−メチル−５−フェニルサリチリデン）−１，８−ナフタレンジアミン］コバルトアセテート、
【００５３】
［Ｎ，Ｎ’−ビス（３−メチル−５−トリフルオロメチルサリチリデン）メタンジアミン］コバルトアセテート、［Ｎ，Ｎ’−ビス（３−メチル−５−トリフルオロメチルサリチリデン）−１，２−エタンジアミン］コバルトアセテート、［Ｎ，Ｎ’−ビス（３−メチル−５−トリフルオロメチルサリチリデン）−１，３−プロパンジアミン］コバルトアセテート、［Ｎ，Ｎ’−ビス（３−メチル−５−トリフルオロメチルサリチリデン）−１，２−シクロペンタンジアミン］コバルトアセテート、［Ｎ，Ｎ’−ビス（３−メチル−５−トリフルオロメチルサリチリデン）−１，３−シクロペンタンジアミン］コバルトアセテート、［Ｎ，Ｎ’−ビス（３−メチル−５−トリフルオロメチルサリチリデン）−１，２−シクロヘキサンジアミン］コバルトアセテート、［Ｎ，Ｎ’−ビス（３−メチル−５−トリフルオロメチルサリチリデン）−１，３−シクロヘキサンジアミン］コバルトアセテート、［Ｎ，Ｎ’−ビス（３−メチル−５−トリフルオロメチルサリチリデン）−１，４−シクロヘキサンジアミン］コバルトアセテート、［Ｎ，Ｎ’−ビス（３−メチル−５−トリフルオロメチルサリチリデン）−１，２−ノルボルナンジアミン］コバルトアセテート、［Ｎ，Ｎ’−ビス（３−メチル−５−トリフルオロメチルサリチリデン）−１，２−ベンゼンジアミン］コバルトアセテート、［Ｎ，Ｎ’−ビス（３−メチル−５−トリフルオロメチルサリチリデン）−１，３−ベンゼンジアミン］コバルトアセテート、［Ｎ，Ｎ’−ビス（３−メチル−５−トリフルオロメチルサリチリデン）−１，４−ベンゼンジアミン］コバルトアセテート、［Ｎ，Ｎ’−ビス（３−メチル−５−トリフルオロメチルサリチリデン）−４−メトキシ−１，２−ベンゼンジアミン］コバルトアセテート、［Ｎ，Ｎ’−ビス（３−メチル−５−トリフルオロメチルサリチリデン）−２，３−ナフタレンジアミン］コバルトアセテート、［Ｎ，Ｎ’−ビス（３−メチル−５−トリフルオロメチルサリチリデン）−１，８−ナフタレンジアミン］コバルトアセテート、
【００５４】
［Ｎ，Ｎ’−ビス（３−メチル−５−トリメチルシリルサリチリデン）メタンジアミン］コバルトアセテート、［Ｎ，Ｎ’−ビス（３−メチル−５−トリメチルシリルサリチリデン）−１，２−エタンジアミン］コバルトアセテート、［Ｎ，Ｎ’−ビス（３−メチル−５−トリメチルシリルサリチリデン）−１，３−プロパンジアミン］コバルトアセテート、［Ｎ，Ｎ’−ビス（３−メチル−５−トリメチルシリルサリチリデン）−１，２−シクロペンタンジアミン］コバルトアセテート、［Ｎ，Ｎ’−ビス（３−メチル−５−トリメチルシリルサリチリデン）−１，３−シクロペンタンジアミン］コバルトアセテート、［Ｎ，Ｎ’−ビス（３−メチル−５−トリメチルシリルサリチリデン）−１，２−シクロヘキサンジアミン］コバルトアセテート、［Ｎ，Ｎ’−ビス（３−メチル−５−トリメチルシリルサリチリデン）−１，３−シクロヘキサンジアミン］コバルトアセテート、［Ｎ，Ｎ’−ビス（３−メチル−５−トリメチルシリルサリチリデン）−１，４−シクロヘキサンジアミン］コバルトアセテート、［Ｎ，Ｎ’−ビス（３−メチル−５−トリメチルシリルサリチリデン）−１，２−ノルボルナンジアミン］コバルトアセテート、［Ｎ，Ｎ’−ビス（３−メチル−５−トリメチルシリルサリチリデン）−１，２−ベンゼンジアミン］コバルトアセテート、［Ｎ，Ｎ’−ビス（３−メチル−５−トリメチルシリルサリチリデン）−１，３−ベンゼンジアミン］コバルトアセテート、［Ｎ，Ｎ’−ビス（３−メチル−５−トリメチルシリルサリチリデン）−１，４−ベンゼンジアミン］コバルトアセテート、［Ｎ，Ｎ’−ビス（３−メチル−５−トリメチルシリルサリチリデン）−４−メトキシ−１，２−ベンゼンジアミン］コバルトアセテート、［Ｎ，Ｎ’−ビス（３−メチル−５−トリメチルシリルサリチリデン）−２，３−ナフタレンジアミン］コバルトアセテート、［Ｎ，Ｎ’−ビス（３−メチル−５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【００５５】
［Ｎ，Ｎ’−ビス（３−エチル−５−メチルサリチリデン）メタンジアミン］コバルトアセテート、［Ｎ，Ｎ’−ビス（３−エチル−５−メチルサリチリデン）−１，２−エタンジアミン］コバルトアセテート、［Ｎ，Ｎ’−ビス（３−エチル−５−メチルサリチリデン）−１，３−プロパンジアミン］コバルトアセテート、［Ｎ，Ｎ’−ビス（３−エチル−５−メチルサリチリデン）−１，２−シクロペンタンジアミン］コバルトアセテート、［Ｎ，Ｎ’−ビス（３−エチル−５−メチルサリチリデン）−１，３−シクロペンタンジアミン］コバルトアセテート、［Ｎ，Ｎ’−ビス（３−エチル−５−メチルサリチリデン）−１，２−シクロヘキサンジアミン］コバルトアセテート、［Ｎ，Ｎ’−ビス（３−エチル−５−メチルサリチリデン）−１，３−シクロヘキサンジアミン］コバルトアセテート、［Ｎ，Ｎ’−ビス（３−エチル−５−メチルサリチリデン）−１，４−シクロヘキサンジアミン］コバルトアセテート、［Ｎ，Ｎ’−ビス（３−エチル−５−メチルサリチリデン）−１，２−ノルボルナンジアミン］コバルトアセテート、［Ｎ，Ｎ’−ビス（３−エチル−５−メチルサリチリデン）−１，２−ベンゼンジアミン］コバルトアセテート、［Ｎ，Ｎ’−ビス（３−エチル−５−メチルサリチリデン）−１，３−ベンゼンジアミン］コバルトアセテート、［Ｎ，Ｎ’−ビス（３−エチル−５−メチルサリチリデン）−１，４−ベンゼンジアミン］コバルトアセテート、［Ｎ，Ｎ’−ビス（３−エチル−５−メチルサリチリデン）−４−メトキシ−１，２−ベンゼンジアミン］コバルトアセテート、［Ｎ，Ｎ’−ビス（３−エチル−５−メチルサリチリデン）−２，３−ナフタレンジアミン］コバルトアセテート、［Ｎ，Ｎ’−ビス（３−エチル−５−メチルサリチリデン）−１，８−ナフタレンジアミン］コバルトアセテート、
【００５６】
［Ｎ，Ｎ’−ビス（３−エチル−５−ｎ−プロピルサリチリデン）メタンジアミン］コバルトアセテート、［Ｎ，Ｎ’−ビス（３−エチル−５−ｎ−プロピルサリチリデン）−１，２−エタンジアミン］コバルトアセテート、［Ｎ，Ｎ’−ビス（３−エチル−５−ｎ−プロピルサリチリデン）−１，３−プロパンジアミン］コバルトアセテート、［Ｎ，Ｎ’−ビス（３−エチル−５−ｎ−プロピルサリチリデン）−１，２−シクロペンタンジアミン］コバルトアセテート、［Ｎ，Ｎ’−ビス（３−エチル−５−ｎ−プロピルサリチリデン）−１，３−シクロペンタンジアミン］コバルトアセテート、［Ｎ，Ｎ’−ビス（３−エチル−５−ｎ−プロピルサリチリデン）−１，２−シクロヘキサンジアミン］コバルトアセテート、［Ｎ，Ｎ’−ビス（３−エチル−５−ｎ−プロピルサリチリデン）−１，３−シクロヘキサンジアミン］コバルトアセテート、［Ｎ，Ｎ’−ビス（３−エチル−５−ｎ−プロピルサリチリデン）−１，４−シクロヘキサンジアミン］コバルトアセテート、［Ｎ，Ｎ’−ビス（３−エチル−５−ｎ−プロピルサリチリデン）−１，２−ノルボルナンジアミン］コバルトアセテート、［Ｎ，Ｎ’−ビス（３−エチル−５−ｎ−プロピルサリチリデン）−１，２−ベンゼンジアミン］コバルトアセテート、［Ｎ，Ｎ’−ビス（３−エチル−５−ｎ−プロピルサリチリデン）−１，３−ベンゼンジアミン］コバルトアセテート、［Ｎ，Ｎ’−ビス（３−エチル−５−ｎ−プロピルサリチリデン）−１，４−ベンゼンジアミン］コバルトアセテート、［Ｎ，Ｎ’−ビス（３−エチル−５−ｎ−プロピルサリチリデン）−４−メトキシ−１，２−ベンゼンジアミン］コバルトアセテート、［Ｎ，Ｎ’−ビス（３−エチル−５−ｎ−プロピルサリチリデン）−２，３−ナフタレンジアミン］コバルトアセテート、［Ｎ，Ｎ’−ビス（３−エチル−５−ｎ−プロピルサリチリデン）−１，８−ナフタレンジアミン］コバルトアセテート、
【００５７】
［Ｎ，Ｎ’−ビス（３−エチル−５−イソプロピルサリチリデン）メタンジアミン］コバルトアセテート、［Ｎ，Ｎ’−ビス（３−エチル−５−イソプロピルサリチリデン）−１，２−エタンジアミン］コバルトアセテート、［Ｎ，Ｎ’−ビス（３−エチル−５−イソプロピルサリチリデン）−１，３−プロパンジアミン］コバルトアセテート、［Ｎ，Ｎ’−ビス（３−エチル−５−イソプロピルサリチリデン）−１，２−シクロペンタンジアミン］コバルトアセテート、［Ｎ，Ｎ’−ビス（３−エチル−５−イソプロピルサリチリデン）−１，３−シクロペンタンジアミン］コバルトアセテート、［Ｎ，Ｎ’−ビス（３−エチル−５−イソプロピルサリチリデン）−１，２−シクロヘキサンジアミン］コバルトアセテート、［Ｎ，Ｎ’−ビス（３−エチル−５−イソプロピルサリチリデン）−１，３−シクロヘキサンジアミン］コバルトアセテート、［Ｎ，Ｎ’−ビス（３−エチル−５−イソプロピルサリチリデン）−１，４−シクロヘキサンジアミン］コバルトアセテート、［Ｎ，Ｎ’−ビス（３−エチル−５−イソプロピルサリチリデン）−１，２−ノルボルナンジアミン］コバルトアセテート、［Ｎ，Ｎ’−ビス（３−エチル−５−イソプロピルサリチリデン）−１，２−ベンゼンジアミン］コバルトアセテート、［Ｎ，Ｎ’−ビス（３−エチル−５−イソプロピルサリチリデン）−１，３−ベンゼンジアミン］コバルトアセテート、［Ｎ，Ｎ’−ビス（３−エチル−５−イソプロピルサリチリデン）−１，４−ベンゼンジアミン］コバルトアセテート、［Ｎ，Ｎ’−ビス（３−エチル−５−イソプロピルサリチリデン）−４−メトキシ−１，２−ベンゼンジアミン］コバルトアセテート、［Ｎ，Ｎ’−ビス（３−エチル−５−イソプロピルサリチリデン）−２，３−ナフタレンジアミン］コバルトアセテート、［Ｎ，Ｎ’−ビス（３−エチル−５−イソプロピルサリチリデン）−１，８−ナフタレンジアミン］コバルトアセテート、
【００５８】
［Ｎ，Ｎ’−ビス（５−ｎ−ブチル−３−エチルサリチリデン）メタンジアミン］コバルトアセテート、［Ｎ，Ｎ’−ビス（５−ｎ−ブチル−３−エチルサリチリデン）−１，２−エタンジアミン］コバルトアセテート、［Ｎ，Ｎ’−ビス（５−ｎ−ブチル−３−エチルサリチリデン）−１，３−プロパンジアミン］コバルトアセテート、［Ｎ，Ｎ’−ビス（５−ｎ−ブチル−３−エチルサリチリデン）−１，２−シクロペンタンジアミン］コバルトアセテート、［Ｎ，Ｎ’−ビス（５−ｎ−ブチル−３−エチルサリチリデン）−１，３−シクロペンタンジアミン］コバルトアセテート、［Ｎ，Ｎ’−ビス（５−ｎ−ブチル−３−エチルサリチリデン）−１，２−シクロヘキサンジアミン］コバルトアセテート、［Ｎ，Ｎ’−ビス（５−ｎ−ブチル−３−エチルサリチリデン）−１，３−シクロヘキサンジアミン］コバルトアセテート、［Ｎ，Ｎ’−ビス（５−ｎ−ブチル−３−エチルサリチリデン）−１，４−シクロヘキサンジアミン］コバルトアセテート、［Ｎ，Ｎ’−ビス（５−ｎ−ブチル−３−エチルサリチリデン）−１，２−ノルボルナンジアミン］コバルトアセテート、［Ｎ，Ｎ’−ビス（５−ｎ−ブチル−３−エチルサリチリデン）−１，２−ベンゼンジアミン］コバルトアセテート、［Ｎ，Ｎ’−ビス（５−ｎ−ブチル−３−エチルサリチリデン）−１，３−ベンゼンジアミン］コバルトアセテート、［Ｎ，Ｎ’−ビス（５−ｎ−ブチル−３−エチルサリチリデン）−１，４−ベンゼンジアミン］コバルトアセテート、［Ｎ，Ｎ’−ビス（５−ｎ−ブチル−３−エチルサリチリデン）−４−メトキシ−１，２−ベンゼンジアミン］コバルトアセテート、［Ｎ，Ｎ’−ビス（５−ｎ−ブチル−３−エチルサリチリデン）−２，３−ナフタレンジアミン］コバルトアセテート、［Ｎ，Ｎ’−ビス（５−ｎ−ブチル−３−エチルサリチリデン）−１，８−ナフタレンジアミン］コバルトアセテート、
【００５９】
［Ｎ，Ｎ’−ビス（５−イソブチル−３−エチルサリチリデン）メタンジアミン］コバルトアセテート、［Ｎ，Ｎ’−ビス（５−イソブチル−３−エチルサリチリデン）−１，２−エタンジアミン］コバルトアセテート、［Ｎ，Ｎ’−ビス（５−イソブチル−３−エチルサリチリデン）−１，３−プロパンジアミン］コバルトアセテート、［Ｎ，Ｎ’−ビス（５−イソブチル−３−エチルサリチリデン）−１，２−シクロペンタンジアミン］コバルトアセテート、［Ｎ，Ｎ’−ビス（５−イソブチル−３−エチルサリチリデン）−１，３−シクロペンタンジアミン］コバルトアセテート、［Ｎ，Ｎ’−ビス（５−イソブチル−３−エチルサリチリデン）−１，２−シクロヘキサンジアミン］コバルトアセテート、［Ｎ，Ｎ’−ビス（５−イソブチル−３−エチルサリチリデン）−１，３−シクロヘキサンジアミン］コバルトアセテート、［Ｎ，Ｎ’−ビス（５−イソブチル−３−エチルサリチリデン）−１，４−シクロヘキサンジアミン］コバルトアセテート、［Ｎ，Ｎ’−ビス（５−イソブチル−３−エチルサリチリデン）−１，２−ノルボルナンジアミン］コバルトアセテート、［Ｎ，Ｎ’−ビス（５−イソブチル−３−エチルサリチリデン）−１，２−ベンゼンジアミン］コバルトアセテート、［Ｎ，Ｎ’−ビス（５−イソブチル−３−エチルサリチリデン）−１，３−ベンゼンジアミン］コバルトアセテート、［Ｎ，Ｎ’−ビス（５−イソブチル−３−エチルサリチリデン）−１，４−ベンゼンジアミン］コバルトアセテート、［Ｎ，Ｎ’−ビス（５−イソブチル−３−エチルサリチリデン）−４−メトキシ−１，２−ベンゼンジアミン］コバルトアセテート、［Ｎ，Ｎ’−ビス（５−イソブチル−３−エチルサリチリデン）−２，３−ナフタレンジアミン］コバルトアセテート、［Ｎ，Ｎ’−ビス（５−イソブチル−３−エチルサリチリデン）−１，８−ナフタレンジアミン］コバルトアセテート、
【００６０】
［Ｎ，Ｎ’−ビス（５−ｓｅｃ−ブチル−３−エチルサリチリデン）メタンジアミン］コバルトアセテート、［Ｎ，Ｎ’−ビス（５−ｓｅｃ−ブチル−３−エチルサリチリデン）−１，２−エタンジアミン］コバルトアセテート、［Ｎ，Ｎ’−ビス（５−ｓｅｃ−ブチル−３−エチルサリチリデン）−１，３−プロパンジアミン］コバルトアセテート、［Ｎ，Ｎ’−ビス（５−ｓｅｃ−ブチル−３−エチルサリチリデン）−１，２−シクロペンタンジアミン］コバルトアセテート、［Ｎ，Ｎ’−ビス（５−ｓｅｃ−ブチル−３−エチルサリチリデン）−１，３−シクロペンタンジアミン］コバルトアセテート、［Ｎ，Ｎ’−ビス（５−ｓｅｃ−ブチル−３−エチルサリチリデン）−１，２−シクロヘキサンジアミン］コバルトアセテート、［Ｎ，Ｎ’−ビス（５−ｓｅｃ−ブチル−３−エチルサリチリデン）−１，３−シクロヘキサンジアミン］コバルトアセテート、［Ｎ，Ｎ’−ビス（５−ｓｅｃ−ブチル−３−エチルサリチリデン）−１，４−シクロヘキサンジアミン］コバルトアセテート、［Ｎ，Ｎ’−ビス（５−ｓｅｃ−ブチル−３−エチルサリチリデン）−１，２−ノルボルナンジアミン］コバルトアセテート、［Ｎ，Ｎ’−ビス（５−ｓｅｃ−ブチル−３−エチルサリチリデン）−１，２−ベンゼンジアミン］コバルトアセテート、［Ｎ，Ｎ’−ビス（５−ｓｅｃ−ブチル−３−エチルサリチリデン）−１，３−ベンゼンジアミン］コバルトアセテート、［Ｎ，Ｎ’−ビス（５−ｓｅｃ−ブチル−３−エチルサリチリデン）−１，４−ベンゼンジアミン］コバルトアセテート、［Ｎ，Ｎ’−ビス（５−ｓｅｃ−ブチル−３−エチルサリチリデン）−４−メトキシ−１，２−ベンゼンジアミン］コバルトアセテート、［Ｎ，Ｎ’−ビス（５−ｓｅｃ−ブチル−３−エチルサリチリデン）−２，３−ナフタレンジアミン］コバルトアセテート、［Ｎ，Ｎ’−ビス（５−ｓｅｃ−ブチル−３−エチルサリチリデン）−１，８−ナフタレンジアミン］コバルトアセテート、
【００６１】
［Ｎ，Ｎ’−ビス（５−ｔｅｒｔ−ブチル−３−メチルサリチリデン）メタンジアミン］コバルトアセテート、［Ｎ，Ｎ’−ビス（５−ｔｅｒｔ−ブチル−３−メチルサリチリデン）−１，２−エタンジアミン］コバルトアセテート、［Ｎ，Ｎ’−ビス（５−ｔｅｒｔ−ブチル−３−メチルサリチリデン）−１，３−プロパンジアミン］コバルトアセテート、［Ｎ，Ｎ’−ビス（５−ｔｅｒｔ−ブチル−３−メチルサリチリデン）−１，２−シクロペンタンジアミン］コバルトアセテート、［Ｎ，Ｎ’−ビス（５−ｔｅｒｔ−ブチル−３−メチルサリチリデン）−１，３−シクロペンタンジアミン］コバルトアセテート、［Ｎ，Ｎ’−ビス（５−ｔｅｒｔ−ブチル−３−メチルサリチリデン）−１，２−シクロヘキサンジアミン］コバルトアセテート、［Ｎ，Ｎ’−ビス（５−ｔｅｒｔ−ブチル−３−メチルサリチリデン）−１，３−シクロヘキサンジアミン］コバルトアセテート、［Ｎ，Ｎ’−ビス（５−ｔｅｒｔ−ブチル−３−メチルサリチリデン）−１，４−シクロヘキサンジアミン］コバルトアセテート、［Ｎ，Ｎ’−ビス（５−ｔｅｒｔ−ブチル−３−メチルサリチリデン）−１，２−ノルボルナンジアミン］コバルトアセテート、［Ｎ，Ｎ’−ビス（５−ｔｅｒｔ−ブチル−３−メチルサリチリデン）−１，２−ベンゼンジアミン］コバルトアセテート、［Ｎ，Ｎ’−ビス（５−ｔｅｒｔ−ブチル−３−メチルサリチリデン）−１，３−ベンゼンジアミン］コバルトアセテート、［Ｎ，Ｎ’−ビス（５−ｔｅｒｔ−ブチル−３−メチルサリチリデン）−１，４−ベンゼンジアミン］コバルトアセテート、［Ｎ，Ｎ’−ビス（５−ｔｅｒｔ−ブチル−３−メチルサリチリデン）−４−メトキシ−１，２−ベンゼンジアミン］コバルトアセテート、［Ｎ，Ｎ’−ビス（５−ｔｅｒｔ−ブチル−３−メチルサリチリデン）−２，３−ナフタレンジアミン］コバルトアセテート、［Ｎ，Ｎ’−ビス（５−ｔｅｒｔ−ブチル−３−メチルサリチリデン）−１，８−ナフタレンジアミン］コバルトアセテート、
【００６２】
［Ｎ，Ｎ’−ビス（３−エチル−５−ネオペンチルサリチリデン）メタンジアミン］コバルトアセテート、［Ｎ，Ｎ’−ビス（３−エチル−５−ネオペンチルサリチリデン）−１，２−エタンジアミン］コバルトアセテート、［Ｎ，Ｎ’−ビス（３−エチル−５−ネオペンチルサリチリデン）−１，３−プロパンジアミン］コバルトアセテート、［Ｎ，Ｎ’−ビス（３−エチル−５−ネオペンチルサリチリデン）−１，２−シクロペンタンジアミン］コバルトアセテート、［Ｎ，Ｎ’−ビス（３−エチル−５−ネオペンチルサリチリデン）−１，３−シクロペンタンジアミン］コバルトアセテート、［Ｎ，Ｎ’−ビス（３−エチル−５−ネオペンチルサリチリデン）−１，２−シクロヘキサンジアミン］コバルトアセテート、［Ｎ，Ｎ’−ビス（３−エチル−５−ネオペンチルサリチリデン）−１，３−シクロヘキサンジアミン］コバルトアセテート、［Ｎ，Ｎ’−ビス（３−エチル−５−ネオペンチルサリチリデン）−１，４−シクロヘキサンジアミン］コバルトアセテート、［Ｎ，Ｎ’−ビス（３−エチル−５−ネオペンチルサリチリデン）−１，２−ノルボルナンジアミン］コバルトアセテート、［Ｎ，Ｎ’−ビス（３−エチル−５−ネオペンチルサリチリデン）−１，２−ベンゼンジアミン］コバルトアセテート、［Ｎ，Ｎ’−ビス（３−エチル−５−ネオペンチルサリチリデン）−１，３−ベンゼンジアミン］コバルトアセテート、［Ｎ，Ｎ’−ビス（３−エチル−５−ネオペンチルサリチリデン）−１，４−ベンゼンジアミン］コバルトアセテート、［Ｎ，Ｎ’−ビス（３−エチル−５−ネオペンチルサリチリデン）−４−メトキシ−１，２−ベンゼンジアミン］コバルトアセテート、［Ｎ，Ｎ’−ビス（３−エチル−５−ネオペンチルサリチリデン）−２，３−ナフタレンジアミン］コバルトアセテート、［Ｎ，Ｎ’−ビス（３−エチル−５−ネオペンチルサリチリデン）−１，８−ナフタレンジアミン］コバルトアセテート、
【００６３】
［Ｎ，Ｎ’−ビス（５−イソアミル−３−エチルサリチリデン）メタンジアミン］コバルトアセテート、［Ｎ，Ｎ’−ビス（５−イソアミル−３−エチルサリチリデン）−１，２−エタンジアミン］コバルトアセテート、［Ｎ，Ｎ’−ビス（５−イソアミル−３−エチルサリチリデン）−１，３−プロパンジアミン］コバルトアセテート、［Ｎ，Ｎ’−ビス（５−イソアミル−３−エチルサリチリデン）−１，２−シクロペンタンジアミン］コバルトアセテート、［Ｎ，Ｎ’−ビス（５−イソアミル−３−エチルサリチリデン）−１，３−シクロペンタンジアミン］コバルトアセテート、［Ｎ，Ｎ’−ビス（５−イソアミル−３−エチルサリチリデン）−１，２−シクロヘキサンジアミン］コバルトアセテート、［Ｎ，Ｎ’−ビス（５−イソアミル−３−エチルサリチリデン）−１，３−シクロヘキサンジアミン］コバルトアセテート、［Ｎ，Ｎ’−ビス（５−イソアミル−３−エチルサリチリデン）−１，４−シクロヘキサンジアミン］コバルトアセテート、［Ｎ，Ｎ’−ビス（５−イソアミル−３−エチルサリチリデン）−１，２−ノルボルナンジアミン］コバルトアセテート、［Ｎ，Ｎ’−ビス（５−イソアミル−３−エチルサリチリデン）−１，２−ベンゼンジアミン］コバルトアセテート、［Ｎ，Ｎ’−ビス（５−イソアミル−３−エチルサリチリデン）−１，３−ベンゼンジアミン］コバルトアセテート、［Ｎ，Ｎ’−ビス（５−イソアミル−３−エチルサリチリデン）−１，４−ベンゼンジアミン］コバルトアセテート、［Ｎ，Ｎ’−ビス（５−イソアミル−３−エチルサリチリデン）−４−メトキシ−１，２−ベンゼンジアミン］コバルトアセテート、［Ｎ，Ｎ’−ビス（５−イソアミル−３−エチルサリチリデン）−２，３−ナフタレンジアミン］コバルトアセテート、［Ｎ，Ｎ’−ビス（５−イソアミル−３−エチルサリチリデン）−１，８−ナフタレンジアミン］コバルトアセテート、
【００６４】
［Ｎ，Ｎ’−ビス（３−エチル−５−フェニルサリチリデン）メタンジアミン］コバルトアセテート、［Ｎ，Ｎ’−ビス（３−エチル−５−フェニルサリチリデン）−１，２−エタンジアミン］コバルトアセテート、［Ｎ，Ｎ’−ビス（３−エチル−５−フェニルサリチリデン）−１，３−プロパンジアミン］コバルトアセテート、［Ｎ，Ｎ’−ビス（３−エチル−５−フェニルサリチリデン）−１，２−シクロペンタンジアミン］コバルトアセテート、［Ｎ，Ｎ’−ビス（３−エチル−５−フェニルサリチリデン）−１，３−シクロペンタンジアミン］コバルトアセテート、［Ｎ，Ｎ’−ビス（３−エチル−５−フェニルサリチリデン）−１，２−シクロヘキサンジアミン］コバルトアセテート、［Ｎ，Ｎ’−ビス（３−エチル−５−フェニルサリチリデン）−１，３−シクロヘキサンジアミン］コバルトアセテート、［Ｎ，Ｎ’−ビス（３−エチル−５−フェニルサリチリデン）−１，４−シクロヘキサンジアミン］コバルトアセテート、［Ｎ，Ｎ’−ビス（３−エチル−５−フェニルサリチリデン）−１，２−ノルボルナンジアミン］コバルトアセテート、［Ｎ，Ｎ’−ビス（３−エチル−５−フェニルサリチリデン）−１，２−ベンゼンジアミン］コバルトアセテート、［Ｎ，Ｎ’−ビス（３−エチル−５−フェニルサリチリデン）−１，３−ベンゼンジアミン］コバルトアセテート、［Ｎ，Ｎ’−ビス（３−エチル−５−フェニルサリチリデン）−１，４−ベンゼンジアミン］コバルトアセテート、［Ｎ，Ｎ’−ビス（３−エチル−５−フェニルサリチリデン）−４−メトキシ−１，２−ベンゼンジアミン］コバルトアセテート、［Ｎ，Ｎ’−ビス（３−エチル−５−フェニルサリチリデン）−２，３−ナフタレンジアミン］コバルトアセテート、［Ｎ，Ｎ’−ビス（３−エチル−５−フェニルサリチリデン）−１，８−ナフタレンジアミン］コバルトアセテート、
【００６５】
［Ｎ，Ｎ’−ビス（３−エチル−５−トリフルオロメチルサリチリデン）メタンジアミン］コバルトアセテート、［Ｎ，Ｎ’−ビス（３−エチル−５−トリフルオロメチルサリチリデン）−１，２−エタンジアミン］コバルトアセテート、［Ｎ，Ｎ’−ビス（３−エチル−５−トリフルオロメチルサリチリデン）−１，３−プロパンジアミン］コバルトアセテート、［Ｎ，Ｎ’−ビス（３−エチル−５−トリフルオロメチルサリチリデン）−１，２−シクロペンタンジアミン］コバルトアセテート、［Ｎ，Ｎ’−ビス（３−エチル−５−トリフルオロメチルサリチリデン）−１，３−シクロペンタンジアミン］コバルトアセテート、［Ｎ，Ｎ’−ビス（３−エチル−５−トリフルオロメチルサリチリデン）−１，２−シクロヘキサンジアミン］コバルトアセテート、［Ｎ，Ｎ’−ビス（３−エチル−５−トリフルオロメチルサリチリデン）−１，３−シクロヘキサンジアミン］コバルトアセテート、［Ｎ，Ｎ’−ビス（３−エチル−５−トリフルオロメチルサリチリデン）−１，４−シクロヘキサンジアミン］コバルトアセテート、［Ｎ，Ｎ’−ビス（３−エチル−５−トリフルオロメチルサリチリデン）−１，２−ノルボルナンジアミン］コバルトアセテート、［Ｎ，Ｎ’−ビス（３−エチル−５−トリフルオロメチルサリチリデン）−１，２−ベンゼンジアミン］コバルトアセテート、［Ｎ，Ｎ’−ビス（３−エチル−５−トリフルオロメチルサリチリデン）−１，３−ベンゼンジアミン］コバルトアセテート、［Ｎ，Ｎ’−ビス（３−エチル−５−トリフルオロメチルサリチリデン）−１，４−ベンゼンジアミン］コバルトアセテート、［Ｎ，Ｎ’−ビス（３−エチル−５−トリフルオロメチルサリチリデン）−４−メトキシ−１，２−ベンゼンジアミン］コバルトアセテート、［Ｎ，Ｎ’−ビス（３−エチル−５−トリフルオロメチルサリチリデン）−２，３−ナフタレンジアミン］コバルトアセテート、［Ｎ，Ｎ’−ビス（３−エチル−５−トリフルオロメチルサリチリデン）−１，８−ナフタレンジアミン］コバルトアセテート、
【００６６】
［Ｎ，Ｎ’−ビス（３−エチル−５−トリメチルシリルサリチリデン）メタンジアミン］コバルトアセテート、［Ｎ，Ｎ’−ビス（３−エチル−５−トリメチルシリルサリチリデン）−１，２−エタンジアミン］コバルトアセテート、［Ｎ，Ｎ’−ビス（３−エチル−５−トリメチルシリルサリチリデン）−１，３−プロパンジアミン］コバルトアセテート、［Ｎ，Ｎ’−ビス（３−エチル−５−トリメチルシリルサリチリデン）−１，２−シクロペンタンジアミン］コバルトアセテート、［Ｎ，Ｎ’−ビス（３−エチル−５−トリメチルシリルサリチリデン）−１，３−シクロペンタンジアミン］コバルトアセテート、［Ｎ，Ｎ’−ビス（３−エチル−５−トリメチルシリルサリチリデン）−１，２−シクロヘキサンジアミン］コバルトアセテート、［Ｎ，Ｎ’−ビス（３−エチル−５−トリメチルシリルサリチリデン）−１，３−シクロヘキサンジアミン］コバルトアセテート、［Ｎ，Ｎ’−ビス（３−エチル−５−トリメチルシリルサリチリデン）−１，４−シクロヘキサンジアミン］コバルトアセテート、［Ｎ，Ｎ’−ビス（３−エチル−５−トリメチルシリルサリチリデン）−１，２−ノルボルナンジアミン］コバルトアセテート、［Ｎ，Ｎ’−ビス（３−エチル−５−トリメチルシリルサリチリデン）−１，２−ベンゼンジアミン］コバルトアセテート、［Ｎ，Ｎ’−ビス（３−エチル−５−トリメチルシリルサリチリデン）−１，３−ベンゼンジアミン］コバルトアセテート、［Ｎ，Ｎ’−ビス（３−エチル−５−トリメチルシリルサリチリデン）−１，４−ベンゼンジアミン］コバルトアセテート、［Ｎ，Ｎ’−ビス（３−エチル−５−トリメチルシリルサリチリデン）−４−メトキシ−１，２−ベンゼンジアミン］コバルトアセテート、［Ｎ，Ｎ’−ビス（３−エチル−５−トリメチルシリルサリチリデン）−２，３−ナフタレンジアミン］コバルトアセテート、［Ｎ，Ｎ’−ビス（３−エチル−５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【００６７】
［Ｎ，Ｎ’−ビス（５−メチル−３−イソプロピルサリチリデン）メタンジアミン］コバルトアセテート、［Ｎ，Ｎ’−ビス（５−メチル−３−イソプロピルサリチリデン）−１，２−エタンジアミン］コバルトアセテート、［Ｎ，Ｎ’−ビス（５−メチル−３−イソプロピルサリチリデン）−１，３−プロパンジアミン］コバルトアセテート、［Ｎ，Ｎ’−ビス（５−メチル−３−イソプロピルサリチリデン）−１，２−シクロペンタンジアミン］コバルトアセテート、［Ｎ，Ｎ’−ビス（５−メチル−３−イソプロピルサリチリデン）−１，３−シクロペンタンジアミン］コバルトアセテート、［Ｎ，Ｎ’−ビス（５−メチル−３−イソプロピルサリチリデン）−１，２−シクロヘキサンジアミン］コバルトアセテート、［Ｎ，Ｎ’−ビス（５−メチル−３−イソプロピルサリチリデン）−１，３−シクロヘキサンジアミン］コバルトアセテート、［Ｎ，Ｎ’−ビス（５−メチル−３−イソプロピルサリチリデン）−１，４−シクロヘキサンジアミン］コバルトアセテート、［Ｎ，Ｎ’−ビス（５−メチル−３−イソプロピルサリチリデン）−１，２−ノルボルナンジアミン］コバルトアセテート、［Ｎ，Ｎ’−ビス（５−メチル−３−イソプロピルサリチリデン）−１，２−ベンゼンジアミン］コバルトアセテート、［Ｎ，Ｎ’−ビス（５−メチル−３−イソプロピルサリチリデン）−１，３−ベンゼンジアミン］コバルトアセテート、［Ｎ，Ｎ’−ビス（５−メチル−３−イソプロピルサリチリデン）−１，４−ベンゼンジアミン］コバルトアセテート、［Ｎ，Ｎ’−ビス（５−メチル−３−イソプロピルサリチリデン）−４−メトキシ−１，２−ベンゼンジアミン］コバルトアセテート、［Ｎ，Ｎ’−ビス（５−メチル−３−イソプロピルサリチリデン）−２，３−ナフタレンジアミン］コバルトアセテート、［Ｎ，Ｎ’−ビス（５−メチル−３−イソプロピルサリチリデン）−１，８−ナフタレンジアミン］コバルトアセテート、
【００６８】
［Ｎ，Ｎ’−ビス（５−エチル−３−イソプロピルサリチリデン）メタンジアミン］コバルトアセテート、［Ｎ，Ｎ’−ビス（５−エチル−３−イソプロピルサリチリデン）−１，２−エタンジアミン］コバルトアセテート、［Ｎ，Ｎ’−ビス（５−エチル−３−イソプロピルサリチリデン）−１，３−プロパンジアミン］コバルトアセテート、［Ｎ，Ｎ’−ビス（５−エチル−３−イソプロピルサリチリデン）−１，２−シクロペンタンジアミン］コバルトアセテート、［Ｎ，Ｎ’−ビス（５−エチル−３−イソプロピルサリチリデン）−１，３−シクロペンタンジアミン］コバルトアセテート、［Ｎ，Ｎ’−ビス（５−エチル−３−イソプロピルサリチリデン）−１，２−シクロヘキサンジアミン］コバルトアセテート、［Ｎ，Ｎ’−ビス（５−エチル−３−イソプロピルサリチリデン）−１，３−シクロヘキサンジアミン］コバルトアセテート、［Ｎ，Ｎ’−ビス（５−エチル−３−イソプロピルサリチリデン）−１，４−シクロヘキサンジアミン］コバルトアセテート、［Ｎ，Ｎ’−ビス（５−エチル−３−イソプロピルサリチリデン）−１，２−ノルボルナンジアミン］コバルトアセテート、［Ｎ，Ｎ’−ビス（５−エチル−３−イソプロピルサリチリデン）−１，２−ベンゼンジアミン］コバルトアセテート、［Ｎ，Ｎ’−ビス（５−エチル−３−イソプロピルサリチリデン）−１，３−ベンゼンジアミン］コバルトアセテート、［Ｎ，Ｎ’−ビス（５−エチル−３−イソプロピルサリチリデン）−１，４−ベンゼンジアミン］コバルトアセテート、［Ｎ，Ｎ’−ビス（５−エチル−３−イソプロピルサリチリデン）−４−メトキシ−１，２−ベンゼンジアミン］コバルトアセテート、［Ｎ，Ｎ’−ビス（５−エチル−３−イソプロピルサリチリデン）−２，３−ナフタレンジアミン］コバルトアセテート、［Ｎ，Ｎ’−ビス（５−エチル−３−イソプロピルサリチリデン）−１，８−ナフタレンジアミン］コバルトアセテート、
【００６９】
［Ｎ，Ｎ’−ビス（３−イソプロピル−５−ｎ−プロピルサリチリデン）メタンジアミン］コバルトアセテート、［Ｎ，Ｎ’−ビス（３−イソプロピル−５−ｎ−プロピルサリチリデン）−１，２−エタンジアミン］コバルトアセテート、［Ｎ，Ｎ’−ビス（３−イソプロピル−５−ｎ−プロピルサリチリデン）−１，３−プロパンジアミン］コバルトアセテート、［Ｎ，Ｎ’−ビス（３−イソプロピル−５−ｎ−プロピルサリチリデン）−１，２−シクロペンタンジアミン］コバルトアセテート、［Ｎ，Ｎ’−ビス（３−イソプロピル−５−ｎ−プロピルサリチリデン）−１，３−シクロペンタンジアミン］コバルトアセテート、［Ｎ，Ｎ’−ビス（３−イソプロピル−５−ｎ−プロピルサリチリデン）−１，２−シクロヘキサンジアミン］コバルトアセテート、［Ｎ，Ｎ’−ビス（３−イソプロピル−５−ｎ−プロピルサリチリデン）−１，３−シクロヘキサンジアミン］コバルトアセテート、［Ｎ，Ｎ’−ビス（３−イソプロピル−５−ｎ−プロピルサリチリデン）−１，４−シクロヘキサンジアミン］コバルトアセテート、［Ｎ，Ｎ’−ビス（３−イソプロピル−５−ｎ−プロピルサリチリデン）−１，２−ノルボルナンジアミン］コバルトアセテート、［Ｎ，Ｎ’−ビス（３−イソプロピル−５−ｎ−プロピルサリチリデン）−１，２−ベンゼンジアミン］コバルトアセテート、［Ｎ，Ｎ’−ビス（３−イソプロピル−５−ｎ−プロピルサリチリデン）−１，３−ベンゼンジアミン］コバルトアセテート、［Ｎ，Ｎ’−ビス（３−イソプロピル−５−ｎ−プロピルサリチリデン）−１，４−ベンゼンジアミン］コバルトアセテート、［Ｎ，Ｎ’−ビス（３−イソプロピル−５−ｎ−プロピルサリチリデン）−４−メトキシ−１，２−ベンゼンジアミン］コバルトアセテート、［Ｎ，Ｎ’−ビス（３−イソプロピル−５−ｎ−プロピルサリチリデン）−２，３−ナフタレンジアミン］コバルトアセテート、［Ｎ，Ｎ’−ビス（３−イソプロピル−５−ｎ−プロピルサリチリデン）−１，８−ナフタレンジアミン］コバルトアセテート、
【００７０】
［Ｎ，Ｎ’−ビス（５−ｎ−ブチル−３−イソプロピルサリチリデン）メタンジアミン］コバルトアセテート、［Ｎ，Ｎ’−ビス（５−ｎ−ブチル−３−イソプロピルサリチリデン）−１，２−エタンジアミン］コバルトアセテート、［Ｎ，Ｎ’−ビス（５−ｎ−ブチル−３−イソプロピルサリチリデン）−１，３−プロパンジアミン］コバルトアセテート、［Ｎ，Ｎ’−ビス（５−ｎ−ブチル−３−イソプロピルサリチリデン）−１，２−シクロペンタンジアミン］コバルトアセテート、［Ｎ，Ｎ’−ビス（５−ｎ−ブチル−３−イソプロピルサリチリデン）−１，３−シクロペンタンジアミン］コバルトアセテート、［Ｎ，Ｎ’−ビス（５−ｎ−ブチル−３−イソプロピルサリチリデン）−１，２−シクロヘキサンジアミン］コバルトアセテート、［Ｎ，Ｎ’−ビス（５−ｎ−ブチル−３−イソプロピルサリチリデン）−１，３−シクロヘキサンジアミン］コバルトアセテート、［Ｎ，Ｎ’−ビス（５−ｎ−ブチル−３−イソプロピルサリチリデン）−１，４−シクロヘキサンジアミン］コバルトアセテート、［Ｎ，Ｎ’−ビス（５−ｎ−ブチル−３−イソプロピルサリチリデン）−１，２−ノルボルナンジアミン］コバルトアセテート、［Ｎ，Ｎ’−ビス（５−ｎ−ブチル−３−イソプロピルサリチリデン）−１，２−ベンゼンジアミン］コバルトアセテート、［Ｎ，Ｎ’−ビス（５−ｎ−ブチル−３−イソプロピルサリチリデン）−１，３−ベンゼンジアミン］コバルトアセテート、［Ｎ，Ｎ’−ビス（５−ｎ−ブチル−３−イソプロピルサリチリデン）−１，４−ベンゼンジアミン］コバルトアセテート、［Ｎ，Ｎ’−ビス（５−ｎ−ブチル−３−イソプロピルサリチリデン）−４−メトキシ−１，２−ベンゼンジアミン］コバルトアセテート、［Ｎ，Ｎ’−ビス（５−ｎ−ブチル−３−イソプロピルサリチリデン）−２，３−ナフタレンジアミン］コバルトアセテート、［Ｎ，Ｎ’−ビス（５−ｎ−ブチル−３−イソプロピルサリチリデン）−１，８−ナフタレンジアミン］コバルトアセテート、
【００７１】
［Ｎ，Ｎ’−ビス（５−イソブチル−３−イソプロピルサリチリデン）メタンジアミン］コバルトアセテート、［Ｎ，Ｎ’−ビス（５−イソブチル−３−イソプロピルサリチリデン）−１，２−エタンジアミン］コバルトアセテート、［Ｎ，Ｎ’−ビス（５−イソブチル−３−イソプロピルサリチリデン）−１，３−プロパンジアミン］コバルトアセテート、［Ｎ，Ｎ’−ビス（５−イソブチル−３−イソプロピルサリチリデン）−１，２−シクロペンタンジアミン］コバルトアセテート、［Ｎ，Ｎ’−ビス（５−イソブチル−３−イソプロピルサリチリデン）−１，３−シクロペンタンジアミン］コバルトアセテート、［Ｎ，Ｎ’−ビス（５−イソブチル−３−イソプロピルサリチリデン）−１，２−シクロヘキサンジアミン］コバルトアセテート、［Ｎ，Ｎ’−ビス（５−イソブチル−３−イソプロピルサリチリデン）−１，３−シクロヘキサンジアミン］コバルトアセテート、［Ｎ，Ｎ’−ビス（５−イソブチル−３−イソプロピルサリチリデン）−１，４−シクロヘキサンジアミン］コバルトアセテート、［Ｎ，Ｎ’−ビス（５−イソブチル−３−イソプロピルサリチリデン）−１，２−ノルボルナンジアミン］コバルトアセテート、［Ｎ，Ｎ’−ビス（５−イソブチル−３−イソプロピルサリチリデン）−１，２−ベンゼンジアミン］コバルトアセテート、［Ｎ，Ｎ’−ビス（５−イソブチル−３−イソプロピルサリチリデン）−１，３−ベンゼンジアミン］コバルトアセテート、［Ｎ，Ｎ’−ビス（５−イソブチル−３−イソプロピルサリチリデン）−１，４−ベンゼンジアミン］コバルトアセテート、［Ｎ，Ｎ’−ビス（５−イソブチル−３−イソプロピルサリチリデン）−４−メトキシ−１，２−ベンゼンジアミン］コバルトアセテート、［Ｎ，Ｎ’−ビス（５−イソブチル−３−イソプロピルサリチリデン）−２，３−ナフタレンジアミン］コバルトアセテート、［Ｎ，Ｎ’−ビス（５−イソブチル−３−イソプロピルサリチリデン）−１，８−ナフタレンジアミン］コバルトアセテート、
【００７２】
［Ｎ，Ｎ’−ビス（５−ｓｅｃ−ブチル−３−イソプロピルサリチリデン）メタンジアミン］コバルトアセテート、［Ｎ，Ｎ’−ビス（５−ｓｅｃ−ブチル−３−イソプロピルサリチリデン）−１，２−エタンジアミン］コバルトアセテート、［Ｎ，Ｎ’−ビス（５−ｓｅｃ−ブチル−３−イソプロピルサリチリデン）−１，３−プロパンジアミン］コバルトアセテート、［Ｎ，Ｎ’−ビス（５−ｓｅｃ−ブチル−３−イソプロピルサリチリデン）−１，２−シクロペンタンジアミン］コバルトアセテート、［Ｎ，Ｎ’−ビス（５−ｓｅｃ−ブチル−３−イソプロピルサリチリデン）−１，３−シクロペンタンジアミン］コバルトアセテート、［Ｎ，Ｎ’−ビス（５−ｓｅｃ−ブチル−３−イソプロピルサリチリデン）−１，２−シクロヘキサンジアミン］コバルトアセテート、［Ｎ，Ｎ’−ビス（５−ｓｅｃ−ブチル−３−イソプロピルサリチリデン）−１，３−シクロヘキサンジアミン］コバルトアセテート、［Ｎ，Ｎ’−ビス（５−ｓｅｃ−ブチル−３−イソプロピルサリチリデン）−１，４−シクロヘキサンジアミン］コバルトアセテート、［Ｎ，Ｎ’−ビス（５−ｓｅｃ−ブチル−３−イソプロピルサリチリデン）−１，２−ノルボルナンジアミン］コバルトアセテート、［Ｎ，Ｎ’−ビス（５−ｓｅｃ−ブチル−３−イソプロピルサリチリデン）−１，２−ベンゼンジアミン］コバルトアセテート、［Ｎ，Ｎ’−ビス（５−ｓｅｃ−ブチル−３−イソプロピルサリチリデン）−１，３−ベンゼンジアミン］コバルトアセテート、［Ｎ，Ｎ’−ビス（５−ｓｅｃ−ブチル−３−イソプロピルサリチリデン）−１，４−ベンゼンジアミン］コバルトアセテート、［Ｎ，Ｎ’−ビス（５−ｓｅｃ−ブチル−３−イソプロピルサリチリデン）−４−メトキシ−１，２−ベンゼンジアミン］コバルトアセテート、［Ｎ，Ｎ’−ビス（５−ｓｅｃ−ブチル−３−イソプロピルサリチリデン）−２，３−ナフタレンジアミン］コバルトアセテート、［Ｎ，Ｎ’−ビス（５−ｓｅｃ−ブチル−３−イソプロピルサリチリデン）−１，８−ナフタレンジアミン］コバルトアセテート、
【００７３】
［Ｎ，Ｎ’−ビス（５−ｔｅｒｔ−ブチル−３−イソプロピルサリチリデン）メタンジアミン］コバルトアセテート、［Ｎ，Ｎ’−ビス（５−ｔｅｒｔ−ブチル−３−イソプロピルサリチリデン）−１，２−エタンジアミン］コバルトアセテート、［Ｎ，Ｎ’−ビス（５−ｔｅｒｔ−ブチル−３−イソプロピルサリチリデン）−１，３−プロパンジアミン］コバルトアセテート、［Ｎ，Ｎ’−ビス（５−ｔｅｒｔ−ブチル−３−イソプロピルサリチリデン）−１，２−シクロペンタンジアミン］コバルトアセテート、［Ｎ，Ｎ’−ビス（５−ｔｅｒｔ−ブチル−３−イソプロピルサリチリデン）−１，３−シクロペンタンジアミン］コバルトアセテート、［Ｎ，Ｎ’−ビス（５−ｔｅｒｔ−ブチル−３−イソプロピルサリチリデン）−１，２−シクロヘキサンジアミン］コバルトアセテート、［Ｎ，Ｎ’−ビス（５−ｔｅｒｔ−ブチル−３−イソプロピルサリチリデン）−１，３−シクロヘキサンジアミン］コバルトアセテート、［Ｎ，Ｎ’−ビス（５−ｔｅｒｔ−ブチル−３−イソプロピルサリチリデン）−１，４−シクロヘキサンジアミン］コバルトアセテート、［Ｎ，Ｎ’−ビス（５−ｔｅｒｔ−ブチル−３−イソプロピルサリチリデン）−１，２−ノルボルナンジアミン］コバルトアセテート、［Ｎ，Ｎ’−ビス（５−ｔｅｒｔ−ブチル−３−イソプロピルサリチリデン）−１，２−ベンゼンジアミン］コバルトアセテート、［Ｎ，Ｎ’−ビス（５−ｔｅｒｔ−ブチル−３−イソプロピルサリチリデン）−１，３−ベンゼンジアミン］コバルトアセテート、［Ｎ，Ｎ’−ビス（５−ｔｅｒｔ−ブチル−３−イソプロピルサリチリデン）−１，４−ベンゼンジアミン］コバルトアセテート、［Ｎ，Ｎ’−ビス（５−ｔｅｒｔ−ブチル−３−イソプロピルサリチリデン）−４−メトキシ−１，２−ベンゼンジアミン］コバルトアセテート、［Ｎ，Ｎ’−ビス（５−ｔｅｒｔ−ブチル−３−イソプロピルサリチリデン）−２，３−ナフタレンジアミン］コバルトアセテート、［Ｎ，Ｎ’−ビス（５−ｔｅｒｔ−ブチル−３−イソプロピルサリチリデン）−１，８−ナフタレンジアミン］コバルトアセテート、
【００７４】
［Ｎ，Ｎ’−ビス（５−ネオペンチル−３−イソプロピルサリチリデン）メタンジアミン］コバルトアセテート、［Ｎ，Ｎ’−ビス（５−ネオペンチル−３−イソプロピルサリチリデン）−１，２−エタンジアミン］コバルトアセテート、［Ｎ，Ｎ’−ビス（５−ネオペンチル−３−イソプロピルサリチリデン）−１，３−プロパンジアミン］コバルトアセテート、［Ｎ，Ｎ’−ビス（５−ネオペンチル−３−イソプロピルサリチリデン）−１，２−シクロペンタンジアミン］コバルトアセテート、［Ｎ，Ｎ’−ビス（５−ネオペンチル−３−イソプロピルサリチリデン）−１，３−シクロペンタンジアミン］コバルトアセテート、［Ｎ，Ｎ’−ビス（５−ネオペンチル−３−イソプロピルサリチリデン）−１，２−シクロヘキサンジアミン］コバルトアセテート、［Ｎ，Ｎ’−ビス（５−ネオペンチル−３−イソプロピルサリチリデン）−１，３−シクロヘキサンジアミン］コバルトアセテート、［Ｎ，Ｎ’−ビス（５−ネオペンチル−３−イソプロピルサリチリデン）−１，４−シクロヘキサンジアミン］コバルトアセテート、［Ｎ，Ｎ’−ビス（５−ネオペンチル−３−イソプロピルサリチリデン）−１，２−ノルボルナンジアミン］コバルトアセテート、［Ｎ，Ｎ’−ビス（５−ネオペンチル−３−イソプロピルサリチリデン）−１，２−ベンゼンジアミン］コバルトアセテート、［Ｎ，Ｎ’−ビス（５−ネオペンチル−３−イソプロピルサリチリデン）−１，３−ベンゼンジアミン］コバルトアセテート、［Ｎ，Ｎ’−ビス（５−ネオペンチル−３−イソプロピルサリチリデン）−１，４−ベンゼンジアミン］コバルトアセテート、［Ｎ，Ｎ’−ビス（５−ネオペンチル−３−イソプロピルサリチリデン）−４−メトキシ−１，２−ベンゼンジアミン］コバルトアセテート、［Ｎ，Ｎ’−ビス（５−ネオペンチル−３−イソプロピルサリチリデン）−２，３−ナフタレンジアミン］コバルトアセテート、［Ｎ，Ｎ’−ビス（５−ネオペンチル−３−イソプロピルサリチリデン）−１，８−ナフタレンジアミン］コバルトアセテート、
【００７５】
［Ｎ，Ｎ’−ビス（５−イソアミル−３−イソプロピルサリチリデン）メタンジアミン］コバルトアセテート、［Ｎ，Ｎ’−ビス（５−イソアミル−３−イソプロピルサリチリデン）−１，２−エタンジアミン］コバルトアセテート、［Ｎ，Ｎ’−ビス（５−イソアミル−３−イソプロピルサリチリデン）−１，３−プロパンジアミン］コバルトアセテート、［Ｎ，Ｎ’−ビス（５−イソアミル−３−イソプロピルサリチリデン）−１，２−シクロペンタンジアミン］コバルトアセテート、［Ｎ，Ｎ’−ビス（５−イソアミル−３−イソプロピルサリチリデン）−１，３−シクロペンタンジアミン］コバルトアセテート、［Ｎ，Ｎ’−ビス（５−イソアミル−３−イソプロピルサリチリデン）−１，２−シクロヘキサンジアミン］コバルトアセテート、［Ｎ，Ｎ’−ビス（５−イソアミル−３−イソプロピルサリチリデン）−１，３−シクロヘキサンジアミン］コバルトアセテート、［Ｎ，Ｎ’−ビス（５−イソアミル−３−イソプロピルサリチリデン）−１，４−シクロヘキサンジアミン］コバルトアセテート、［Ｎ，Ｎ’−ビス（５−イソアミル−３−イソプロピルサリチリデン）−１，２−ノルボルナンジアミン］コバルトアセテート、［Ｎ，Ｎ’−ビス（５−イソアミル−３−イソプロピルサリチリデン）−１，２−ベンゼンジアミン］コバルトアセテート、［Ｎ，Ｎ’−ビス（５−イソアミル−３−イソプロピルサリチリデン）−１，３−ベンゼンジアミン］コバルトアセテート、［Ｎ，Ｎ’−ビス（５−イソアミル−３−イソプロピルサリチリデン）−１，４−ベンゼンジアミン］コバルトアセテート、［Ｎ，Ｎ’−ビス（５−イソアミル−３−イソプロピルサリチリデン）−４−メトキシ−１，２−ベンゼンジアミン］コバルトアセテート、［Ｎ，Ｎ’−ビス（５−イソアミル−３−イソプロピルサリチリデン）−２，３−ナフタレンジアミン］コバルトアセテート、［Ｎ，Ｎ’−ビス（５−イソアミル−３−イソプロピルサリチリデン）−１，８−ナフタレンジアミン］コバルトアセテート、
【００７６】
［Ｎ，Ｎ’−ビス（５−フェニル−３−イソプロピルサリチリデン）メタンジアミン］コバルトアセテート、［Ｎ，Ｎ’−ビス（５−フェニル−３−イソプロピルサリチリデン）−１，２−エタンジアミン］コバルトアセテート、［Ｎ，Ｎ’−ビス（５−フェニル−３−イソプロピルサリチリデン）−１，３−プロパンジアミン］コバルトアセテート、［Ｎ，Ｎ’−ビス（５−フェニル−３−イソプロピルサリチリデン）−１，２−シクロペンタンジアミン］コバルトアセテート、［Ｎ，Ｎ’−ビス（５−フェニル−３−イソプロピルサリチリデン）−１，３−シクロペンタンジアミン］コバルトアセテート、［Ｎ，Ｎ’−ビス（５−フェニル−３−イソプロピルサリチリデン）−１，２−シクロヘキサンジアミン］コバルトアセテート、［Ｎ，Ｎ’−ビス（５−フェニル−３−イソプロピルサリチリデン）−１，３−シクロヘキサンジアミン］コバルトアセテート、［Ｎ，Ｎ’−ビス（５−フェニル−３−イソプロピルサリチリデン）−１，４−シクロヘキサンジアミン］コバルトアセテート、［Ｎ，Ｎ’−ビス（５−フェニル−３−イソプロピルサリチリデン）−１，２−ノルボルナンジアミン］コバルトアセテート、［Ｎ，Ｎ’−ビス（５−フェニル−３−イソプロピルサリチリデン）−１，２−ベンゼンジアミン］コバルトアセテート、［Ｎ，Ｎ’−ビス（５−フェニル−３−イソプロピルサリチリデン）−１，３−ベンゼンジアミン］コバルトアセテート、［Ｎ，Ｎ’−ビス（５−フェニル−３−イソプロピルサリチリデン）−１，４−ベンゼンジアミン］コバルトアセテート、［Ｎ，Ｎ’−ビス（５−フェニル−３−イソプロピルサリチリデン）−４−メトキシ−１，２−ベンゼンジアミン］コバルトアセテート、［Ｎ，Ｎ’−ビス（５−フェニル−３−イソプロピルサリチリデン）−２，３−ナフタレンジアミン］コバルトアセテート、［Ｎ，Ｎ’−ビス（５−フェニル−３−イソプロピルサリチリデン）−１，８−ナフタレンジアミン］コバルトアセテート、
【００７７】
［Ｎ，Ｎ’−ビス（５−トリフルオロメチル−３−イソプロピルサリチリデン）メタンジアミン］コバルトアセテート、［Ｎ，Ｎ’−ビス（５−トリフルオロメチル−３−イソプロピルサリチリデン）−１，２−エタンジアミン］コバルトアセテート、［Ｎ，Ｎ’−ビス（５−トリフルオロメチル−３−イソプロピルサリチリデン）−１，３−プロパンジアミン］コバルトアセテート、［Ｎ，Ｎ’−ビス（５−トリフルオロメチル−３−イソプロピルサリチリデン）−１，２−シクロペンタンジアミン］コバルトアセテート、［Ｎ，Ｎ’−ビス（５−トリフルオロメチル−３−イソプロピルサリチリデン）−１，３−シクロペンタンジアミン］コバルトアセテート、［Ｎ，Ｎ’−ビス（５−トリフルオロメチル−３−イソプロピルサリチリデン）−１，２−シクロヘキサンジアミン］コバルトアセテート、［Ｎ，Ｎ’−ビス（５−トリフルオロメチル−３−イソプロピルサリチリデン）−１，３−シクロヘキサンジアミン］コバルトアセテート、［Ｎ，Ｎ’−ビス（５−トリフルオロメチル−３−イソプロピルサリチリデン）−１，４−シクロヘキサンジアミン］コバルトアセテート、［Ｎ，Ｎ’−ビス（５−トリフルオロメチル−３−イソプロピルサリチリデン）−１，２−ノルボルナンジアミン］コバルトアセテート、［Ｎ，Ｎ’−ビス（５−トリフルオロメチル−３−イソプロピルサリチリデン）−１，２−ベンゼンジアミン］コバルトアセテート、［Ｎ，Ｎ’−ビス（５−トリフルオロメチル−３−イソプロピルサリチリデン）−１，３−ベンゼンジアミン］コバルトアセテート、［Ｎ，Ｎ’−ビス（５−トリフルオロメチル−３−イソプロピルサリチリデン）−１，４−ベンゼンジアミン］コバルトアセテート、［Ｎ，Ｎ’−ビス（５−トリフルオロメチル−３−イソプロピルサリチリデン）−４−メトキシ−１，２−ベンゼンジアミン］コバルトアセテート、［Ｎ，Ｎ’−ビス（５−トリフルオロメチル−３−イソプロピルサリチリデン）−２，３−ナフタレンジアミン］コバルトアセテート、［Ｎ，Ｎ’−ビス（５−トリフルオロメチル−３−イソプロピルサリチリデン）−１，８−ナフタレンジアミン］コバルトアセテート、
【００７８】
［Ｎ，Ｎ’−ビス（３−イソプロピル−５−トリメチルシリルサリチリデン）メタンジアミン］コバルトアセテート、［Ｎ，Ｎ’−ビス（３−イソプロピル−５−トリメチルシリルサリチリデン）−１，２−エタンジアミン］コバルトアセテート、［Ｎ，Ｎ’−ビス（３−イソプロピル−５−トリメチルシリルサリチリデン）−１，３−プロパンジアミン］コバルトアセテート、［Ｎ，Ｎ’−ビス（３−イソプロピル−５−トリメチルシリルサリチリデン）−１，２−シクロペンタンジアミン］コバルトアセテート、［Ｎ，Ｎ’−ビス（３−イソプロピル−５−トリメチルシリルサリチリデン）−１，３−シクロペンタンジアミン］コバルトアセテート、［Ｎ，Ｎ’−ビス（３−イソプロピル−５−トリメチルシリルサリチリデン）−１，２−シクロヘキサンジアミン］コバルトアセテート、［Ｎ，Ｎ’−ビス（３−イソプロピル−５−トリメチルシリルサリチリデン）−１，３−シクロヘキサンジアミン］コバルトアセテート、［Ｎ，Ｎ’−ビス（３−イソプロピル−５−トリメチルシリルサリチリデン）−１，４−シクロヘキサンジアミン］コバルトアセテート、［Ｎ，Ｎ’−ビス（３−イソプロピル−５−トリメチルシリルサリチリデン）−１，２−ノルボルナンジアミン］コバルトアセテート、［Ｎ，Ｎ’−ビス（３−イソプロピル−５−トリメチルシリルサリチリデン）−１，２−ベンゼンジアミン］コバルトアセテート、［Ｎ，Ｎ’−ビス（３−イソプロピル−５−トリメチルシリルサリチリデン）−１，３−ベンゼンジアミン］コバルトアセテート、［Ｎ，Ｎ’−ビス（３−イソプロピル−５−トリメチルシリルサリチリデン）−１，４−ベンゼンジアミン］コバルトアセテート、［Ｎ，Ｎ’−ビス（３−イソプロピル−５−トリメチルシリルサリチリデン）−４−メトキシ−１，２−ベンゼンジアミン］コバルトアセテート、［Ｎ，Ｎ’−ビス（３−イソプロピル−５−トリメチルシリルサリチリデン）−２，３−ナフタレンジアミン］コバルトアセテート、［Ｎ，Ｎ’−ビス（３−イソプロピル−５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【００７９】
［Ｎ，Ｎ’−ビス（３−ｔｅｒｔ−ブチル−５−メチルサリチリデン）メタンジアミン］コバルトアセテート、［Ｎ，Ｎ’−ビス（３−ｔｅｒｔ−ブチル−５−メチルサリチリデン）−１，２−エタンジアミン］コバルトアセテート、［Ｎ，Ｎ’−ビス（３−ｔｅｒｔ−ブチル−５−メチルサリチリデン）−１，３−プロパンジアミン］コバルトアセテート、［Ｎ，Ｎ’−ビス（３−ｔｅｒｔ−ブチル−５−メチルサリチリデン）−１，２−シクロペンタンジアミン］コバルトアセテート、［Ｎ，Ｎ’−ビス（３−ｔｅｒｔ−ブチル−５−メチルサリチリデン）−１，３−シクロペンタンジアミン］コバルトアセテート、［Ｎ，Ｎ’−ビス（３−ｔｅｒｔ−ブチル−５−メチルサリチリデン）−１，２−シクロヘキサンジアミン］コバルトアセテート、［Ｎ，Ｎ’−ビス（３−ｔｅｒｔ−ブチル−５−メチルサリチリデン）−１，３−シクロヘキサンジアミン］コバルトアセテート、［Ｎ，Ｎ’−ビス（３−ｔｅｒｔ−ブチル−５−メチルサリチリデン）−１，４−シクロヘキサンジアミン］コバルトアセテート、［Ｎ，Ｎ’−ビス（３−ｔｅｒｔ−ブチル−５−メチルサリチリデン）−１，２−ノルボルナンジアミン］コバルトアセテート、［Ｎ，Ｎ’−ビス（３−ｔｅｒｔ−ブチル−５−メチルサリチリデン）−１，２−ベンゼンジアミン］コバルトアセテート、［Ｎ，Ｎ’−ビス（３−ｔｅｒｔ−ブチル−５−メチルサリチリデン）−１，３−ベンゼンジアミン］コバルトアセテート、［Ｎ，Ｎ’−ビス（３−ｔｅｒｔ−ブチル−５−メチルサリチリデン）−１，４−ベンゼンジアミン］コバルトアセテート、［Ｎ，Ｎ’−ビス（３−ｔｅｒｔ−ブチル−５−メチルサリチリデン）−４−メトキシ−１，２−ベンゼンジアミン］コバルトアセテート、［Ｎ，Ｎ’−ビス（３−ｔｅｒｔ−ブチル−５−メチルサリチリデン）−２，３−ナフタレンジアミン］コバルトアセテート、［Ｎ，Ｎ’−ビス（３−ｔｅｒｔ−ブチル−５−メチルサリチリデン）−１，８−ナフタレンジアミン］コバルトアセテート、
【００８０】
［Ｎ，Ｎ’−ビス（３−ｔｅｒｔ−ブチル−５−エチルサリチリデン）メタンジアミン］コバルトアセテート、［Ｎ，Ｎ’−ビス（３−ｔｅｒｔ−ブチル−５−エチルサリチリデン）−１，２−エタンジアミン］コバルトアセテート、［Ｎ，Ｎ’−ビス（３−ｔｅｒｔ−ブチル−５−エチルサリチリデン）−１，３−プロパンジアミン］コバルトアセテート、［Ｎ，Ｎ’−ビス（３−ｔｅｒｔ−ブチル−５−エチルサリチリデン）−１，２−シクロペンタンジアミン］コバルトアセテート、［Ｎ，Ｎ’−ビス（３−ｔｅｒｔ−ブチル−５−エチルサリチリデン）−１，３−シクロペンタンジアミン］コバルトアセテート、［Ｎ，Ｎ’−ビス（３−ｔｅｒｔ−ブチル−５−エチルサリチリデン）−１，２−シクロヘキサンジアミン］コバルトアセテート、［Ｎ，Ｎ’−ビス（３−ｔｅｒｔ−ブチル−５−エチルサリチリデン）−１，３−シクロヘキサンジアミン］コバルトアセテート、［Ｎ，Ｎ’−ビス（３−ｔｅｒｔ−ブチル−５−エチルサリチリデン）−１，４−シクロヘキサンジアミン］コバルトアセテート、［Ｎ，Ｎ’−ビス（３−ｔｅｒｔ−ブチル−５−エチルサリチリデン）−１，２−ノルボルナンジアミン］コバルトアセテート、［Ｎ，Ｎ’−ビス（３−ｔｅｒｔ−ブチル−５−エチルサリチリデン）−１，２−ベンゼンジアミン］コバルトアセテート、［Ｎ，Ｎ’−ビス（３−ｔｅｒｔ−ブチル−５−エチルサリチリデン）−１，３−ベンゼンジアミン］コバルトアセテート、［Ｎ，Ｎ’−ビス（３−ｔｅｒｔ−ブチル−５−エチルサリチリデン）−１，４−ベンゼンジアミン］コバルトアセテート、［Ｎ，Ｎ’−ビス（３−ｔｅｒｔ−ブチル−５−エチルサリチリデン）−４−メトキシ−１，２−ベンゼンジアミン］コバルトアセテート、［Ｎ，Ｎ’−ビス（３−ｔｅｒｔ−ブチル−５−エチルサリチリデン）−２，３−ナフタレンジアミン］コバルトアセテート、［Ｎ，Ｎ’−ビス（３−ｔｅｒｔ−ブチル−５−エチルサリチリデン）−１，８−ナフタレンジアミン］コバルトアセテート、
【００８１】
［Ｎ，Ｎ’−ビス（３−ｔｅｒｔ−ブチル−５−ｎ−プロピルサリチリデン）メタンジアミン］コバルトアセテート、［Ｎ，Ｎ’−ビス（３−ｔｅｒｔ−ブチル−５−ｎ−プロピルサリチリデン）−１，２−エタンジアミン］コバルトアセテート、［Ｎ，Ｎ’−ビス（３−ｔｅｒｔ−ブチル−５−ｎ−プロピルサリチリデン）−１，３−プロパンジアミン］コバルトアセテート、［Ｎ，Ｎ’−ビス（３−ｔｅｒｔ−ブチル−５−ｎ−プロピルサリチリデン）−１，２−シクロペンタンジアミン］コバルトアセテート、［Ｎ，Ｎ’−ビス（３−ｔｅｒｔ−ブチル−５−ｎ−プロピルサリチリデン）−１，３−シクロペンタンジアミン］コバルトアセテート、［Ｎ，Ｎ’−ビス（３−ｔｅｒｔ−ブチル−５−ｎ−プロピルサリチリデン）−１，２−シクロヘキサンジアミン］コバルトアセテート、［Ｎ，Ｎ’−ビス（３−ｔｅｒｔ−ブチル−５−ｎ−プロピルサリチリデン）−１，３−シクロヘキサンジアミン］コバルトアセテート、［Ｎ，Ｎ’−ビス（３−ｔｅｒｔ−ブチル−５−ｎ−プロピルサリチリデン）−１，４−シクロヘキサンジアミン］コバルトアセテート、［Ｎ，Ｎ’−ビス（３−ｔｅｒｔ−ブチル−５−ｎ−プロピルサリチリデン）−１，２−ノルボルナンジアミン］コバルトアセテート、［Ｎ，Ｎ’−ビス（３−ｔｅｒｔ−ブチル−５−ｎ−プロピルサリチリデン）−１，２−ベンゼンジアミン］コバルトアセテート、［Ｎ，Ｎ’−ビス（３−ｔｅｒｔ−ブチル−５−ｎ−プロピルサリチリデン）−１，３−ベンゼンジアミン］コバルトアセテート、［Ｎ，Ｎ’−ビス（３−ｔｅｒｔ−ブチル−５−ｎ−プロピルサリチリデン）−１，４−ベンゼンジアミン］コバルトアセテート、［Ｎ，Ｎ’−ビス（３−ｔｅｒｔ−ブチル−５−ｎ−プロピルサリチリデン）−４−メトキシ−１，２−ベンゼンジアミン］コバルトアセテート、［Ｎ，Ｎ’−ビス（３−ｔｅｒｔ−ブチル−５−ｎ−プロピルサリチリデン）−２，３−ナフタレンジアミン］コバルトアセテート、［Ｎ，Ｎ’−ビス（３−ｔｅｒｔ−ブチル−５−ｎ−プロピルサリチリデン）−１，８−ナフタレンジアミン］コバルトアセテート、
【００８２】
［Ｎ，Ｎ’−ビス（３−ｔｅｒｔ−ブチル−５−イソプロピルサリチリデン）メタンジアミン］コバルトアセテート、［Ｎ，Ｎ’−ビス（３−ｔｅｒｔ−ブチル−５−イソプロピルサリチリデン）−１，２−エタンジアミン］コバルトアセテート、［Ｎ，Ｎ’−ビス（３−ｔｅｒｔ−ブチル−５−イソプロピルサリチリデン）−１，３−プロパンジアミン］コバルトアセテート、［Ｎ，Ｎ’−ビス（３−ｔｅｒｔ−ブチル−５−イソプロピルサリチリデン）−１，２−シクロペンタンジアミン］コバルトアセテート、［Ｎ，Ｎ’−ビス（３−ｔｅｒｔ−ブチル−５−イソプロピルサリチリデン）−１，３−シクロペンタンジアミン］コバルトアセテート、［Ｎ，Ｎ’−ビス（３−ｔｅｒｔ−ブチル−５−イソプロピルサリチリデン）−１，２−シクロヘキサンジアミン］コバルトアセテート、［Ｎ，Ｎ’−ビス（３−ｔｅｒｔ−ブチル−５−イソプロピルサリチリデン）−１，３−シクロヘキサンジアミン］コバルトアセテート、［Ｎ，Ｎ’−ビス（３−ｔｅｒｔ−ブチル−５−イソプロピルサリチリデン）−１，４−シクロヘキサンジアミン］コバルトアセテート、［Ｎ，Ｎ’−ビス（３−ｔｅｒｔ−ブチル−５−イソプロピルサリチリデン）−１，２−ノルボルナンジアミン］コバルトアセテート、［Ｎ，Ｎ’−ビス（３−ｔｅｒｔ−ブチル−５−イソプロピルサリチリデン）−１，２−ベンゼンジアミン］コバルトアセテート、［Ｎ，Ｎ’−ビス（３−ｔｅｒｔ−ブチル−５−イソプロピルサリチリデン）−１，３−ベンゼンジアミン］コバルトアセテート、［Ｎ，Ｎ’−ビス（３−ｔｅｒｔ−ブチル−５−イソプロピルサリチリデン）−１，４−ベンゼンジアミン］コバルトアセテート、［Ｎ，Ｎ’−ビス（３−ｔｅｒｔ−ブチル−５−イソプロピルサリチリデン）−４−メトキシ−１，２−ベンゼンジアミン］コバルトアセテート、［Ｎ，Ｎ’−ビス（３−ｔｅｒｔ−ブチル−５−イソプロピルサリチリデン）−２，３−ナフタレンジアミン］コバルトアセテート、［Ｎ，Ｎ’−ビス（３−ｔｅｒｔ−ブチル−５−イソプロピルサリチリデン）−１，８−ナフタレンジアミン］コバルトアセテート、
【００８３】
［Ｎ，Ｎ’−ビス（５−ｎ−ブチル−３−ｔｅｒｔ−ブチルサリチリデン）メタンジアミン］コバルトアセテート、［Ｎ，Ｎ’−ビス（５−ｎ−ブチル−３−ｔｅｒｔ−ブチルサリチリデン）−１，２−エタンジアミン］コバルトアセテート、［Ｎ，Ｎ’−ビス（５−ｎ−ブチル−３−ｔｅｒｔ−ブチルサリチリデン）−１，３−プロパンジアミン］コバルトアセテート、［Ｎ，Ｎ’−ビス（５−ｎ−ブチル−３−ｔｅｒｔ−ブチルサリチリデン）−１，２−シクロペンタンジアミン］コバルトアセテート、［Ｎ，Ｎ’−ビス（５−ｎ−ブチル−３−ｔｅｒｔ−ブチルサリチリデン）−１，３−シクロペンタンジアミン］コバルトアセテート、［Ｎ，Ｎ’−ビス（５−ｎ−ブチル−３−ｔｅｒｔ−ブチルサリチリデン）−１，２−シクロヘキサンジアミン］コバルトアセテート、［Ｎ，Ｎ’−ビス（５−ｎ−ブチル−３−ｔｅｒｔ−ブチルサリチリデン）−１，３−シクロヘキサンジアミン］コバルトアセテート、［Ｎ，Ｎ’−ビス（５−ｎ−ブチル−３−ｔｅｒｔ−ブチルサリチリデン）−１，４−シクロヘキサンジアミン］コバルトアセテート、［Ｎ，Ｎ’−ビス（５−ｎ−ブチル−３−ｔｅｒｔ−ブチルサリチリデン）−１，２−ノルボルナンジアミン］コバルトアセテート、［Ｎ，Ｎ’−ビス（５−ｎ−ブチル−３−ｔｅｒｔ−ブチルサリチリデン）−１，２−ベンゼンジアミン］コバルトアセテート、［Ｎ，Ｎ’−ビス（５−ｎ−ブチル−３−ｔｅｒｔ−ブチルサリチリデン）−１，３−ベンゼンジアミン］コバルトアセテート、［Ｎ，Ｎ’−ビス（５−ｎ−ブチル−３−ｔｅｒｔ−ブチルサリチリデン）−１，４−ベンゼンジアミン］コバルトアセテート、［Ｎ，Ｎ’−ビス（５−ｎ−ブチル−３−ｔｅｒｔ−ブチルサリチリデン）−４−メトキシ−１，２−ベンゼンジアミン］コバルトアセテート、［Ｎ，Ｎ’−ビス（５−ｎ−ブチル−３−ｔｅｒｔ−ブチルサリチリデン）−２，３−ナフタレンジアミン］コバルトアセテート、［Ｎ，Ｎ’−ビス（５−ｎ−ブチル−３−ｔｅｒｔ−ブチルサリチリデン）−１，８−ナフタレンジアミン］コバルトアセテート、
【００８４】
［Ｎ，Ｎ’−ビス（５−イソブチル−３−ｔｅｒｔ−ブチルサリチリデン）メタンジアミン］コバルトアセテート、［Ｎ，Ｎ’−ビス（５−イソブチル−３−ｔｅｒｔ−ブチルサリチリデン）−１，２−エタンジアミン］コバルトアセテート、［Ｎ，Ｎ’−ビス（５−イソブチル−３−ｔｅｒｔ−ブチルサリチリデン）−１，３−プロパンジアミン］コバルトアセテート、［Ｎ，Ｎ’−ビス（５−イソブチル−３−ｔｅｒｔ−ブチルサリチリデン）−１，２−シクロペンタンジアミン］コバルトアセテート、［Ｎ，Ｎ’−ビス（５−イソブチル−３−ｔｅｒｔ−ブチルサリチリデン）−１，３−シクロペンタンジアミン］コバルトアセテート、［Ｎ，Ｎ’−ビス（５−イソブチル−３−ｔｅｒｔ−ブチルサリチリデン）−１，２−シクロヘキサンジアミン］コバルトアセテート、［Ｎ，Ｎ’−ビス（５−イソブチル−３−ｔｅｒｔ−ブチルサリチリデン）−１，３−シクロヘキサンジアミン］コバルトアセテート、［Ｎ，Ｎ’−ビス（５−イソブチル−３−ｔｅｒｔ−ブチルサリチリデン）−１，４−シクロヘキサンジアミン］コバルトアセテート、［Ｎ，Ｎ’−ビス（５−イソブチル−３−ｔｅｒｔ−ブチルサリチリデン）−１，２−ノルボルナンジアミン］コバルトアセテート、［Ｎ，Ｎ’−ビス（５−イソブチル−３−ｔｅｒｔ−ブチルサリチリデン）−１，２−ベンゼンジアミン］コバルトアセテート、［Ｎ，Ｎ’−ビス（５−イソブチル−３−ｔｅｒｔ−ブチルサリチリデン）−１，３−ベンゼンジアミン］コバルトアセテート、［Ｎ，Ｎ’−ビス（５−イソブチル−３−ｔｅｒｔ−ブチルサリチリデン）−１，４−ベンゼンジアミン］コバルトアセテート、［Ｎ，Ｎ’−ビス（５−イソブチル−３−ｔｅｒｔ−ブチルサリチリデン）−４−メトキシ−１，２−ベンゼンジアミン］コバルトアセテート、［Ｎ，Ｎ’−ビス（５−イソブチル−３−ｔｅｒｔ−ブチルサリチリデン）−２，３−ナフタレンジアミン］コバルトアセテート、［Ｎ，Ｎ’−ビス（５−イソブチル−３−ｔｅｒｔ−ブチルサリチリデン）−１，８−ナフタレンジアミン］コバルトアセテート、
【００８５】
［Ｎ，Ｎ’−ビス（５−ｓｅｃ−ブチル−３−ｔｅｒｔ−ブチルサリチリデン）メタンジアミン］コバルトアセテート、［Ｎ，Ｎ’−ビス（５−ｓｅｃ−ブチル−３−ｔｅｒｔ−ブチルサリチリデン）−１，２−エタンジアミン］コバルトアセテート、［Ｎ，Ｎ’−ビス（５−ｓｅｃ−ブチル−３−ｔｅｒｔ−ブチルサリチリデン）−１，３−プロパンジアミン］コバルトアセテート、［Ｎ，Ｎ’−ビス（５−ｓｅｃ−ブチル−３−ｔｅｒｔ−ブチルサリチリデン）−１，２−シクロペンタンジアミン］コバルトアセテート、［Ｎ，Ｎ’−ビス（５−ｓｅｃ−ブチル−３−ｔｅｒｔ−ブチルサリチリデン）−１，３−シクロペンタンジアミン］コバルトアセテート、［Ｎ，Ｎ’−ビス（５−ｓｅｃ−ブチル−３−ｔｅｒｔ−ブチルサリチリデン）−１，２−シクロヘキサンジアミン］コバルトアセテート、［Ｎ，Ｎ’−ビス（５−ｓｅｃ−ブチル−３−ｔｅｒｔ−ブチルサリチリデン）−１，３−シクロヘキサンジアミン］コバルトアセテート、［Ｎ，Ｎ’−ビス（５−ｓｅｃ−ブチル−３−ｔｅｒｔ−ブチルサリチリデンン）−１，４−シクロヘキサンジアミン］コバルトアセテート、［Ｎ，Ｎ’−ビス（５−ｓｅｃ−ブチル−３−ｔｅｒｔ−ブチルサリチリデン）−１，２−ノルボルナンジアミン］コバルトアセテート、［Ｎ，Ｎ’−ビス（５−ｓｅｃ−ブチル−３−ｔｅｒｔ−ブチルサリチリデン）−１，２−ベンゼンジアミン］コバルトアセテート、［Ｎ，Ｎ’−ビス（５−ｓｅｃ−ブチル−３−ｔｅｒｔ−ブチルサリチリデン）−１，３−ベンゼンジアミン］コバルトアセテート、［Ｎ，Ｎ’−ビス（５−ｓｅｃ−ブチル−３−ｔｅｒｔ−ブチルサリチリデン）−１，４−ベンゼンジアミン］コバルトアセテート、［Ｎ，Ｎ’−ビス（５−ｓｅｃ−ブチル−３−ｔｅｒｔ−ブチルサリチリデン）−４−メトキシ−１，２−ベンゼンジアミン］コバルトアセテート、［Ｎ，Ｎ’−ビス（５−ｓｅｃ−ブチル−３−ｔｅｒｔ−ブチルサリチリデン）−２，３−ナフタレンジアミン］コバルトアセテート、［Ｎ，Ｎ’−ビス（５−ｓｅｃ−ブチル−３−ｔｅｒｔ−ブチルサリチリデン）−１，８−ナフタレンジアミン］コバルトアセテート、
【００８６】
［Ｎ，Ｎ’−ビス（３−ｔｅｒｔ−ブチル−５−ネオペンチルサリチリデン）メタンジアミン］コバルトアセテート、［Ｎ，Ｎ’−ビス（３−ｔｅｒｔ−ブチル−５−ネオペンチルサリチリデン）−１，２−エタンジアミン］コバルトアセテート、［Ｎ，Ｎ’−ビス（３−ｔｅｒｔ−ブチル−５−ネオペンチルサリチリデン）−１，３−プロパンジアミン］コバルトアセテート、［Ｎ，Ｎ’−ビス（３−ｔｅｒｔ−ブチル−５−ネオペンチルサリチリデン）−１，２−シクロペンタンジアミン］コバルトアセテート、［Ｎ，Ｎ’−ビス（３−ｔｅｒｔ−ブチル−５−ネオペンチルサリチリデン）−１，３−シクロペンタンジアミン］コバルトアセテート、［Ｎ，Ｎ’−ビス（３−ｔｅｒｔ−ブチル−５−ネオペンチルサリチリデン）−１，２−シクロヘキサンジアミン］コバルトアセテート、［Ｎ，Ｎ’−ビス（３−ｔｅｒｔ−ブチル−５−ネオペンチルサリチリデン）−１，３−シクロヘキサンジアミン］コバルトアセテート、［Ｎ，Ｎ’−ビス（３−ｔｅｒｔ−ブチル−５−ネオペンチルサリチリデン）−１，４−シクロヘキサンジアミン］コバルトアセテート、［Ｎ，Ｎ’−ビス（３−ｔｅｒｔ−ブチル−５−ネオペンチルサリチリデン）−１，２−ノルボルナンジアミン］コバルトアセテート、［Ｎ，Ｎ’−ビス（３−ｔｅｒｔ−ブチル−５−ネオペンチルサリチリデン）−１，２−ベンゼンジアミン］コバルトアセテート、［Ｎ，Ｎ’−ビス（３−ｔｅｒｔ−ブチル−５−ネオペンチルサリチリデン）−１，３−ベンゼンジアミン］コバルトアセテート、［Ｎ，Ｎ’−ビス（３−ｔｅｒｔ−ブチル−５−ネオペンチルサリチリデン）−１，４−ベンゼンジアミン］コバルトアセテート、［Ｎ，Ｎ’−ビス（３−ｔｅｒｔ−ブチル−５−ネオペンチルサリチリデン）−４−メトキシ−１，２−ベンゼンジアミン］コバルトアセテート、［Ｎ，Ｎ’−ビス（３−ｔｅｒｔ−ブチル−５−ネオペンチルサリチリデン）−２，３−ナフタレンジアミン］コバルトアセテート、［Ｎ，Ｎ’−ビス（３−ｔｅｒｔ−ブチル−５−ネオペンチルサリチリデン）−１，８−ナフタレンジアミン］コバルトアセテート、
【００８７】
［Ｎ，Ｎ’−ビス（５−イソアミル３−ｔｅｒｔ−ブチルサリチリデン）メタンジアミン］コバルトアセテート、［Ｎ，Ｎ’−ビス（５−イソアミル３−ｔｅｒｔ−ブチルサリチリデン）−１，２−エタンジアミン］コバルトアセテート、［Ｎ，Ｎ’−ビス（５−イソアミル３−ｔｅｒｔ−ブチルサリチリデン）−１，３−プロパンジアミン］コバルトアセテート、［Ｎ，Ｎ’−ビス（５−イソアミル３−ｔｅｒｔ−ブチルサリチリデン）−１，２−シクロペンタンジアミン］コバルトアセテート、［Ｎ，Ｎ’−ビス（５−イソアミル３−ｔｅｒｔ−ブチルサリチリデン）−１，３−シクロペンタンジアミン］コバルトアセテート、［Ｎ，Ｎ’−ビス（５−イソアミル３−ｔｅｒｔ−ブチルサリチリデン）−１，２−シクロヘキサンジアミン］コバルトアセテート、［Ｎ，Ｎ’−ビス（５−イソアミル３−ｔｅｒｔ−ブチルサリチリデン）−１，３−シクロヘキサンジアミン］コバルトアセテート、［Ｎ，Ｎ’−ビス（５−イソアミル３−ｔｅｒｔ−ブチルサリチリデン）−１，４−シクロヘキサンジアミン］コバルトアセテート、［Ｎ，Ｎ’−ビス（５−イソアミル３−ｔｅｒｔ−ブチルサリチリデン）−１，２−ノルボルナンジアミン］コバルトアセテート、［Ｎ，Ｎ’−ビス（５−イソアミル３−ｔｅｒｔ−ブチルサリチリデン）−１，２−ベンゼンジアミン］コバルトアセテート、［Ｎ，Ｎ’−ビス（５−イソアミル３−ｔｅｒｔ−ブチルサリチリデン）−１，３−ベンゼンジアミン］コバルトアセテート、［Ｎ，Ｎ’−ビス（５−イソアミル３−ｔｅｒｔ−ブチルサリチリデン）−１，４−ベンゼンジアミン］コバルトアセテート、［Ｎ，Ｎ’−ビス（５−イソアミル３−ｔｅｒｔ−ブチルサリチリデン）−４−メトキシ−１，２−ベンゼンジアミン］コバルトアセテート、［Ｎ，Ｎ’−ビス（５−イソアミル３−ｔｅｒｔ−ブチルサリチリデン）−２，３−ナフタレンジアミン］コバルトアセテート、［Ｎ，Ｎ’−ビス（５−イソアミル３−ｔｅｒｔ−ブチルサリチリデン）−１，８−ナフタレンジアミン］コバルトアセテート、
【００８８】
［Ｎ，Ｎ’−ビス（３−ｔｅｒｔ−ブチル−５−フェニルサリチリデン）メタンジアミン］コバルトアセテート、［Ｎ，Ｎ’−ビス（３−ｔｅｒｔ−ブチル−５−フェニルサリチリデン）−１，２−エタンジアミン］コバルトアセテート、［Ｎ，Ｎ’−ビス（３−ｔｅｒｔ−ブチル−５−フェニルサリチリデン）−１，３−プロパンジアミン］コバルトアセテート、［Ｎ，Ｎ’−ビス（３−ｔｅｒｔ−ブチル−５−フェニルサリチリデン）−１，２−シクロペンタンジアミン］コバルトアセテート、［Ｎ，Ｎ’−ビス（３−ｔｅｒｔ−ブチル−５−フェニルサリチリデン）−１，３−シクロペンタンジアミン］コバルトアセテート、［Ｎ，Ｎ’−ビス（３−ｔｅｒｔ−ブチル−５−フェニルサリチリデン）−１，２−シクロヘキサンジアミン］コバルトアセテート、［Ｎ，Ｎ’−ビス（３−ｔｅｒｔ−ブチル−５−フェニルサリチリデン）−１，３−シクロヘキサンジアミン］コバルトアセテート、［Ｎ，Ｎ’−ビス（３−ｔｅｒｔ−ブチル−５−フェニルサリチリデン）−１，４−シクロヘキサンジアミン］コバルトアセテート、［Ｎ，Ｎ’−ビス（３−ｔｅｒｔ−ブチル−５−フェニルサリチリデン）−１，２−ノルボルナンジアミン］コバルトアセテート、［Ｎ，Ｎ’−ビス（３−ｔｅｒｔ−ブチル−５−フェニルサリチリデン）−１，２−ベンゼンジアミン］コバルトアセテート、［Ｎ，Ｎ’−ビス（３−ｔｅｒｔ−ブチル−５−フェニルサリチリデン）−１，３−ベンゼンジアミン］コバルトアセテート、［Ｎ，Ｎ’−ビス（３−ｔｅｒｔ−ブチル−５−フェニルサリチリデン）−１，４−ベンゼンジアミン］コバルトアセテート、［Ｎ，Ｎ’−ビス（３−ｔｅｒｔ−ブチル−５−フェニルサリチリデン）−４−メトキシ−１，２−ベンゼンジアミン］コバルトアセテート、［Ｎ，Ｎ’−ビス（３−ｔｅｒｔ−ブチル−５−フェニルサリチリデン）−２，３−ナフタレンジアミン］コバルトアセテート、［Ｎ，Ｎ’−ビス（３−ｔｅｒｔ−ブチル−５−フェニルサリチリデン）−１，８−ナフタレンジアミン］コバルトアセテート、
【００８９】
［Ｎ，Ｎ’−ビス（３−ｔｅｒｔ−ブチル−５−トリフルオロメチルサリチリデン）メタンジアミン］コバルトアセテート、［Ｎ，Ｎ’−ビス（３−ｔｅｒｔ−ブチル−５−トリフルオロメチルサリチリデン）−１，２−エタンジアミン］コバルトアセテート、［Ｎ，Ｎ’−ビス（３−ｔｅｒｔ−ブチル−５−トリフルオロメチルサリチリデン）−１，３−プロパンジアミン］コバルトアセテート、［Ｎ，Ｎ’−ビス（３−ｔｅｒｔ−ブチル−５−トリフルオロメチルサリチリデン）−１，２−シクロペンタンジアミン］コバルトアセテート、［Ｎ，Ｎ’−ビス（３−ｔｅｒｔ−ブチル−５−トリフルオロメチルサリチリデン）−１，３−シクロペンタンジアミン］コバルトアセテート、［Ｎ，Ｎ’−ビス（３−ｔｅｒｔ−ブチル−５−トリフルオロメチルサリチリデン）−１，２−シクロヘキサンジアミン］コバルトアセテート、［Ｎ，Ｎ’−ビス（３−ｔｅｒｔ−ブチル−５−トリフルオロメチルサリチリデン）−１，３−シクロヘキサンジアミン］コバルトアセテート、［Ｎ，Ｎ’−ビス（３−ｔｅｒｔ−ブチル−５−トリフルオロメチルサリチリデン）−１，４−シクロヘキサンジアミン］コバルトアセテート、［Ｎ，Ｎ’−ビス（３−ｔｅｒｔ−ブチル−５−トリフルオロメチルサリチリデン）−１，２−ノルボルナンジアミン］コバルトアセテート、［Ｎ，Ｎ’−ビス（３−ｔｅｒｔ−ブチル−５−トリフルオロメチルサリチリデン）−１，２−ベンゼンジアミン］コバルトアセテート、［Ｎ，Ｎ’−ビス（３−ｔｅｒｔ−ブチル−５−トリフルオロメチルサリチリデン）−１，３−ベンゼンジアミン］コバルトアセテート、［Ｎ，Ｎ’−ビス（３−ｔｅｒｔ−ブチル−５−トリフルオロメチルサリチリデン）−１，４−ベンゼンジアミン］コバルトアセテート、［Ｎ，Ｎ’−ビス（３−ｔｅｒｔ−ブチル−５−トリフルオロメチルサリチリデン）−４−メトキシ−１，２−ベンゼンジアミン］コバルトアセテート、［Ｎ，Ｎ’−ビス（３−ｔｅｒｔ−ブチル−５−トリフルオロメチルサリチリデン）−２，３−ナフタレンジアミン］コバルトアセテート、［Ｎ，Ｎ’−ビス（３−ｔｅｒｔ−ブチル−５−トリフルオロメチルサリチリデン）−１，８−ナフタレンジアミン］コバルトアセテート、
【００９０】
［Ｎ，Ｎ’−ビス（３−ｔｅｒｔ−ブチル−５−トリメチルシリルサリチリデン）メタンジアミン］コバルトアセテート、［Ｎ，Ｎ’−ビス（３−ｔｅｒｔ−ブチル−５−トリメチルシリルサリチリデン）−１，２−エタンジアミン］コバルトアセテート、［Ｎ，Ｎ’−ビス（３−ｔｅｒｔ−ブチル−５−トリメチルシリルサリチリデン）−１，３−プロパンジアミン］コバルトアセテート、［Ｎ，Ｎ’−ビス（３−ｔｅｒｔ−ブチル−５−トリメチルシリルサリチリデン）−１，２−シクロペンタンジアミン］コバルトアセテート、［Ｎ，Ｎ’−ビス（３−ｔｅｒｔ−ブチル−５−トリメチルシリルサリチリデン）−１，３−シクロペンタンジアミン］コバルトアセテート、［Ｎ，Ｎ’−ビス（３−ｔｅｒｔ−ブチル−５−トリメチルシリルサリチリデン）−１，２−シクロヘキサンジアミン］コバルトアセテート、［Ｎ，Ｎ’−ビス（３−ｔｅｒｔ−ブチル−５−トリメチルシリルサリチリデン）−１，３−シクロヘキサンジアミン］コバルトアセテート、［Ｎ，Ｎ’−ビス（３−ｔｅｒｔ−ブチル−５−トリメチルシリルサリチリデン）−１，４−シクロヘキサンジアミン］コバルトアセテート、［Ｎ，Ｎ’−ビス（３−ｔｅｒｔ−ブチル−５−トリメチルシリルサリチリデン）−１，２−ノルボルナンジアミン］コバルトアセテート、［Ｎ，Ｎ’−ビス（３−ｔｅｒｔ−ブチル−５−トリメチルシリルサリチリデン）−１，２−ベンゼンジアミン］コバルトアセテート、［Ｎ，Ｎ’−ビス（３−ｔｅｒｔ−ブチル−５−トリメチルシリルサリチリデン）−１，３−ベンゼンジアミン］コバルトアセテート、［Ｎ，Ｎ’−ビス（３−ｔｅｒｔ−ブチル−５−トリメチルシリルサリチリデン）−１，４−ベンゼンジアミン］コバルトアセテート、［Ｎ，Ｎ’−ビス（３−ｔｅｒｔ−ブチル−５−トリメチルシリルサリチリデン）−４−メトキシ−１，２−ベンゼンジアミン］コバルトアセテート、［Ｎ，Ｎ’−ビス（３−ｔｅｒｔ−ブチル−５−トリメチルシリルサリチリデン）−２，３−ナフタレンジアミン］コバルトアセテート、［Ｎ，Ｎ’−ビス（３−ｔｅｒｔ−ブチル−５−トリメチルシリルサリチリデン）−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【００９１】
［Ｎ，Ｎ’−ビス（３，５−ジメチルサリチリデン）メタンジアミン］コバルトアセテート、［Ｎ，Ｎ’−ビス（３，５−ジメチルサリチリデン）−１，２−エタンジアミン］コバルトアセテート、［Ｎ，Ｎ’−ビス（３，５−ジメチルサリチリデン）−１，３−プロパンジアミン］コバルトアセテート、［Ｎ，Ｎ’−ビス（３，５−ジメチルサリチリデン）−１，２−シクロペンタンジアミン］コバルトアセテート、［Ｎ，Ｎ’−ビス（５３，５−ジメチルサリチリデン）−１，３−シクロペンタンジアミン］コバルトアセテート、［Ｎ，Ｎ’−ビス（３，５−ジメチルサリチリデン）−１，２−シクロヘキサンジアミン］コバルトアセテート、［Ｎ，Ｎ’−ビス（３，５−ジメチルサリチリデン）−１，３−シクロヘキサンジアミン］コバルトアセテート、［Ｎ，Ｎ’−ビス（３，５−ジメチルサリチリデン）−１，４−シクロヘキサンジアミン］コバルトアセテート、［Ｎ，Ｎ’−ビス（３，５−ジメチルサリチリデン）−１，２−ノルボルナンジアミン］コバルトアセテート、［Ｎ，Ｎ’−ビス（３，５−ジメチルサリチリデン）−１，２−ベンゼンジアミン］コバルトアセテート、［Ｎ，Ｎ’−ビス（３，５−ジメチルサリチリデン）−１，３−ベンゼンジアミン］コバルトアセテート、［Ｎ，Ｎ’−ビス（３，５−ジメチルサリチリデン）−１，４−ベンゼンジアミン］コバルトアセテート、［Ｎ，Ｎ’−ビス（３，５−ジメチルサリチリデン）−４−メトキシ−１，２−ベンゼンジアミン］コバルトアセテート、［Ｎ，Ｎ’−ビス（３，５−ジメチルサリチリデン）−２，３−ナフタレンジアミン］コバルトアセテート、［Ｎ，Ｎ’−ビス（３，５−ジメチルサリチリデン）−１，８−ナフタレンジアミン］コバルトアセテート、
【００９２】
［Ｎ，Ｎ’−ビス（３，５−ジエチルサリチリデン）メタンジアミン］コバルトアセテート、［Ｎ，Ｎ’−ビス（３，５−ジエチルサリチリデン）−１，２−エタンジアミン］コバルトアセテート、［Ｎ，Ｎ’−ビス（３，５−ジエチルサリチリデン）−１，３−プロパンジアミン］コバルトアセテート、［Ｎ，Ｎ’−ビス（３，５−ジエチルサリチリデン）−１，２−シクロペンタンジアミン］コバルトアセテート、［Ｎ，Ｎ’−ビス（３，５−ジエチルサリチリデン）−１，３−シクロペンタンジアミン］コバルトアセテート、［Ｎ，Ｎ’−ビス（３，５−ジエチルサリチリデン）−１，２−シクロヘキサンジアミン］コバルトアセテート、［Ｎ，Ｎ’−ビス（３，５−ジエチルサリチリデン）−１，３−シクロヘキサンジアミン］コバルトアセテート、［Ｎ，Ｎ’−ビス（３，５−ジエチルサリチリデン）−１，４−シクロヘキサンジアミン］コバルトアセテート、［Ｎ，Ｎ’−ビス（３，５−ジエチルサリチリデン）−１，２−ノルボルナンジアミン］コバルトアセテート、［Ｎ，Ｎ’−ビス（３，５−ジエチルサリチリデン）−１，２−ベンゼンジアミン］コバルトアセテート、［Ｎ，Ｎ’−ビス（３，５−ジエチルサリチリデン）−１，３−ベンゼンジアミン］コバルトアセテート、［Ｎ，Ｎ’−ビス（３，５−ジエチルサリチリデン）−１，４−ベンゼンジアミン］コバルトアセテート、［Ｎ，Ｎ’−ビス（３，５−ジエチルサリチリデン）−４−メトキシ−１，２−ベンゼンジアミン］コバルトアセテート、［Ｎ，Ｎ’−ビス（３，５−ジエチルサリチリデン）−２，３−ナフタレンジアミン］コバルトアセテート、［Ｎ，Ｎ’−ビス（３，５−ジエチルサリチリデン）−１，８−ナフタレンジアミン］コバルトアセテート、
【００９３】
［Ｎ，Ｎ’−ビス（３，５−ジ−ｎ−プロピルサリチリデン）メタンジアミン］コバルトアセテート、［Ｎ，Ｎ’−ビス（３，５−ジ−ｎ−プロピルサリチリデン）−１，２−エタンジアミン］コバルトアセテート、［Ｎ，Ｎ’−ビス（３，５−ジ−ｎ−プロピルサリチリデン）−１，３−プロパンジアミン］コバルトアセテート、［Ｎ，Ｎ’−ビス（３，５−ジ−ｎ−プロピルサリチリデン）−１，２−シクロペンタンジアミン］コバルトアセテート、［Ｎ，Ｎ’−ビス（３，５−ジ−ｎ−プロピルサリチリデン）−１，３−シクロペンタンジアミン］コバルトアセテート、［Ｎ，Ｎ’−ビス（３，５−ジ−ｎ−プロピルサリチリデン）−１，２−シクロヘキサンジアミン］コバルトアセテート、［Ｎ，Ｎ’−ビス（３，５−ジ−ｎ−プロピルサリチリデン）−１，３−シクロヘキサンジアミン］コバルトアセテート、［Ｎ，Ｎ’−ビス（３，５−ジ−ｎ−プロピルサリチリデン）−１，４−シクロヘキサンジアミン］コバルトアセテート、［Ｎ，Ｎ’−ビス（３，５−ジ−ｎ−プロピルサリチリデン）−１，２−ノルボルナンジアミン］コバルトアセテート、［Ｎ，Ｎ’−ビス（３，５−ジ−ｎ−プロピルサリチリデン）−１，２−ベンゼンジアミン］コバルトアセテート、［Ｎ，Ｎ’−ビス（３，５−ジ−ｎ−プロピルサリチリデン）−１，３−ベンゼンジアミン］コバルトアセテート、［Ｎ，Ｎ’−ビス（３，５−ジ−ｎ−プロピルサリチリデン）−１，４−ベンゼンジアミン］コバルトアセテート、［Ｎ，Ｎ’−ビス（３，５−ジ−ｎ−プロピルサリチリデン）−４−メトキシ−１，２−ベンゼンジアミン］コバルトアセテート、［Ｎ，Ｎ’−ビス（３，５−ジ−ｎ−プロピルサリチリデン）−２，３−ナフタレンジアミン］コバルトアセテート、［Ｎ，Ｎ’−ビス（３，５−ジ−ｎ−プロピルサリチリデン）−１，８−ナフタレンジアミン］コバルトアセテート、
【００９４】
［Ｎ，Ｎ’−ビス（３，５−ジイソプロピルサリチリデン）メタンジアミン］コバルトアセテート、［Ｎ，Ｎ’−ビス（３，５−ジイソプロピルサリチリデン）−１，２−エタンジアミン］コバルトアセテート、［Ｎ，Ｎ’−ビス（３，５−ジイソプロピルサリチリデン）−１，３−プロパンジアミン］コバルトアセテート、［Ｎ，Ｎ’−ビス（３，５−ジイソプロピルサリチリデン）−１，２−シクロペンタンジアミン］コバルトアセテート、［Ｎ，Ｎ’−ビス（３，５−ジイソプロピルサリチリデン）−１，３−シクロペンタンジアミン］コバルトアセテート、［Ｎ，Ｎ’−ビス（３，５−ジイソプロピルサリチリデン）−１，２−シクロヘキサンジアミン］コバルトアセテート、［Ｎ，Ｎ’−ビス（３，５−ジイソプロピルサリチリデン）−１，３−シクロヘキサンジアミン］コバルトアセテート、［Ｎ，Ｎ’−ビス（３，５−ジイソプロピルサリチリデン）−１，４−シクロヘキサンジアミン］コバルトアセテート、［Ｎ，Ｎ’−ビス（３，５−ジイソプロピルサリチリデン）−１，２−ノルボルナンジアミン］コバルトアセテート、［Ｎ，Ｎ’−ビス（３，５−ジイソプロピルサリチリデン）−１，２−ベンゼンジアミン］コバルトアセテート、［Ｎ，Ｎ’−ビス（３，５−ジイソプロピルサリチリデン）−１，３−ベンゼンジアミン］コバルトアセテート、［Ｎ，Ｎ’−ビス（３，５−ジイソプロピルサリチリデン）−１，４−ベンゼンジアミン］コバルトアセテート、［Ｎ，Ｎ’−ビス（３，５−ジイソプロピルサリチリデン）−４−メトキシ−１，２−ベンゼンジアミン］コバルトアセテート、［Ｎ，Ｎ’−ビス（３，５−ジイソプロピルサリチリデン）−２，３−ナフタレンジアミン］コバルトアセテート、［Ｎ，Ｎ’−ビス（３，５−ジイソプロピルサリチリデン）−１，８−ナフタレンジアミン］コバルトアセテート、
【００９５】
［Ｎ，Ｎ’−ビス（３，５−ジ−ｎ−ブチルサリチリデン）メタンジアミン］コバルトアセテート、［Ｎ，Ｎ’−ビス（３，５−ジ−ｎ−ブチルサリチリデン）−１，２−エタンジアミン］コバルトアセテート、［Ｎ，Ｎ’−ビス（３，５−ジ−ｎ−ブチルサリチリデン）−１，３−プロパンジアミン］コバルトアセテート、［Ｎ，Ｎ’−ビス（３，５−ジ−ｎ−ブチルサリチリデン）−１，２−シクロペンタンジアミン］コバルトアセテート、［Ｎ，Ｎ’−ビス（３，５−ジ−ｎ−ブチルサリチリデン）−１，３−シクロペンタンジアミン］コバルトアセテート、［Ｎ，Ｎ’−ビス（３，５−ジ−ｎ−ブチルサリチリデン）−１，２−シクロヘキサンジアミン］コバルトアセテート、［Ｎ，Ｎ’−ビス（３，５−ジ−ｎ−ブチルサリチリデン）−１，３−シクロヘキサンジアミン］コバルトアセテート、［Ｎ，Ｎ’−ビス（３，５−ジ−ｎ−ブチルサリチリデン）−１，４−シクロヘキサンジアミン］コバルトアセテート、［Ｎ，Ｎ’−ビス（３，５−ジ−ｎ−ブチルサリチリデン）−１，２−ノルボルナンジアミン］コバルトアセテート、［Ｎ，Ｎ’−ビス（３，５−ジ−ｎ−ブチルサリチリデン）−１，２−ベンゼンジアミン］コバルトアセテート、［Ｎ，Ｎ’−ビス（３，５−ジ−ｎ−ブチルサリチリデン）−１，３−ベンゼンジアミン］コバルトアセテート、［Ｎ，Ｎ’−ビス（３，５−ジ−ｎ−ブチルサリチリデン）−１，４−ベンゼンジアミン］コバルトアセテート、［Ｎ，Ｎ’−ビス（３，５−ジ−ｎ−ブチルサリチリデン）−４−メトキシ−１，２−ベンゼンジアミン］コバルトアセテート、［Ｎ，Ｎ’−ビス（３，５−ジ−ｎ−ブチルサリチリデン）−２，３−ナフタレンジアミン］コバルトアセテート、［Ｎ，Ｎ’−ビス（３，５−ジ−ｎ−ブチルサリチリデン）−１，８−ナフタレンジアミン］コバルトアセテート、
【００９６】
［Ｎ，Ｎ’−ビス（３，５−ジイソブチルサリチリデン）メタンジアミン］コバルトアセテート、［Ｎ，Ｎ’−ビス（３，５−ジイソブチルサリチリデン）−１，２−エタンジアミン］コバルトアセテート、［Ｎ，Ｎ’−ビス（３，５−ジイソブチルサリチリデン）−１，３−プロパンジアミン］コバルトアセテート、［Ｎ，Ｎ’−ビス（３，５−ジイソブチルサリチリデン）−１，２−シクロペンタンジアミン］コバルトアセテート、［Ｎ，Ｎ’−ビス（３，５−ジイソブチルサリチリデン）−１，３−シクロペンタンジアミン］コバルトアセテート、［Ｎ，Ｎ’−ビス（３，５−ジイソブチルサリチリデン）−１，２−シクロヘキサンジアミン］コバルトアセテート、［Ｎ，Ｎ’−ビス（３，５−ジイソブチルサリチリデン）−１，３−シクロヘキサンジアミン］コバルトアセテート、［Ｎ，Ｎ’−ビス（３，５−ジイソブチルサリチリデン）−１，４−シクロヘキサンジアミン］コバルトアセテート、［Ｎ，Ｎ’−ビス（３，５−ジイソブチルサリチリデン）−１，２−ノルボルナンジアミン］コバルトアセテート、［Ｎ，Ｎ’−ビス（３，５−ジイソブチルサリチリデン）−１，２−ベンゼンジアミン］コバルトアセテート、［Ｎ，Ｎ’−ビス（３，５−ジイソブチルサリチリデン）−１，３−ベンゼンジアミン］コバルトアセテート、［Ｎ，Ｎ’−ビス（３，５−ジイソブチルサリチリデン）−１，４−ベンゼンジアミン］コバルトアセテート、［Ｎ，Ｎ’−ビス（３，５−ジイソブチルサリチリデン）−４−メトキシ−１，２−ベンゼンジアミン］コバルトアセテート、［Ｎ，Ｎ’−ビス（３，５−ジイソブチルサリチリデン）−２，３−ナフタレンジアミン］コバルトアセテート、［Ｎ，Ｎ’−ビス（３，５−ジイソブチルサリチリデン）−１，８−ナフタレンジアミン］コバルトアセテート、
【００９７】
［Ｎ，Ｎ’−ビス（３，５−ジ−ｓｅｃ−ブチルサリチリデン）メタンジアミン］コバルトアセテート、［Ｎ，Ｎ’−ビス（３，５−ジ−ｓｅｃ−ブチルサリチリデン）−１，２−エタンジアミン］コバルトアセテート、［Ｎ，Ｎ’−ビス（３，５−ジ−ｓｅｃ−ブチルサリチリデン）−１，３−プロパンジアミン］コバルトアセテート、［Ｎ，Ｎ’−ビス（３，５−ジ−ｓｅｃ−ブチルサリチリデン）−１，２−シクロペンタンジアミン］コバルトアセテート、［Ｎ，Ｎ’−ビス（３，５−ジ−ｓｅｃ−ブチルサリチリデン）−１，３−シクロペンタンジアミン］コバルトアセテート、［Ｎ，Ｎ’−ビス（３，５−ジ−ｓｅｃ−ブチルサリチリデン）−１，２−シクロヘキサンジアミン］コバルトアセテート、［Ｎ，Ｎ’−ビス（３，５−ジ−ｓｅｃ−ブチルサリチリデン）−１，３−シクロヘキサンジアミン］コバルトアセテート、［Ｎ，Ｎ’−ビス（３，５−ジ−ｓｅｃ−ブチルサリチリデン）−１，４−シクロヘキサンジアミン］コバルトアセテート、［Ｎ，Ｎ’−ビス（３，５−ジ−ｓｅｃ−ブチルサリチリデン）−１，２−ノルボルナンジアミン］コバルトアセテート、［Ｎ，Ｎ’−ビス（３，５−ジ−ｓｅｃ−ブチルサリチリデン）−１，２−ベンゼンジアミン］コバルトアセテート、［Ｎ，Ｎ’−ビス（３，５−ジ−ｓｅｃ−ブチルサリチリデン）−１，３−ベンゼンジアミン］コバルトアセテート、［Ｎ，Ｎ’−ビス（３，５−ジ−ｓｅｃ−ブチルサリチリデン）−１，４−ベンゼンジアミン］コバルトアセテート、［Ｎ，Ｎ’−ビス（３，５−ジ−ｓｅｃ−ブチルサリチリデン）−４−メトキシ−１，２−ベンゼンジアミン］コバルトアセテート、［Ｎ，Ｎ’−ビス（３，５−ジ−ｓｅｃ−ブチルサリチリデン）−２，３−ナフタレンジアミン］コバルトアセテート、［Ｎ，Ｎ’−ビス（３，５−ジ−ｓｅｃ−ブチルサリチリデン）−１，８−ナフタレンジアミン］コバルトアセテート、
【００９８】
［Ｎ，Ｎ’−ビス（３，５−ジ−ｔｅｒｔ−ブチルサリチリデン）メタンジアミン］コバルトアセテート、［Ｎ，Ｎ’−ビス（３，５−ジ−ｔｅｒｔ−ブチルサリチリデン）−１，２−エタンジアミン］コバルトアセテート、［Ｎ，Ｎ’−ビス（３，５−ジ−ｔｅｒｔ−ブチルサリチリデン）−１，３−プロパンジアミン］コバルトアセテート、［Ｎ，Ｎ’−ビス（３，５−ジ−ｔｅｒｔ−ブチルサリチリデン）−１，２−シクロペンタンジアミン］コバルトアセテート、［Ｎ，Ｎ’−ビス（３，５−ジ−ｔｅｒｔ−ブチルサリチリデン）−１，３−シクロペンタンジアミン］コバルトアセテート、［Ｎ，Ｎ’−ビス（３，５−ジ−ｔｅｒｔ−ブチルサリチリデン）−１，２−シクロヘキサンジアミン］コバルトアセテート、［Ｎ，Ｎ’−ビス（３，５−ジ−ｔｅｒｔ−ブチルサリチリデン）−１，３−シクロヘキサンジアミン］コバルトアセテート、［Ｎ，Ｎ’−ビス（３，５−ジ−ｔｅｒｔ−ブチルサリチリデン）−１，４−シクロヘキサンジアミン］コバルトアセテート、［Ｎ，Ｎ’−ビス（３，５−ジ−ｔｅｒｔ−ブチルサリチリデン）−１，２−ノルボルナンジアミン］コバルトアセテート、［Ｎ，Ｎ’−ビス（３，５−ジ−ｔｅｒｔ−ブチルサリチリデン）−１，２−ベンゼンジアミン］コバルトアセテート、［Ｎ，Ｎ’−ビス（３，５−ジ−ｔｅｒｔ−ブチルサリチリデン）−１，３−ベンゼンジアミン］コバルトアセテート、［Ｎ，Ｎ’−ビス（３，５−ジ−ｔｅｒｔ−ブチルサリチリデン）−１，４−ベンゼンジアミン］コバルトアセテート、［Ｎ，Ｎ’−ビス（３，５−ジ−ｔｅｒｔ−ブチルサリチリデン）−４−メトキシ−１，２−ベンゼンジアミン］コバルトアセテート、［Ｎ，Ｎ’−ビス（３，５−ジ−ｔｅｒｔ−ブチルサリチリデン）−２，３−ナフタレンジアミン］コバルトアセテート、［Ｎ，Ｎ’−ビス（３，５−ジ−ｔｅｒｔ−ブチルサリチリデン）−１，８−ナフタレンジアミン］コバルトアセテート、
【００９９】
［Ｎ，Ｎ’−ビス（３，５−ジネオペンチルサリチリデン）メタンジアミン］コバルトアセテート、［Ｎ，Ｎ’−ビス（３，５−ジネオペンチルサリチリデン）−１，２−エタンジアミン］コバルトアセテート、［Ｎ，Ｎ’−ビス（３，５−ジネオペンチルサリチリデン）−１，３−プロパンジアミン］コバルトアセテート、［Ｎ，Ｎ’−ビス（３，５−ジネオペンチルサリチリデン）−１，２−シクロペンタンジアミン］コバルトアセテート、［Ｎ，Ｎ’−ビス（３，５−ジネオペンチルサリチリデン）−１，３−シクロペンタンジアミン］コバルトアセテート、［Ｎ，Ｎ’−ビス（３，５−ジネオペンチルサリチリデン）−１，２−シクロヘキサンジアミン］コバルトアセテート、［Ｎ，Ｎ’−ビス（３，５−ジネオペンチルサリチリデン）−１，３−シクロヘキサンジアミン］コバルトアセテート、［Ｎ，Ｎ’−ビス（３，５−ジネオペンチルサリチリデン）−１，４−シクロヘキサンジアミン］コバルトアセテート、［Ｎ，Ｎ’−ビス（３，５−ジネオペンチルサリチリデン）−１，２−ノルボルナンジアミン］コバルトアセテート、［Ｎ，Ｎ’−ビス（３，５−ジネオペンチルサリチリデン）−１，２−ベンゼンジアミン］コバルトアセテート、［Ｎ，Ｎ’−ビス（３，５−ジネオペンチルサリチリデン）−１，３−ベンゼンジアミン］コバルトアセテート、［Ｎ，Ｎ’−ビス（３，５−ジネオペンチルサリチリデン）−１，４−ベンゼンジアミン］コバルトアセテート、［Ｎ，Ｎ’−ビス（３，５−ジネオペンチルサリチリデン）−４−メトキシ−１，２−ベンゼンジアミン］コバルトアセテート、［Ｎ，Ｎ’−ビス（３，５−ジネオペンチルサリチリデン）−２，３−ナフタレンジアミン］コバルトアセテート、［Ｎ，Ｎ’−ビス（３，５−ジネオペンチルサリチリデン）−１，８−ナフタレンジアミン］コバルトアセテート、
【０１００】
［Ｎ，Ｎ’−ビス（３，５−ジイソアミルサリチリデン）メタンジアミン］コバルトアセテート、［Ｎ，Ｎ’−ビス（３，５−ジイソアミルサリチリデン）−１，２−エタンジアミン］コバルトアセテート、［Ｎ，Ｎ’−ビス（３，５−ジイソアミルサリチリデン）−１，３−プロパンジアミン］コバルトアセテート、［Ｎ，Ｎ’−ビス（３，５−ジイソアミルサリチリデン）−１，２−シクロペンタンジアミン］コバルトアセテート、［Ｎ，Ｎ’−ビス（３，５−ジイソアミルサリチリデン）−１，３−シクロペンタンジアミン］コバルトアセテート、［Ｎ，Ｎ’−ビス（３，５−ジイソアミルサリチリデン）−１，２−シクロヘキサンジアミン］コバルトアセテート、［Ｎ，Ｎ’−ビス（３，５−ジイソアミルサリチリデン）−１，３−シクロヘキサンジアミン］コバルトアセテート、［Ｎ，Ｎ’−ビス（３，５−ジイソアミルサリチリデン）−１，４−シクロヘキサンジアミン］コバルトアセテート、［Ｎ，Ｎ’−ビス（３，５−ジイソアミルサリチリデン）−１，２−ノルボルナンジアミン］コバルトアセテート、［Ｎ，Ｎ’−ビス（３，５−ジイソアミルサリチリデン）−１，２−ベンゼンジアミン］コバルトアセテート、［Ｎ，Ｎ’−ビス（３，５−ジイソアミルサリチリデン）−１，３−ベンゼンジアミン］コバルトアセテート、［Ｎ，Ｎ’−ビス（３，５−ジイソアミルサリチリデン）−１，４−ベンゼンジアミン］コバルトアセテート、［Ｎ，Ｎ’−ビス（３，５−ジイソアミルサリチリデン）−４−メトキシ−１，２−ベンゼンジアミン］コバルトアセテート、［Ｎ，Ｎ’−ビス（３，５−ジイソアミルサリチリデン）−２，３−ナフタレンジアミン］コバルトアセテート、［Ｎ，Ｎ’−ビス（３，５−ジイソアミルサリチリデン）−１，８−ナフタレンジアミン］コバルトアセテート、
【０１０１】
［Ｎ，Ｎ’−ビス（３，５−ジフェニルサリチリデン）メタンジアミン］コバルトアセテート、［Ｎ，Ｎ’−ビス（３，５−ジフェニルサリチリデン）−１，２−エタンジアミン］コバルトアセテート、［Ｎ，Ｎ’−ビス（３，５−ジフェニルサリチリデン）−１，３−プロパンジアミン］コバルトアセテート、［Ｎ，Ｎ’−ビス（３，５−ジフェニルサリチリデン）−１，２−シクロペンタンジアミン］コバルトアセテート、［Ｎ，Ｎ’−ビス（３，５−ジフェニルサリチリデン）−１，３−シクロペンタンジアミン］コバルトアセテート、［Ｎ，Ｎ’−ビス（３，５−ジフェニルサリチリデン）−１，２−シクロヘキサンジアミン］コバルトアセテート、［Ｎ，Ｎ’−ビス（３，５−ジフェニルサリチリデン）−１，３−シクロヘキサンジアミン］コバルトアセテート、［Ｎ，Ｎ’−ビス（３，５−ジフェニルサリチリデン）−１，４−シクロヘキサンジアミン］コバルトアセテート、［Ｎ，Ｎ’−ビス（３，５−ジフェニルサリチリデン）−１，２−ノルボルナンジアミン］コバルトアセテート、［Ｎ，Ｎ’−ビス（３，５−ジフェニルサリチリデン）−１，２−ベンゼンジアミン］コバルトアセテート、［Ｎ，Ｎ’−ビス（３，５−ジフェニルサリチリデン）−１，３−ベンゼンジアミン］コバルトアセテート、［Ｎ，Ｎ’−ビス（３，５−ジフェニルサリチリデン）−１，４−ベンゼンジアミン］コバルトアセテート、［Ｎ，Ｎ’−ビス（３，５−ジフェニルサリチリデン）−４−メトキシ−１，２−ベンゼンジアミン］コバルトアセテート、［Ｎ，Ｎ’−ビス（３，５−ジフェニルサリチリデン）−２，３−ナフタレンジアミン］コバルトアセテート、［Ｎ，Ｎ’−ビス（３，５−ジフェニルサリチリデン）−１，８−ナフタレンジアミン］コバルトアセテート、
【０１０２】
［Ｎ，Ｎ’−ビス−｛３，５−ビス（トリフルオロメチル）サリチリデン｝メタンジアミン］コバルトアセテート、［Ｎ，Ｎ’−ビス−｛３，５−ビス（トリフルオロメチル）サリチリデン｝−１，２−エタンジアミン］コバルトアセテート、［Ｎ，Ｎ’−ビス−｛３，５−ビス（トリフルオロメチル）サリチリデン｝−１，３−プロパンジアミン］コバルトアセテート、［Ｎ，Ｎ’−ビス−｛３，５−ビス（トリフルオロメチル）サリチリデン｝−１，２−シクロペンタンジアミン］コバルトアセテート、［Ｎ，Ｎ’−ビス−｛３，５−ビス（トリフルオロメチル）サリチリデン｝−１，３−シクロペンタンジアミン］コバルトアセテート、［Ｎ，Ｎ’−ビス−｛３，５−ビス（トリフルオロメチル）サリチリデン｝−１，２−シクロヘキサンジアミン］コバルトアセテート、［Ｎ，Ｎ’−ビス−｛３，５−ビス（トリフルオロメチル）サリチリデン｝−１，３−シクロヘキサンジアミン］コバルトアセテート、［Ｎ，Ｎ’−ビス−｛３，５−ビス（トリフルオロメチル）サリチリデン｝−１，４−シクロヘキサンジアミン］コバルトアセテート、［Ｎ，Ｎ’−ビス−｛３，５−ビス（トリフルオロメチル）サリチリデン｝−１，２−ノルボルナンジアミン］コバルトアセテート、［Ｎ，Ｎ’−ビス−｛３，５−ビス（トリフルオロメチル）サリチリデン｝−１，２−ベンゼンジアミン］コバルトアセテート、［Ｎ，Ｎ’−ビス−｛３，５−ビス（トリフルオロメチル）サリチリデン｝−１，３−ベンゼンジアミン］コバルトアセテート、［Ｎ，Ｎ’−ビス−｛３，５−ビス（トリフルオロメチル）サリチリデン｝−１，４−ベンゼンジアミン］コバルトアセテート、［Ｎ，Ｎ’−ビス−｛３，５−ビス（トリフルオロメチル）サリチリデン｝−４−メトキシ−１，２−ベンゼンジアミン］コバルトアセテート、［Ｎ，Ｎ’−ビス−｛３，５−ビス（トリフルオロメチル）サリチリデン｝−２，３−ナフタレンジアミン］コバルトアセテート、［Ｎ，Ｎ’−ビス−｛３，５−ビス（トリフルオロメチル）サリチリデン｝−１，８−ナフタレンジアミン］コバルトアセテート、
【０１０３】
［Ｎ，Ｎ’−ビス−｛３，５−ビス（トリメチルシリル）サリチリデン｝メタンジアミン］コバルトアセテート、［Ｎ，Ｎ’−ビス−｛３，５−ビス（トリメチルシリル）サリチリデン｝−１，２−エタンジアミン］コバルトアセテート、［Ｎ，Ｎ’−ビス−｛３，５−ビス（トリメチルシリル）サリチリデン｝−１，３−プロパンジアミン］コバルトアセテート、［Ｎ，Ｎ’−ビス−｛３，５−ビス（トリメチルシリル）サリチリデン｝−１，２−シクロペンタンジアミン］コバルトアセテート、［Ｎ，Ｎ’−ビス−｛３，５−ビス（トリメチルシリル）サリチリデン｝−１，３−シクロペンタンジアミン］コバルトアセテート、［Ｎ，Ｎ’−ビス−｛３，５−ビス（トリメチルシリル）サリチリデン｝−１，２−シクロヘキサンジアミン］コバルトアセテート、［Ｎ，Ｎ’−ビス−｛３，５−ビス（トリメチルシリル）サリチリデン｝−１，３−シクロヘキサンジアミン］コバルトアセテート、［Ｎ，Ｎ’−ビス−｛３，５−ビス（トリメチルシリル）サリチリデン｝−１，４−シクロヘキサンジアミン］コバルトアセテート、［Ｎ，Ｎ’−ビス−｛３，５−ビス（トリメチルシリル）サリチリデン｝−１，２−ノルボルナンジアミン］コバルトアセテート、［Ｎ，Ｎ’−ビス−｛３，５−ビス（トリメチルシリル）サリチリデン｝−１，２−ベンゼンジアミン］コバルトアセテート、［Ｎ，Ｎ’−ビス−｛３，５−ビス（トリメチルシリル）サリチリデン｝−１，３−ベンゼンジアミン］コバルトアセテート、［Ｎ，Ｎ’−ビス−｛３，５−ビス（トリメチルシリル）サリチリデン｝−１，４−ベンゼンジアミン］コバルトアセテート、［Ｎ，Ｎ’−ビス−｛３，５−ビス（トリメチルシリル）サリチリデン｝−４−メトキシ−１，２−ベンゼンジアミン］コバルトアセテート、［Ｎ，Ｎ’−ビス−｛３，５−ビス（トリメチルシリル）サリチリデン｝−２，３−ナフタレンジアミン］コバルトアセテート、［Ｎ，Ｎ’−ビス−｛３，５−ビス（トリメチルシリル）サリチリデン｝−１，８−ナフタレンジアミン］コバルトアセテート、ならびに、これら化合物の「アセテート」を「プロピオネート」、「ｎ−ブチレート」、「イソブチレート」、「ｎ−ペンチレート」、「イソペンチレート」、「ｓｅｃ−ペンチレート」、「ｔｅｒｔ−ペンチレート」、「トリフルオロアセテート」、「ベンゾエート」、「フルオライド」、「クロライド」、「ブロマイド」、「アイオダイド」、「メトキシド」、「エトキシド」、「イソプロポキシド」、「ｔｅｒｔ−ブトキシド」、「フェノキシド」、「ペンタフルオロフェノキシド」、「ベンジルオキシド」、「ジメチルアミド」、「ジエチルアミド」、「ヒドロキシド」または「シアニド」に置き換えた化合物等を例示することができる。
【０１０４】
本発明の式［１］で表される遷移金属化合物の製造方法としては、例えば、Ｅが１，２−ベンゼンジイル基、Ｒ１及びＲ３がｔｅｒｔ−ブチル基、Ｒ２、Ｒ４及びＲ５が水素原子、Ｘがアセトキシ基である遷移金属化合物は、ワイリー−ＶＣＨ編「ケミストリー−ア  ヨーロピアン  ジャーナル（Chemistry-A Europian Journal）」、１９９９年５月３日、第５巻、第５号、第１４６０頁〜第１４６７頁に記載された製造方法及びアメリカ化学会編「ジャーナル  オブ  アメリカン  ケミカル  ソサイエティー（Journal of American Chemical Society）」、２００５年７月２６日、第１２７巻、第３３号、第１１５６６頁〜第１１５６７頁に記載された製造方法を参照することによって、製造することができる。
【０１０５】
また、本発明に用いられるポリ(アルキレンオキシド)製造用触媒としては、式[１]で表される遷移金属化合物の他にアルミニウムや亜鉛等の典型金属化合物を用いることもできる。アルミニウム化合物としては、例えばトリアルキルアルミニウムの加水分解生成物やジアルキルアルミニウムハライドとジアルキルアルミニウムオキシリチウムから合成するビス（ジアルキルアルミニウム）オキシドやアルミニウム（ポルフィリン）錯体等を用いることが可能である。
トリアルキルアルミニウムの加水分解生成物は、例えばアメリカ化学会編「マクロモルキュールズ（Macromolecules）」１９７４年３月、第７巻、第２号、第１５３〜第１６０頁に記載の方法により準備することができる。
ビス（ジアルキルアルミニウム）オキシドとしては、例えばビス（ジメチルアルミニウム）オキシド、ビス（ジエチルアルミニウム）オキシド、ビス（ジ−ｎ−プロピルアルミニウム）オキシド、ビス（ジイソプロピルアルミニウム）オキシド、ビス（ジ−ｎ−ブチルアルミニウム）オキシド、ビス（ジイソブチルアルミニウム）オキシド、ビス（ジ−ｓｅｃ−ブチルアルミニウム）オキシド、ビス（ジ−ｔｅｒｔ−ブチルアルミニウム）オキシド、ビス（ジフェニルアルミニウム）オキシド、（ジエチルアルミニウム）（ジメチルアルミニウム）オキシド、（ジメチルアルミニウム）（ジイソプロピルアルミニウム）オキシド、（ジメチルアルミニウム）（ジイソブチルアルミニウム）オキシド、（ジエチルアルミニウム）（ジイソプロピルアルミニウム）オキシド、（ジエチルアルミニウム）（ジイソブチルアルミニウム）オキシド等が挙げられる。これらの化合物は、例えばアメリカ化学会編「ジャーナル  オブ  アメリカン  ケミカル  ソサイエティー（Journal of American Chemical Society）」、１９６７年１月４日、第８９巻、第１号、第１７３頁〜第１７４頁に記載の方法により準備することができる。
アルミニウム（ポルフィリン）錯体としては、クロロ（５，１０，１５，２０−テトラメチルポルフィリン）アルミニウム、クロロ（５，１０，１５，２０−テトラエチルポルフィリン）アルミニウム、クロロ（５，１０，１５，２０−テトラ−ｔｅｒｔ−ブチルポルフィリン）アルミニウム、クロロ（５，１０，１５，２０−テトラフェニルポルフィリン）アルミニウム、クロロ（２，３，７，８、１２，１３，１７，１８−オクタメチルポルフィリン）アルミニウム、クロロ（２，３，７，８、１２，１３，１７，１８−オクタエチルポルフィリン）アルミニウム、クロロ（２，３，７，８、１２，１３，１７，１８−オクタ−ｎ−プロピルポルフィリン）アルミニウム、クロロ（２，３，７，８、１２，１３，１７，１８−オクタイソプロピルポルフィリン）アルミニウム等が挙げられる。
また、これらの化合物の「クロロ」を「メチル」、「エチル」、「イソプロピル」、「ｎ−ブチル」、「イソブチル」、「ｎ−ヘキシル」、「ｎ−オクチル」や「フェニル」に置き換えた化合物が挙げられる。これらの化合物は、例えばアメリカ化学会編「マクロモルキュールズ（Macromolecules）」１９９４年４月、第２７巻、第８号、第２０１３〜第２０１８頁に記載の方法により準備することができる。
また、亜鉛化合物としては、例えばアルキル亜鉛の加水分解もしくは加アルコール分解生成物やビス（アルキル亜鉛）アミド等を用いることができる。アルキル亜鉛の加水分解もしくは加アルコール分解生成物は、例えばエルゼビア（Ｅｌｓｅｖｉｅｒ）社編「ポリマー（Ｐｏｌｙｍｅｒ）」１９６２年４月、第３巻、第４８７〜第５０９頁に記載の方法により準備することができる。
ビス（アルキル亜鉛）アミドとしては、例えばビス（メチル亜鉛）メチルアミド、ビス（メチル亜鉛）エチルアミド、ビス（メチル亜鉛）−ｎ−プロピルアミド、ビス（メチル亜鉛）イソプロピルアミド、ビス（メチル亜鉛）−ｎ−ブチルアミド、ビス（メチル亜鉛）−ｔｅｒｔ−ブチルアミド、Ｎ，Ｎ−ビス（メチル亜鉛）アニリン、ビス（エチル亜鉛）メチルアミド、ビス（エチル亜鉛）エチルアミド、ビス（エチル亜鉛）−ｎ−プロピルアミド、ビス（エチル亜鉛）イソプロピルアミド、ビス（エチル亜鉛）−ｎ−ブチルアミド、ビス（エチル亜鉛）−ｔｅｒｔ−ブチルアミド、Ｎ，Ｎ−ビス（エチル亜鉛）アニリン、ビス（フェニル亜鉛）メチルアミド、ビス（フェニル亜鉛）エチルアミド、ビス（フェニル亜鉛）−ｎ−プロピルアミド、ビス（フェニル亜鉛）イソプロピルアミド、ビス（フェニル亜鉛）−ｎ−ブチルアミド、ビス（フェニル亜鉛）−ｔｅｒｔ−ブチルアミド、Ｎ，Ｎ−ビス（フェニル亜鉛）アニリン等が挙げられ、これらの化合物は、例えばアメリカ化学会編「ジャーナル  オブ  アメリカン  ケミカル  ソサイエティー（Journal of American Chemical Society）」、１９６７年１月４日、第８９巻、第１号、第１７３頁〜第１７４頁に記載の方法により準備することができる。
さらに、シンジオタクティックポリ（プロピレンオキシド）の製造には、式[２]で表される亜鉛/コバルト複核錯体を用いることができる。
Ｚｎａ[Ｃｏ（ＣＮ）６] ｂ（ｔＢｕＯＨ）ｃ（ｔｈｆ）ｄ            [２]
（ただし、上記  [２]式において、a、ｂ、ｃおよびｄは正の整数であり、a、ｂ、ｃおよびｄの総和はＺｎとＣｏの電子価の和に等しい。）
式[２]で表される化合物は、例えば米国特許公開公報２００５/１７１３１９に記載の方法により準備することができる。
【０１０６】
本発明の安定化ポリ(アルキレンオキシド)の製造方法は、ポリ(アルキレンオキシド)と酸無水物を反応させることからなる。
その接触方法は溶媒にポリ（アルキレンオキシド）と酸無水物を溶解し反応させる溶液法やポリ（アルキレンオキシド）を液体の酸無水物に溶解し反応させる酸無水物溶媒法、それぞれを固体状態のまま混合し、加熱溶融させることにより反応させる加熱溶融法などが挙げられる。
【０１０７】
本発明の製造方法における反応温度は特に限定されないが、低温すぎると反応が進行しない場合があり、高温すぎるとポリ(アルキレンオキシド)の熱分解が進行する場合があるため、これらの兼ね合いから、好ましくは２０〜２５０℃であり、より好ましくは４０〜１８０℃である。
【０１０８】
本発明の製造方法で用いる酸無水物は、ポリ(アルキレンオキシド)に対して等モル量が必要量であるが、反応をより早く行う為過剰に用いる場合がある。特に酸無水物溶媒系では、酸無水物を溶媒としても用いる為、より多くの酸無水物を使用する。従ってその使用量は酸無水物／ポリ（アルキレンオキシド）の質量比で１〜１００ｇ／ｇであり、好ましくは１〜５０ｇ／ｇである。
【０１０９】
本発明の製造方法で用いる反応促進剤は脱水反応を促進する為の添加剤であり、その使用量は反応促進剤／ポリ（アルキレンオキシド）の質量比で０．００１〜１０ｇ／ｇであり、好ましくは０．０５〜１ｇ／ｇである。
【０１１０】
本発明の製造方法において、酸無水物との反応時の熱による分解を抑えるため、本発明の目的を損なわない範囲で酸化防止剤を添加することができる。また、必要に応じてフェノール系酸化防止剤、リン系酸化防止剤、硫黄系酸化防止剤等を単独または２種類以上添加することが可能である。
フェノール系酸化防止剤としては、例えば、２，６−ジ−ｔ−ブチル−４−メチルフェノール、１，３，５−トリス（３，５−ジ−ｔ−ブチル−４−ヒドロキシベンジル）イソシアヌレイト、１，３，５−トリス（４−ｔ−ブチル−３−ヒドロキシ−２，６−ジメチルベンジル）イソシアヌレイト、テトラキス［メチレン−３（３’，５’ジ−ｔ−ブチル−４−ヒドロキシフェニル）プロピオネート］メタン、オクタデシル−３−（３，５−ジ−ｔ−ブチル−４−ヒドロキシフェニル）プロピオネート、ペンタエリスリチル−テトラキス[３−（３，５−ジ−ｔ−ブチル−４−ヒドロキシフェニル）プロピオネート] 、トリエチレングリコール−ビス［３−（３−t−ブチル−５−メチル−４−ヒドロキシフェニル）プロピオネート］、１，３，５−トリメチル−２，４，６−トリス（ル−４−ヒドロキシベンジル）ベンゼン、２，２’−メチレン−ビス−（４−メチル−６−ｔ−ブチルフェノール）、２，２’−メチレン−ビス−（４，６−ジ−ｔ−ブチルフェノール）、３，９−ビス［２−｛３−（３−ｔ−ブチル−４−ヒドロキシ−５−メチルフェニル）プロピオニルオキシ｝−１，１−ジメチルエチル］−２，４，８，１０−テトラオキサスピロ[５・５]ウンデカン等が挙げられる。
また、リン系酸化防止剤としては、トリス（２，４−ジ−ｔ−ブチルフェニル）フォスフォナイト、テトラキス（２，４−ジ−ｔ−ブチルフェニル）−４，４’−ビフェニレンフォスフォナイト、トリス（ノニルフェニル）フォスファイト、ジステアリルペンタエリスリトールジフォスファイト、ビス（２，４−ジ−ｔ―ブチルフェニル）ペンタエリスリトールジフォスファイト、ビス（２，６−ジ−ｔ−ブチル−４−メチルフェニル）ペンタエリスリトールジフォスファイト、２−［［２，４，８，１０−テトラキス（１，１−ジメチルエチル）ジベンゾ［ｄ，ｆ］［１，３，２］ジオキサフォスフェピン６−イル］オキシ］−Ｎ，Ｎ−ビス［２−［［２，４，８，１０−テトラキス（１，１−ジメチルエチル）ジベンゾ［ｄ，ｆ］［１，３，２］ジオキサフォスフェピン−６−イル］オキシ］−エチル］エタナミンが挙げられる。味覚および臭気等の食品衛生性の点では、フェノール系安定剤および耐加水分解性に優れるリン系安定剤が好ましく、例えば、トリス（２，４−ジ−ｔ−ブチルフェニル）フォスフォナイト、２−［［２，４，８，１０−テトラキス（１，１−ジメチルエチル）ジベンゾ［ｄ，ｆ］［１，３，２］ジオキサフォスフェピン６−イル］オキシ］−Ｎ，Ｎ−ビス［２−［［２，４，８，１０−テトラキス（１，１−ジメチルエチル）ジベンゾ［ｄ，ｆ］［１，３，２］ジオキサフォスフェピン−６−イル］オキシ］−エチル］エタナミンが挙げられる。
硫黄系酸化防止剤としては、例えば次のようなものが挙げられる。ジラウリル  ３，３’−チオジプロピオネート、トリデシル  ３，３’−チオジプロピオネート、ジミリスチル  ３，３’−チオジプロピオネート、ジステアリル３，３’−チオジプロピオネート、ラウリル  ステアリル  ３，３’−チオジプロピオネート、ネオペンタンテトライルテトラキス（３−ラウリルチオプロピオネート）などが挙げられる。
ここで用いる酸化防止剤の使用量は、酸化防止剤／ポリ（アルキレンオキシド）の質量比で通常は０．００１〜１０ｇ／ｇであり、好ましくは０．０５〜１ｇ／ｇである。
【実施例】
【０１１１】
本発明を以下の実施例によって具体的に説明するが、本発明は実施例に限定されない。
１．重量平均分子量（Ｍｗ）、分子量分布（Ｍｗ／Ｍｎ）は、ゲルパーミエーションクロマトグラフィー（ＧＰＣ）によって、下記の条件で測定した。また、検量線は標準ポリスチレンを用いて作成した。
測定機        日本分光社製  ＬＣ−２０００ＰＬＵＳシリーズ
カラム        東ソー社製  ＴＳＫ−ＧＥＬＧ−６０００  １本、Ｇ−５０００  １本、
Ｇ−４０００  １本、Ｇ−３０００ＨＸＬ  １本
測定温度      ４０℃
溶媒          テトラヒドロフラン
サンプル濃度  ７０ｍｇ／ｍＬ
２．13Ｃ  ＮＭＲは、下記の条件で測定した。
測定機        日本電子社製  ４００ＭＨｚＮＭＲ
測定温度      ２３℃
溶媒          クロロホルム−ｄ
３．融点測定は下記の条件で測定した。
測定機ＴＡインスツルメント社製  ＤＳＣ  Ｑ１００
測定温度条件昇温：    ４０℃から  １７０℃（１０℃／分）、
冷却：  １７０℃から−１００℃（１０℃／分）、
測定：−１００℃から  １７０℃（１０℃／分）
サンプル量    １０ｍｇ
【０１１２】
参考例１
触媒合成
２００ｍLフラスコに３、５−ジ−ｔｅｒｔ−ブチルサリチルアルデヒド１０g（４２．８mmol）と１、２−ジアミノベンゼン２．１６グラム（２０ｍｍｏｌ）、エタノールを１００ｍＬ仕込んで攪拌し、４時間加熱還流を行った。その後室温に冷やし、室温にて８時間攪拌した後、析出物をろ過し、室温で８時間真空乾燥し、６．２７グラム（１１．６ｍｍｏｌ）のＮ、Ｎ'−ビス−（３、５−ジ−ｔｅｒｔ−ブチルサリチリデン）−１、２−フェニレンジアミンを得た。収率は５８％であった。
続いて２００ｍＬフラスコに上記で得られたＮ、Ｎ'−ビス−（３、５−ジ−ｔｅｒｔ−ブチルサリチリデン）−１、２−フェニレンジアミン１．５８グラム(２．９ｍｍｏｌ)、酢酸コバルト（II）４水和物を０．５１７グラム(２．３ｍｍｏｌ)、エタノールを８０ｍＬ加えて攪拌し、８０℃で３０分間反応を行った。その後室温まで法令しロータリーエバポレーターを用いて溶媒を除去した後、塩化メチレン１１ｍＬを加えて溶解した。この溶液にゆっくりとヘキサン１３７ｍＬを加え冷蔵庫で１２時間放置し、ろ過することにより析出した固体を回収、ヘキサン１００ｍＬで３回洗浄した後、室温で８時間真空乾燥しＮ、Ｎ'−ビス−（３、５−ジ−ｔｅｒｔ−ブチルサリチリデン）−１、２−フェニレンジアミノコバルト（II）１．３２グラム（収率９６％）を得た。
次に１００ｍＬビーカーに上記で得られたＮ、Ｎ'−ビス−（３、５−ジ−ｔｅｒｔ−ブチルサリチリデン）−１、２−フェニレンジアミノコバルト（II）１．０グラムを入れ、塩化メチレン１０ｍＬを加えて溶解した。さらに酢酸０．１ｍＬを加えて３０分間攪拌した。その後攪拌を止めて、空気中で溶媒がなくなるまで放置し、固体を得た。この固体をペンタン１０ｍＬを用いて３回洗浄した後、室温で８時間真空乾燥して触媒１．０４グラムを得た。
実施例１
窒素置換した１Ｌのフラスコに参考例１で合成した触媒１８８ミリグラムを投入した後、氷浴を用いて５℃に冷却し、トルエン１３２ｍＬ続いてプロピレンオキサイド２０ｍＬを加えて２.５時間攪拌を行った。その後塩酸を添加して重合を停止し、ロータリーエバポレーターにより液体を留去し、ポリマーを得た。このポリマーをアセトンを用いて溶解し、冷蔵庫で１２時間静置し、析出したポリマーをろ過することにより取り出し、その後８０℃で６時間真空乾燥してポリマーを９．８６グラム得た。
次に５００ｍＬフラスコに得られたポリマーを９．８０グラムを入れて、さらに無水酢酸１５０ｍＬ、ピリジン１ｍＬ、２，６−ジ−ｔ−ブチル−４−メチルフェノール２グラムを加え、１３０℃で１時間攪拌を行った。その後冷蔵庫で１２時間静置した後、析出したポリマーをろ過することにより取り出し、アセトン３００ｍＬで３回洗浄した後、８０℃で６時間真空乾燥して安定化ポリマー９．７６グラムを得た。
得られた安定化ポリマーは１３Ｃ  ＮＭＲから９９％以上のアイソタクチックトライアッドを有することを確認した。またＧＰＣからＭｗ＝５，１２９，０００、Ｍｎ＝９０４，０００、Ｍｗ／Ｍｎ＝５．６７であった。またＤＳＣから融点が６６．９℃であった。
本安定化ポリマーを合成した直後にプレスシートを作成し、応力引張試験を行った。
その結果最大点応力５７．３ＭＰａ、破断点応力５２．７ＭＰａ、破断点伸び３５０％であった。
また、本安定化ポリマーを合成した直後にプレスシートを作成し、２３℃の恒温室で1ヶ月保管した後応力引張試験を行った。
その結果最大点応力７３．４ＭＰａ、破断点応力７３．３ＭＰａ、破断点伸び４４０％であった。
【０１１３】
比較例１
窒素置換した１Lのフラスコに参考例１で合成した触媒３７６ｍｇを投入した後、氷浴を用いて５℃に冷却し、トルエン２６４ｍＬ続いてプロピレンオキサイド４０ｍＬを加えて４時間攪拌を行った。その後塩酸を添加して重合を停止し、ロータリーエバポレーターにより液体を留去し、ポリマーを得た。このポリマーをアセトンを用いて溶解し、冷蔵庫で１２時間静置し、析出したポリマーをろ過することにより取り出し、その後８０℃で６時間真空乾燥してポリマーを２０．６９グラム得た。
得られたポリマーは１３Ｃ  ＮＭＲから９９％以上のアイソタクチックトライアッドを有することを確認した。またＧＰＣからＭｗ＝５８０，０００、Ｍｎ＝２１０，０００、Ｍｗ／Ｍｎ＝２．８であった。
本ポリマーを合成した直後にプレスシートを作成し、応力引張試験を行った。
その結果最大点応力６８ＭＰａ、破断点応力６８ＭＰａ、破断点伸び４００％であった。
また、本ポリマーを合成した直後にプレスシートを作成し、２３℃の恒温室で８日間保管した後応力引張試験を行った。
その結果最大点応力２．２ＭＰａ、破断点応力  検出できず、破断点伸び１１．２％であった。
【産業上の利用可能性】
【０１１４】
本発明によれば、長期間の物性の安定性に優れた安定化ポリ(アルキレンオキシド)の製造方法を提供しうる。また、本発明の製造方法において、立体規則性が制御されたポリ（アルキレンオキシド）を用いて製造された安定化ポリ（アルキレンオキシド）は、その高い立体規則性により結晶性を有するポリマーであり、長期間の物性の安定性に優れた結晶性ポリマーとして様々な用途に利用することができる。